(57)【要約】      （修正有）【課題】本発明は歯科口腔内の情報である色彩や形状、排列等を取得し、その情報を配信、整理、比較、保存、提示などの活用をするための歯面情報システムに関するものであり、更にこの歯科測色システムを活用するための機器の制御システムを提供する。【解決手段】  本発明は大きく分けて歯科口腔測色写真システムや歯科口腔写真システム、歯科写真システム、歯科写真撮影システム、器械装置の制御システムが存在する。撮影時の撮影距離によって、照明手段の光量を制御し、被写体の明るさパラメータを制御する。【選択図】図１−１
2006006968.tif 000002
【特許請求の範囲】
【請求項１】
実測した撮影距離、または実現した設定撮影距離、または緩和撮影条件を満足する撮影距離に応じて、撮像時の被写体の明るさおよび撮影済み画像データの明るさパラメータの少なくとも一方を制御する制御手段を備えたことを特徴とする歯科写真撮影システム。
【請求項２】
前記制御手段が、照明手段と、前記照明手段の光量を制御する照明制御手段とを含む、請求項１に記載の歯科写真撮影システム。
【請求項３】
自動焦点機構を有する請求項１または２に記載の歯科写真撮影システム。
【請求項４】
クローズアップレンズおよびズーム機構の少なくとも一方をさらに備えた歯科写真撮影システムであって、
前記クローズアップレンズおよびズーム機構の少なくとも一方を用いて拡大撮影を行う際に、前記自動焦点機構が焦点調節を行うと共に、前記照明制御手段が、撮影距離に応じて前記照明手段の光量を制御する、請求項３に記載の歯科写真撮影システム。
【請求項５】
前記実測した撮影距離が、自動焦点機構または距離センサにより計測された距離である、請求項４に記載の歯科写真撮影システム。
【請求項６】
前記照明手段がフラッシュであり、
前記フラッシュの種類、位置および角度、クローズアップレンズの有無、ＮＤフィルタの有無、フラッシュ光を変化させる部材の有無に応じて、前記照明制御手段がフラッシュ光量を調整する、請求項２〜５のいずれか一項に記載の歯科写真撮影システム。
【請求項７】
ミラーを介した撮影の際に、前記照明制御手段が、前記照明手段の光量を段階的に補正する、請求項２〜６のいずれか一項に記載の歯科写真撮影システム。
【請求項８】
ミラーを介した撮影の際の、ミラーの反射時に発生する光量減衰とミラーと被写体間の光の往復による距離減衰とに関する属性データに基づき、前記照明制御手段が前記照明手段の光量を補正する、請求項２〜６のいずれか一項に記載の歯科写真撮影システム。
【請求項９】
前記照明手段の最大発光量の１／５以下の発光量範囲を撮影距離５ｃｍ〜１００ｃｍの範囲に対応させて、前記照明制御手段が、前記照明手段の発光量を制御する、請求項２〜８のいずれか一項に記載の歯科写真撮影システム。
【発明の詳細な説明】
【技術分野】
【０００１】
本発明は歯科口腔内の情報である色彩や形状、排列等を取得し、その情報を配信、整理、比較、保存、提示などの活用をするための歯面情報システムに関するものであり、更にこの歯科測色システムを活用するための機器の制御システムを提供する。
【０００２】
本発明は大きく分けて歯科口腔測色写真システムや歯科口腔写真システム、歯科写真システム、歯科写真撮影システム、器械装置の制御システムが存在する。
【０００３】
次に歯科口腔測色写真システムの産業上の利用分野について述べる。
【０００４】
本発明は、歯科口腔内撮影用のデジタルカメラを用いた歯科口腔測色写真システム、および測色計や色標識を用いて歯色の測色を行なう歯科口腔測色システム、および色標識および／またはデジタルカメラを使って画面表示や印刷出力された画像の色を補正する測色写真システム、および測色写真システムに使用する照明装置に関するものである。
【０００５】
歯科口腔測色写真システムにおいては、撮影画像の分類整理や再利用の便の向上、規格撮影・再現撮影・フリー撮影時の被写体反射光量の的確なコントロールにより、撮影画像の的確な色表現等を簡便な機構・操作・機能により実現し、もって操作性の向上および色再現性の向上をもたらすものであり、さらに色を含む画像の改変がなされていないことまたは一定の改変がなされたことを確認支援・認証・保証するものである。
【０００６】
また、歯科口腔測色システムにおいては、測色結果の色表現を改善し正確で解りやすい色表現を行ない、さらに正確な色表現を色情報として歯科口腔測色写真システムに伝達するものである。また、測色写真システムは、一般に画像モニタ出力や印刷出力において被写体の色を測色および／または再現するものである。
【０００７】
本発明は、カメラに接続可能な照明装置に関するものであり、特に、カメラが絞り値およびシャッタースピードを固定した状態で使用する場合に、更には被写体との距離が非常に近い場合に色再現に重点をおいた発明である。
【０００８】
本発明は、被写体との距離が非常に近い場合や撮影された画像の色再現に重点をおく歯科用カメラに用いることができる。
【０００９】
次に歯科口腔写真システムの産業上の利用分野について述べる。
【００１０】
本発明は、口腔内撮影用のカメラに関するのものである。更に、それら周辺機器の歯科口腔写真システムに関し、具体的には、歯科口腔撮影用デジタルカメラおよび／または歯科口腔画像管理ソフトウェアおよび／または歯科用色標識および／または歯科用測色計および／または歯科用定型色判定票に関する。
【００１１】
本発明は簡便な機構及び／または操作及び／または機能により、使い勝手の良い歯科口腔写真システムに関する。
【００１２】
本発明は照明にストロボを用いた近接撮影に最適設計された歯科用デジタルカメラおよび歯科用画像管理ソフトまたは歯科用色標識または歯科用測色計および患者に渡す定型色表現の診断票あるいはこれらを構成要素とする歯科口腔測色・写真システムに属する。歯科用測色計については歯科用色彩計もこれに含まれる技術分野である。
【００１３】
また、本発明は歯科用デジタルカメラおよび歯科用画像管理ソフトの操作性の向上技術に属する。
【００１４】
また、本発明は歯科用カメラの露出の最適化技術に関し、結果的に操作性向上ももたらす。また、本発明は歯科用デジタルカメラおよび歯科用画像管理ソフトまたは歯科用色標識または歯科用測色計の色表現または色再現性技術に属する。
【００１５】
また、本発明は、診療の品質保証の証明や、患者からの診療に関する苦情や訴訟の際の証拠に、歯科用口腔画像が用いられる場合の証明価値の認証技術に関する。
【００１６】
また、本発明は歯科用デジタルカメラおよび歯科用画像管理ソフトまたは歯科用色標識または歯科用測色計または定型色表現の診断票の露出最適化技術、操作性向上技術、色表現または色再現性技術を組み合わせた歯科口腔測色・写真システムに属するものである。
【００１７】
本発明は、歯科用デジタルカメラの制御が、歯科用デジタルカメラに内蔵するプログラムによる制御か、記録メディアまたは通信を通じて歯科用画像管理ソフトから歯科用デジタルカメラに導入されるるプログラムによる制御か、あるいは通信を介して歯科用画像管理ソフトより直接制御されるかの、いずれの技術も含んでいる。
【００１８】
次に歯科写真システム及び歯科写真撮影システムの産業上の利用分野について述べる。
【００１９】
本発明は、歯科で用いられている口腔写真撮影用のデジタルカメラ、特に歯科で行われる規格撮影を行うデジタルカメラおよび／またはその画像を管理・整理・処理するソフトウェアを含む歯科写真システム及び歯科写真撮影システムに属する。
【００２０】
次に器械装置の制御システムの産業上の利用分野について述べる。
【００２１】
本発明は、器械装置の内部状態を特定目的・用途のためにカスタマイズする上で有用となる器械装置の制御システム等に関するものである。
【背景技術】
【００２２】
まず歯科口腔測色写真システムに関する従来技術について述べる。操作性の向上技術および色再現性の向上に関し、従来の歯科用カメラには規格撮影が簡単にできる技術が見られる。例えば某社の歯科用カメラは歯科の近接撮影専用のレンズシステムや照明システムを備えて規格撮影の被写体反射光量を安定化し色再現性を向上している。
【００２３】
また、新たな某社の歯科用デジタルカメラＭＳ−３は専用の照明システムに加えていくつかの撮影倍率ごとに焦点固定を設定するなどの工夫をして操作性の向上および被写体反射光量の最適化を行ない色再現性を向上を図っている。
【００２４】
また、歯の表面にフラッシュの反射が映ってしまう問題に関して、従来の例えば某社の歯科用カメラではレンズの周囲に円環状に配置したリングフラッシュの内部より撮影前に発光させて、歯の表面にフラッシュが映りこまない様なカメラアングルに術者が調節し易い様にしている。
【００２５】
また、プラスチック棒のフラッシュ光のガイドの様に、リングフラッシュタイプが持つ歯面中央部へのフラッシュの映りこみそのものを、防止する様な工夫も見られる。
【００２６】
操作性の向上に関し、従来の歯科用デジタルカメラおよび歯科用画像管理ソフトの歯科用デジタルカメラはいずれも単体での操作性向上技術しか投入されていない。これは歯科用デジタルカメラおよび歯科用画像管理ソフトが、画像データファイルの画像データのみを共通に扱い、それ以外の両者で連携する様な相互インターフェースを持たないからである。
【００２７】
また、口腔内の歯をカメラで撮影するにあたり、直接カメラの視野に入らない部位の撮影に用いる鏡が市販されている。
【００２８】
また、商品名や商品の一般的分類上は歯科用デジタルカメラの部類には属さないが、いわゆる口腔内カメラの部類には、カメラで動画像を撮影しながら撮影位置や方向を操作し、その一瞬の静止画像をとりこみ保存するものがある。
【００２９】
同じく、商品名や商品の一般的分類上は歯科用デジタルカメラの部類には属さないが、シェードビジョンの様に、歯牙のデジタルの静止画を撮影してその歯牙各部の色を判定表示するものがある。
【００３０】
色表現または色再現性技術に関し、従来の歯科用カメラは被写体反射光量の最適化以外に手段を持たない。また従来の歯科用色標識においては、商品名キャスマッチの様に全色空間の色を再現すべく、全色空間を代表する複数の色票をもった歯科用色標識を被写体と同時撮影し、画像管理ソフトでの画像処理において、各色票の色を手動で調整し再現する方法で被写体の色を再現している。
【００３１】
画像の改変の有無についての確認支援・認証・保証の技術に関して、従来の歯科口腔撮影用デジタルカメラまたは歯科口腔画像管理ソフトウェアにおいては特にこの様な技術は過去に見られない。
【００３２】
次に歯科用口腔測色システムに関する従来技術について述べる。色表現または色再現性技術に関し、従来、松風社の歯科用測色計シェードアイＮＣＣや歯科用色標識ＮＣＣシェードガイドの様に人間天然歯の色分布の中心付近を基準とし、分布の長さ方向および幅方向および奥行き方向または位相角に色を３次元的に分割して表現したものが市販されている。ちなみに松風社では分布の長さ方向をシェード方向、分布の幅方向をバリュー方向、奥行き方向または位相角をヒュー方向またはヒュー位相角として表現している。
【００３３】
次に一般の測色写真システムに関する従来技術について述べる。色再現性技術に関し、従来よりデジタルカメラ、画面モニタ、プリンタ等がｓＲＧＢ等の規格により色再現性を向上するものが見られる。これらの規格はそれぞれの装置の色再現特性を統一した規格で表現し、装置ごとに補正を行なうものである。また、某社の製品に色空間全体を代表する色見本データを画像モニタに出力し、その再現色をモニタ上で測色する測色計で測色して、測色結果が色見本本来の色となる様にモニタの色補正を行なうシステムがある。
【００３４】
デジタルカメラが広く普及し高機能化・高画素化が進むにつれて、特殊な用途での撮影や業務における記録撮影用としての利用が広がって来た。なかでも、画像データの取り扱いや管理の容易さから医科・歯科分野における診療経過や患部状態の記録撮影用や工業分野における電子部品の記録撮影用、耐久試験における部品または材料の経年変化の定点観察などに利用され始めている。
【００３５】
これらの記録用としては特定の部位を拡大して撮影する近接撮影において利用されることがあるが、デジタルカメラに内蔵されたストロボ装置は、被写体がカメラからある程度離れた遠距離にある場合でも被写体を照射できるに十分な発光量を有するものが装備されているので、近接領域においては露出オーバーになってしまうことが多く、満足な画像を得ることが出来ない。また、デジタルカメラのオート設定に関しても近接撮影を考慮されたものは少なく、近接撮影においては満足な画像を得られないのが現状で、適正な露出で撮影するためにはマニュアル設定にて絞り値やシャッタースピードの調整が必要となり、それなりの知識や経験が必要となってくる。また、カメラに内蔵されているストロボはレンズの上部のしかもレンズ先端部よりも後ろ側に位置しており、レンズ近傍に存在する被写体を撮影する場合、レンズ自体がストロボから照射された光を遮ってしまい、撮影画像の一部にレンズの影が写り込んでしまう場合もあった。
【００３６】
また、口腔内撮影に関して言えば、前歯から臼歯までを一望する正面観撮影においては前歯、臼歯ともにピントが合っている画像が好ましく、これを実現するためには絞り値は大きい方が好ましい。また、周囲環境の照明状態に依存しない画像を撮影するためには、できるだけ周囲光が入り込まない高速シャッター速度でかつ適正光量でのストロボ撮影という条件が好ましく、また、高速シャッター速度での撮影は手ぶれの影響を排除できるという利点ももつが、市販のデジタルカメラにおいてこれらをすべて満たして適正な露出で撮影できるものは皆無である。
【００３７】
そこで、複数のメーカーから近接撮影用のリングストロボや近接撮影に適した状態でシステム構築されたカメラシステムなどが市販されている。
【００３８】
特開2002-122936号公報記載の発明は、多段階にガイドナンバー(発光量)を切替可能なリングストロボ装置と近接レンズをデジタルカメラに取り付け、デジタルカメラ本体のレンズ鏡筒に規格倍率目盛りを設けることで、規格倍率目盛りで設定された倍率に対してデジタルカメラ本体の焦点が合うように焦点距離を設定し、その焦点位置へ被写体を合わせることで、所定の倍率と最適な露出が得られるデジタルカメラセットが提案されている。
【００３９】
色表現または色再現性技術に関し、従来の歯科用カメラは露出の最適化以外に手段を持たない。また、従来の歯科用色標識においては、全色空間の色を再現すべく、全色空間を代表する複数の色票をもった歯科用色標識を被写体と同時撮影し、画像管理ソフトでの画像処理において、各色票の色を再現する方法で被写体の色を再現している。
【００４０】
モニタの色補正に関してはまた新たな某社の製品の様に基準の色データのモニタの再現色を測定してモニタの色補正を行なうシステムがある。モニタやカメラ、プリンタの色補正に関してはｓＲＧＢの様に各装置に固有の色再現誤差特性データを用いて色補正する規格も制定されている。
【００４１】
同じく色表現または色再現性技術に関し、従来、松風社の歯科用測色計シェードアイＮＣＣや歯科用色標識ＮＣＣシェードガイドの様に人間天然歯の色分布の中心付近を基準とし、分布の幅方向または色の濃さ方向および長さ方向または色の鮮やかさ方向および奥行きまたは色合い方向に色を３次元的に分割して表現したものが市販されている。
【００４２】
画像の証明価値の認証技術に関して、従来の歯科口腔撮影用デジタルカメラまたは歯科口腔画像管理ソフトウェアにおいては特にこの様な技術は過去に見られない。
【００４３】
次に歯科写真システムを中心に述べる。
【００４４】
歯科用カメラの分野においては、自動焦点およびオート露出機能を備えたカメラであっても、ストロボ光量を撮影部位に応じて一定にし、マニュアルフォーカスを用い、撮影部位に応じた規定の撮影倍率になるように術者が撮影距離を調整するという方法が行われている。
【００４５】
また、この様な撮影を実現するために、ソニックテクノの例では、一般民生用に用いられるデジタルカメラに、専用のストロボやマクロレンズを組み合わせて歯科用のカメラセットとして販売されている。
【００４６】
また、少しでも撮影をし易くするために某社のＭＳ−３の様に、歯科口腔撮影における複数の撮影倍率に対応して、レンズのピントを調整するリング部分に該撮影倍率の目盛を施している歯科用カメラもある。
【００４７】
その他のカメラの具体例では、歯科・医科専用カメラとしてもっぱら手動露出手動焦点を用いる銀塩フィルムタイプのカメラも市販されている。
【００４８】
これらの本発明は技術改良中にしたものであり、従来技術に該当する文献は見当たらない。
【００４９】
次に、歯科写真撮影撮影システムを中心に従来技術を述べる。
【００５０】
歯科用カメラの分野においては、自動焦点および自動露出機能を備えたカメラであっても、照明光量を撮影部位に応じて一定にし、マニュアルフォーカスを用い、撮影部位に応じた規定の撮影倍率になるように術者が撮影距離を調整するという方法が行われている。また、この様な撮影を実現するために、ソニックテクノの例では、一般民生用に用いられるデジタルカメラに、専用の照明やマクロレンズを組み合わせて歯科用のカメラセットとして販売されている。
【００５１】
また、少しでも撮影をし易くするために某社のＭＳ−３の様に、歯科口腔撮影における複数の撮影倍率に対応して、レンズのピントを調整するリング部分に該撮影倍率の目盛を施している歯科用カメラもある。
【００５２】
その他のカメラの具体例では、歯科・医科専用カメラとしてもっぱら手動露出手動焦点を用いる銀塩フィルムタイプのカメラも市販されている。
【００５３】
これらの本発明は技術改良中にしたものであり、従来技術に該当する文献は見当たらない。
【００５４】
歯科口腔器械装置の制御方法の従来技術について説明する。
【００５５】
一般に、ある特定目的のために市場に供される例えば民生用の器械装置等は、所定の動作モード・動作機能等を実現するファームウェア等が予め書き込んであり、ユーザーが許容された範囲を超えて当該器械装置の動作モードや動作機能をカスタマイズできないようになっているのが通例である。
【００５６】
しかし、例えばデジタルカメラを例にとれば、この種のカメラは撮影画像が看者に鮮明に視認されるように、画像に本来の色とは異なる色補正を加えたり、ターゲットの自動認識に基づくオートフォーカス機能によって焦点やフラッシュ等を自動制御する機能が備わっている。
【００５７】
このため、このデジタルカメラを、例えば正確な色再現性が要求される歯科口腔目的等で使用すると、逆に歯牙や歯肉の色を正確に再現することが妨げられ、診断の狂いや、補綴物の作成の狂いとなって現れる。
【００５８】
一方、歯科口腔撮影用のカメラは、特許文献１に示すように、歯科口腔撮影に適した専用の設定がなされているが、このような歯科口腔撮影用のデジタルカメラを別途作成するとなると、少量生産のため高価なものになり、歯科医院や歯科技工所等のユーザーが簡単に導入できる代物ではなくなる。
【００５９】
そこで、市販のデジタルカメラの基本的動作モード情報、動作機能、動作データを簡単な手法でカスタマイズできる制御を外部から加えることができれば、上記の問題を有効に解決できる糸口になる。この種の問題は、他の器械装置においても同様である。
【００６０】
ここに、外部から別種の動作モード情報、動作機能、動作データ等を要求に応じて送り込むか、或いは予め備わっている動作モード情報、動作機能、動作データを外部からの制御で有効にするというカスタマイズサービスに係るビジネスモデルの成立性が認められる。
【００６１】
従来知られた制御システムとして特開平１１−２７５４０５号公報がある。
【特許文献１】特開平１１−２７５４０５号公報
【発明の開示】
【発明が解決しようとする課題】
【００６２】
まず歯科口腔測色写真システムの課題について述べる。
【００６３】
操作性と色再現性に関し、従来の歯科用カメラまたは歯科用デジタルカメラにおける固定焦点撮影における被写体反射光量の安定化は、撮影距離を術者が厳密に合わさなければならず非常に操作性が悪い。またその操作困難性から結果的に色再現性が確保できないという課題を持っている。
【００６４】
つまり、歯科の規格撮影においては被写体の歯牙を含むレイアウトも操作性上の重要な要素で、撮影距離を合わしながら同時に構図も安定させなければならない。
【００６５】
これは、カメラの操作に不慣れな歯科医師や歯科衛生士には難しい操作であり、撮影に時間を要するだけでなく習得にも時間を必要とする。
【００６６】
結果として撮影距離は不確定となり、フラッシュ光量は安定せず、固定焦点であれば撮影画像がぼけてしまう。
【００６７】
また、従来の簡単操作の一般用カメラの自動露出や自動焦点機能を歯科のフラッシュを使用した近接撮影に使用した場合、目的とする歯牙を対象とする自動露出と自動焦点機能は同時には実現できないのが現状である。
【００６８】
これは、自動露出が特定の歯牙の様な撮影領域の特定の微小部分を対象とした機能をもたないからであり、これら機能を使って簡単撮影しても、撮影画像の被写体反射光量は過多か不足となり易い。
【００６９】
また自動焦点機能についても特に口を開けての近接撮影の場合、目的とする歯に自動的に焦点を合わすのは困難である。
【００７０】
操作性の向上に関し、従来の歯科用デジタルカメラは、一般的な画像管理ソフトウェアで撮影画像を扱うことができる様にたとえばＪＰＥＧ形式の様な一般的な画像の形式で画像を出力する様に構成されているため、歯科に必要な患者や撮影部位、さらに画像の色補正に必要な情報に関して、歯科用デジタルカメラ側と歯科用画像管理ソフトとの間で情報共有し活用する方法が無いのが現状である。
【００７１】
結果として、従来の歯科用デジタルカメラおよび歯科用画像管理ソフトの組み合わせでは、歯科用デジタルカメラの出力した画像ファイル以外に、患者名や撮影部位・撮影条件等のメモや術者記憶等の情報を別途必要とし、歯科用画像管理ソフト上でこれらの画像以外のメモや術者記憶等の情報をもとに患者名と撮影部位・撮影条件を確認し、画像ファイルを手動で整理しなければならない。
【００７２】
これらの手間は画像一枚につき熟練者で１分、コンピュータに不慣れな初心者の場合３分以上を要する場合もある。歯科口腔写真を必要としているホワイトニングや審美補綴を行っている歯科医院もしくは歯科技工所では年間２０００人以上、一人一回あたり５〜６枚の写真を扱う場合を考慮すると、画像の整理に１００〜２００時間の時間を費やすことになる。
【００７３】
また、撮影から時間が経過するにしたがって、撮影した写真がどの患者の写真か、術者ですら忘れる場合が生じるし、ましては術者以外の診療従事者が撮影画像を整理する場合を考慮すると患者名を判定するのは特別の手間と判断ミスのリスクを負うこととなる。
【００７４】
特に操作性の向上に関して、歯科用デジタルカメラの典型的な使用方法として歯科用デジタルカメラ単独で複数の患者の複数の部位を複数の術者が撮影し、診療終了時等の適当な時点でパーソナルコンピュータに撮影画像を取り込んで画像を整理するという使用方法が最も便利な使用方法として望ましい。
【００７５】
この点において歯科用デジタルカメラという一般的分類には属さない歯科用測色器に分類される従来の前述シェードビジョンは、あらかじめパーソナルコンピュータと接続された状態で特定かつ一人の患者名を指定し、次にパーソナルコンピュータと切り離した状態でその特定かつ一人の患者の複数の歯牙画像を部位を指定しながら撮影し、その後再びパーソナルコンピュータに接続したうえでパーソナルコンピュータに撮影画像を自動的に取り込み、あらかじめ指定してある患者の画像として患者別に階層的に保存し、撮影した複数の歯牙画像を表示しながら歯牙各部位の色を分析表示するものであるが、このシェードビジョンが歯科用デジタルカメラではなくむしろ歯科用測色器として発表発売されていることを考慮せず歯科用デジタルカメラと見なしたうえで上記操作性向上の観点で評価するに、パーソナルコンピュータとは非接続の撮影状態において各撮影画像とその画像が歯牙のどの部位であるかの情報が関連付けられた状態で、シェードビジョンに一旦未整理で保存されるが、その後撮影画像がパーソナルコンピュータに取り込み保存された以降、この関連付けられた撮影部位の情報が撮影画像を自動的に整理するための情報として使用されることは無い。
【００７６】
シェードビジョンにおいてはこの撮影部位の情報は術者が手動で撮影部位情報をもとに所定の撮影部位順に画像を並べて表示するという操作に使用されるのみである。
【００７７】
この動作仕様においてシェードビジョンは、撮影画像を自動的にかつ階層的に分類整理し表示または保存するために撮影部位の情報を使用するものではなく、本発明の目指す操作性の向上には遠く及ばないものと考える。
【００７８】
また、シェードビジョンにおいては、撮影後パーソナルコンピュータに接続されたときに、患者名の情報をもとに自動的にかつ階層的に撮影画像を分類整理し表示しかつ保存する動作を行なうものであるが、シェードビジョンは、撮影直後からパーソナルコンピュータにその後接続される時点まで特定の唯一の患者の画像を撮影することを前提としており、患者名の情報が、撮影直後からパーソナルコンピュータにその後接続される時点までの間に複数の患者の画像を区別する情報としてシェードビジョンの内部に関連付けて保存される訳では無い。
【００７９】
つまり、シェードビジョンにおいては撮影直後からパーソナルコンピュータにその後接続される時点までの間に複数の患者の画像が未整理の状態では存在しない。従ってあらかじめ設定された患者名の情報は複数の患者の未整理の画像を階層的に整理するために使用されているとは言い難い。
【００８０】
患者名と撮影画像の関連付けは、あらかじめ撮影前にパーソナルコンピュータにおいて患者名を特定し、その患者の画像のみを撮影するという術者の操作に完全に依存する動作仕様条件のもとで機能しているのみである。
【００８１】
そしてこの複数の患者の画像を区別する情報として患者名と撮影画像の関連付けはパーソナルコンピュータに撮影画像を取り込んだ時点で行なわれ、かつ少なくとも術者もしくは術者以外の任意の人間の操作者からみて、パーソナルコンピュータに画像を取り込んだ時点と、複数の患者を区別する患者名情報が関連付けられる時点と、自動的にかつ階層的に撮影画像を分類整理し表示しかつ保存する時点の３つの時点は同時であるか、少なくとも同時操作時点で３つの動作が行なわれる。
【００８２】
つまり、患者名が関連付けられた時点から自動的にかつ階層的に撮影画像を分類整理し表示される時点の間に複数の患者の複数の撮影画像が名未整理である状態は存在しない。
【００８３】
患者名を自動的にかつ階層的に撮影画像を分類整理し表示するシェードビジョンのこの動作仕様は、一般市販のデジタルカメラにおいても術者が意図すれば容易になし得ることである。
【００８４】
つまり、あらかじめ患者名を決めてパーソナルコンピュータにその患者の画像を保存するフォルダを作成しておき、次にデジタルカメラの撮影画像データを空にしておき、術者が名前を把握している特定の患者の歯牙のみを複数枚撮影し、その後パーソナルコンピュータに接続してあらかじめ作成しておいた患者名のフォルダに保存すれば良い。
【００８５】
この様なデジタルカメラの使用方法は、複数の術者による複数の患者の複数の撮影部位の複数の未整理の画像を自動的にかつ階層的に分類整理し表示するデジタルカメラと画像管理ソフトウェアの連繋機能が実現されていないがゆえに、多くの手間と時間をかけて一般の歯科医院で広くおこなわれている方法である。
【００８６】
それというのも、口腔内部の歯牙を撮影した複数の術者・複数の患者・複数の部位の歯科口腔撮影画像を、一日の診療後の残務として撮影を担当しなかったかもしれない歯科医もしくは歯科衛生士もしくは歯科助手が分類整理することは不可能だからである。
【００８７】
さらに一般のデジタルカメラにおいては、必ずしも撮影前にパーソナルコンピュータとデジタルカメラを接続した状態で患者名を特定または指定する必要はなく撮影後でも同様の作業は可能であり、そのことによって操作性はシェードビジョンより簡便である。
【００８８】
つまり、シェードビジョンにおいてはあらかじめ撮影前にパーソナルコンピュータ上で患者名を指定または特定しなければならず、一般のデジタルカメラよりもこの点で操作性に劣るといえる。
【００８９】
ましてや、術者が歯科医院とは別の技工所であり、歯科医院に出張して患者の歯牙を撮影する場合においては、シェードビジョンを使用するのは不可能に近い。この様な点から鑑みて、シェードビジョンにおける唯一１名の患者名情報と撮影画像を関連付ける動作仕様および患者名情報に基づいて唯一１名の患者の撮影画像を自動的にかつ階層的に分類整理し表示する動作仕様は、一般市販のデジタルカメラと比較して操作性を向上しているとは言い難い。
【００９０】
以上、シェードビジョンを歯科用デジタルカメラと見なして本発明の目的である操作性向上の観点から評価した。
【００９１】
歯科用デジタルカメラは、歯科医院において診療の最中に患者の口腔内、特に歯牙の撮影を一定の構図で撮影するのに使用される。歯科医院には通常多くの患者が訪れ、一般的にこの撮影を行なうのは複数の歯科衛生士である場合が多い。
【００９２】
少なくとも日本国内の歯科医院においては周知のごとく、多くの患者がひっきりなしにやってきて秒単位で診療は進められている。
【００９３】
さらに、歯科の口腔内撮影は、撮影距離１５〜３０ｃｍの熟練を要する近接撮影であり、さらに構図をぴったりと決めなければならない規格撮影であり、さらに焦点を合わすために撮影距離をぴったりと決めなければならない。
【００９４】
ちなみに自動焦点調節機構では撮影距離が不定になり易く、構図が安定しないばかりかフラッシュによる露光量を不定にし、色の再現性を損なう。
【００９５】
自動露出機能は口腔内の様に暗い背景にくっきりと位置する小さな白っぽい歯牙の撮影には著しく不向きであり露光量は全く安定しない。
【００９６】
この様な理由により従来の歯科用カメラもしくは歯科用デジタルカメラは、マクロ撮影が可能でマニュアル焦点・マニュアル露出の可能な外部フラッシュマウント対応のカメラである必要があり、結果として大きく重い一般向けの高級品を歯科用に改造したものが使用されている。
【００９７】
この様な、写真撮影を業とするか趣味とする様な操作者でも難しい撮影を、写真撮影においては素人であり一般的には力が弱く多くは女性である歯科衛生士が、歯科医師による治療の間隙をぬって診療椅子に寝ている患者の上から覆い被さる様にして短時間にピタリと構図を決め、再現性よく安定した撮影を行なうには、多大の訓練と知識習得とを要する。
【００９８】
そして撮影時には、目的とする規格撮影の撮影条件を術者自身が自覚してその条件の通りに撮影しなければならない。
【００９９】
現在の歯科用デジタルカメラはこれらの操作を、歯科衛生士が訓練を要せず、短時間に失敗無く撮影するための操作性を備えているとはいいがたい。
【０１００】
また、口腔内の撮影において鏡を用いた撮影では画像が反転し、患者や術者、術者以外の歯料診療関係者を混乱させる場合が生じる。
【０１０１】
画像の非改変または一定の改変についての確認支援・認証・保証の技術に関しては、従来歯科口腔撮影用デジタルカメラまたは歯科口腔画像管理ソフトウェアにおいてこの様な技術は見られず、この技術を投入する技術進展そのものが課題となる。
【０１０２】
測色および色再現性に関し、従来のキャスマッチの様な全色空間を対象とした歯料用色標識を用いた歯科口腔撮影用デジタルカメラまたは歯科口腔画像管理ソフトウェアの色補正システムでは人間の天然歯の様な狭い領域に分布する色を補正するのに誤差が生じ易い。
【０１０３】
また、某社の歯科用カメラの様なリングフラッシュでは、最も色再現が重要な歯の中央部にフラッシュが映り込んでしまって不都合である。またプラスチック棒で出来たフラッシュ光ガイドは、固定した位置が投光位置となり、異なる歯牙や歯列の撮影に対して再現性のある投光が困難である。
【０１０４】
また、ｓＲＧＢ等の装置毎の色補正のための規格については、これらはあくまで装置単体の機能であり、歯科口腔測色写真システムにおいてはパーソナルコンピュータのモニタやプリンタ等は外部の機器であり、術者がｓＲＧＢ等対応の機器をそろえていることを前提にはできないし、事実ｓＲＧＢ等対応でなければ所望の色再現性は得られない。
【０１０５】
また、ｓＲＧＢ等の色補正技術は「被写体に任意の照明があたって発生した色」の再現性を向上するものであり、例えば人間天然歯に紫色の照明があたっていれば、紫色に照明された歯の色を忠実に再現しようとするものである。
【０１０６】
これに対し、歯科口腔測色写真システムにおいては照明に関わらない色に関する被写体固有の色の性質を取得し、それに昼光色照明等の一定の条件の照明がなされた場合の色を再現しようとするものであり、ｓＲＧＢ等の色再現技術とは色再現性の目的が本質的に異なるものである。
【０１０７】
また、モニタの画面に出力した色見本データの画像をモニタ上測色計で測色して色見本の色となる様に補正する色補正システムもあるが、これはモニタ専用の測色計が必要であり、撮影時カメラや照明条件によって発生する照明と無関係な被写体固有の色に対する色誤差を補正するものではない。
【０１０８】
また、プリンタ出力の色補正をするものではない。この技術をプリンタ出力の色補正に実用化することも考えられるが、これはモニタ用とは別のプリンタ用測色計が別途必要となる。
【０１０９】
つまり、歯科における歯もしくは歯肉の色とは照明条件に因らない被写体である歯もしくは歯肉の表面の色特性を指すものであり、ｓＲＧＢ等の規格による補正やモニタやプリンタ上で色見本データの画像を測色して補正する技術は被写体への照明の影響を補正するものではない。
【０１１０】
ただし、これらの技術は歯科でない一般の測色写真システムにおいては有用な場合があり、この分野での課題は後述の「測色写真システムの課題」で述べる。
【０１１１】
次に、歯科口腔測色システムの課題について述べる。色表現に関し、松風社の従来の様な歯料用測色計シェードアイＮＣＣや歯科用色標識ＮＣＣシェードガイドは、人間天然歯の色分布の中心付近を基準とし、分布の長さ方向および幅方向および奥行き方向に色を３次元的に複数の領域に分割して表現したものであり、領域の分割は目視で色の差が十分判別できることが前提である歯科用色標識の分割またはそれと対応させたものであり、分割の境界領域において計測上の誤差が生じた場合に隣の分割領域色に誤って表現してしまう場合が生じる。
【０１１２】
これは被測色対象物の色の真値が解っていれば大きくても１／２領域分の誤差として認識されるが、真値が解っていないからこそ測色する圧倒的多くの場合において、領域の境界付近のごく近接した目視では見分けのつかない２つの色を、隣り合った異なる領域の目視で十分判別のつく異なる色に判定してしまい、１領域分の比較的大きな誤差と誤って認識されることとなる。これを見かけの誤差とここでは表現する。
【０１１３】
このことは同一の測色計または色標識システムによる異なる２つの測色対象に対する測色においても、１つの測色対象を２回測色する場合においても、２つの異なる同種測色計または色標識システムによる１つの測色対象に対する測色においても起こり得ることであり、いかに高精度の測色計もしくは色標識であっても最大１／２領域分の真の誤差と最大１領域分の見かけの誤差を必然的に持つことで、術者に対して測色結果に対する信頼性に疑問を生じさせる場合が生じる。
【０１１４】
これは測色計や色標識が本来持っている精度と無関係に測色結果を領域で表現するがゆえに生じる必然的な誤差であり、歯科診療における天然歯の色表現に悪影響を及ぼすだけでなく、それを元に作成する補綴物の色に狂いを生じるかまたは狂いを生じているとの誤解を招く。
【０１１５】
同じく色表現に関し、近年、審美歯科はもちろん一般の歯科医院においてもホワイトニング治療等、女性患者を中心に歯の色を重視する傾向が強まっており、何らかの方法で患者に治療過程での歯の色の変化の経過を報告する必要が生じており、従来の領域表現では微妙な変化を表現しきれない。反面、従来行われている領域表現は歯科界で定着しているのみならず、大まかな色を把握・表現するのに適しているし、保険診療による補綴物作成の診療形態では、領域表現で十分満足な結果をもたらすものである。
【０１１６】
これらの事情は従来の歯科界で用いられてきた領域表現と測色システムの本来の精度・分解能による値表現の双方の表現が必要であることを意味する。
【０１１７】
次に、測色写真システムの課題について述べる。
【０１１８】
ｓＲＧＢ等の装置毎の色補正のための規格やモニタ専用測色計と色見本データ画像を用いたモニタ補正技術については、これらはあくまでモニタやプリンタ、カメラ装置単体の機能であり、これらを統合して被写体から画像データ、さらにはモニタ出力やプリンタ出力、さらにプリンタ出力が印刷された環境とは異なる場所に運ばれて評価される様なケースを含む包括的かつ柔軟性のある色補正システムを提供するものではない。
【０１１９】
つまり、これら技術はカメラは特定のカメラ、モニタは特定のモニタ、プリンタは特定のプリンタのみであり、ｓＲＧＢ以外の規格や各装置メーカーでまちまちであり、これらを組み合わせて包括的な色補正を実現するのは、これら単体の装置の規格や色再現方法に精通する専門的な知識や術者の学習および試行錯誤が必要となる。また、ｓＲＧＢ規格等の色再現技術はこれを搭載した機器でなければ実現できない。
【０１２０】
更に、上述の従来装置では焦点距離を固定にしなければならないことからカメラのオートフォーカス機能が使えず、術者はカメラを前後移動させて被写体を焦点位置に来るよう調整する必要があった。
【０１２１】
この際、デジタルカメラにおいては高価な一眼レフタイプのカメラ以外では光学ファインダが装備されていないため、液晶ファインダにより焦点を合わせる必要があったが、解像度の低さから合焦しているかどうかを判別するのが極めて困難でありピントがずれた画像が撮影されることがあった。
【０１２２】
光学ファインダが装備された高価な一眼レフタイプのデジタルカメラを用いた場合にも、口腔内撮影は被写体となる患者が歯科治療用チェアに横たわっている場合に行われることがほとんどで、術者の撮影姿勢はファインダをのぞいた状態で上方から下方を見下ろし、かつ横たわっている患者を避けつつ、重いカメラの上下移動により合焦位置を探さなければならないという非常に困難なものであった。
【０１２３】
また、上述した従来装置ではリングストロボを使用している場合のものが多く、リングストロボを使用して口腔内写真を撮影した場合、撮影された画像には歯の表面にリングストロボの輪状の反射が写り込むことがあり、歯面中央部分が見えなくなるという問題が生じていた。
【０１２４】
この問題を回避するにはリングストロボによる輪状の写り込みが無いようにカメラの位置を決定しなくてはならないが、事前に被写体のどの部分に反射の写り込みが生じるかは撮影してみないと分からず、試行錯誤を繰り返す必要があった。
【０１２５】
また、上述した従来装置の中には近接撮影に適したシステム構成が成されているとはいえ、絞り値、シャッタースピード、ガイドナンバーなどの設定が必要となり、ある程度のカメラの知識が要求され、また撮影状況によっては絞り値、シャッタースピード、ガイドナンバーそれぞれの設定を変えつつ撮影を行わなければならないようなものもあり、歯科の臨床における撮影状況においてカメラに不慣れな術者が撮影すると、撮影に時間がかかって患者に不快な思いをさせたり、何度も撮りなおしをしなければならなくなる場面があった。
【０１２６】
また、照明部にはキセノン管などが使われることが多いが、経年変化による光量の低下などが起こるにもかかわらず、発光量の補正手段を装備したストロボシステムは皆無で、たとえ絞り値やシャッタースピードやガイドナンバーを合わせて撮影を行っても、年月の経過に伴って撮影された画像の露出には微妙なズレを生じ、例えば患者の歯の色の経年変化を比べようとしても、撮影画像における色の変化が本来の歯の色の変化によるものなのか、撮影時の露出の微妙なズレによる変化なのかが分からなくなってしまう。
【０１２７】
これらの状況を鑑み、本発明において解決しようとする課題は以下のとおりである。
【０１２８】
本発明が解決しようとするひとつの課題は、照明装置を使用した場合の近接撮影において、カメラの焦点距離を固定しないオートフォーカス機能を使用した状態で、撮影ごとの絞り値およびシャッタースピードの調整を一切必要とせず、容易に一定露出で撮影することができる外部照明装置を提供することにある。
【０１２９】
本発明が解決しようとする他の課題は、重く高価な一眼レフタイプのカメラを使用しなくとも、絞り値とシャッタースピードがマニュアル設定可能な小型カメラに本発明による照明装置を取り付けることによって、軽量で安価でなおかつ最適な露出で近接領域撮影ができるようになる撮影システムの一部としての照明装置を提供することにある。
【０１３０】
本発明が解決しようとするさらなる他の課題は、照明部の発光量を常に一定に保つために照明部の発光量を補正する手段を内蔵した照明装置を提供することにある。
【０１３１】
本発明が解決しようとするさらなる他の課題は、照明装置の照明部によって被写体に写りこむ直接反射を撮影前に事前に確認できるようにした照明装置を提供することにある。
【０１３２】
操作性の向上と露出の最適化に関し、従来の歯科用カメラまたは歯科用デジタルカメラにおける固定焦点撮影における露出の安定化は、撮影距離を術者が厳密に合わさなければならないという課題を持っている。
【０１３３】
歯科の規格撮影においては被写体の歯牙を含むレイアウトも重要な要素で、撮影距離を合わしながら同時に構図も安定させなければならない。これは、カメラの操作に不慣れな歯科医師や歯科衛生士には難しい操作であり、撮影に時間を要するだけでなく習得にも時間を必要とする。
【０１３４】
また、従来の簡単操作の一般用カメラの自動露出や自動焦点機能を歯科のストロボを使用した近接撮影に使用した場合、目的とする歯牙を対象とする自動露出と自動焦点機能は同時には実現できない。
【０１３５】
これは、自動露出が特定の歯牙の様な撮影領域の特定の微小部分を対象とした機能をもたないからであり、これら機能を使って簡単撮影しても、撮影画像の露出は過多か不足となり易い。
【０１３６】
操作性の向上に関し、従来の歯科用デジタルカメラは一般的なソフトウェアでも画像を扱う様に構成されているため、ＪＰＥＧ形式の様な特定の画像フォーマット形式以外に歯科用デジタルカメラと歯科用画像管理ソフトの情報共有方式を持たない。
【０１３７】
結果として、従来の歯科用デジタルカメラおよび歯科用画像管理ソフトの組み合わせでは、歯科用デジタルカメラの出力した画像ファイル以外に、患者名や撮影部位・撮影条件等の情報を別途必要とし、歯科用画像管理ソフト上でこれらの画像以外の情報をもとに患者名と撮影部位・撮影条件を確認し、画像ファイルを整理しなければならない。
【０１３８】
これらの手間は画像一枚につき熟練者で１分、コンピュータに不慣れな初心者の場合３分以上を要している。歯科口腔写真を必要としているホワイトニングや審美補綴を行っている歯科医院もしくは歯科技工所では年間２０００人以上、一人一回あたり５〜６枚の写真を扱い、画像の整理に１００〜２００時間の時間を費やすことになる。
【０１３９】
また、撮影から時間が経過するにしたがって、撮影した写真がどの患者の写真か、術者ですら忘れる場合が生じるし、ましては術者以外の診療従事者が患者名を判定するのは特別の手間と判断ミスのリスクを負うこととなる。また、口腔内の撮影において鏡を用いた撮影では画像が反転し、患者や術者、術者以外の歯科診療関係者を混乱させる場合が生じる。
【０１４０】
色表現または色再現に関し、従来の様な全色空間を対象とした歯科用色標識を用いた歯科口腔撮影用デジタルカメラまたは歯科口腔画像管理ソフトウェアの色補正システムでは人間の天然歯の様な狭い領域に分布する色を補正するのに誤差が生じ易い。
【０１４１】
また、同じく色表現または色再現に関し、某社の歯科用カメラの様なリングストロボでは、最も色再現が重要な歯の中央部にストロボが映り込んでしまって不都合である。これに関して、またまた新たな某社の様なプラスチック棒で出来たストロボ光ガイドは、固定した位置が投光位置となり、異なる歯牙や歯列の撮影に対して再現性のある投光が困難である。
【０１４２】
また、同じく色表現または色再現に関し、松風社の従来の様な歯科用測色計シェードアイＮＣＣや歯科用色標識ＮＣＣシェードガイドの様に人間天然歯の色分布の中心付近を基準とし、分布の幅方向または色の濃さ方向および長さ方向または色の鮮やかさ方向および奥行きまたは色合い方向に色を３次元的に分割して表現したものでは、分割の境界領域において誤差が生じた場合に隣の分割色に誤って表現してしまう場合が生じる。
【０１４３】
これは測色計や色標識が本来持っている精度を超えた誤差であり、歯科診療における天然歯の色表現に悪影響を及ぼすだけでなく、それを元に作成する補綴物の色に狂いを生じる。
【０１４４】
同じく色表現または色再現に関し、近年、審美歯科はもちろん一般の歯科医院においてもホワイトニング治療等、女性患者を中心に歯の色を重視する傾向が強まっており、何らかの方法で患者に治療過程での歯の色の変化の経過を報告する必要が生じている。
【０１４５】
同じく色表現または色再現に関し、歯科における歯もしくは歯肉の色とは照明条件に因らない被写体である歯もしくは歯肉の表面の特性を指すものであり、ｓＲＧＢ等の規格による補正は被写体への照明の影響を補正するものではない。
【０１４６】
また、全色空間を表現する色標識を用いたカメラの撮影補正は、歯科の狭い色分布内の補正に対して誤差が大きく、モニタや印刷物の補正を行なうものではない。また、また新たな某社の製品の様なモニタの色補正システムもあるが、これはカメラによって発生する撮影時に色誤差を補正するものではない。
【０１４７】
証明価値の認証技術に関しては、歯科口腔撮影用デジタルカメラまたは歯科口腔画像管理ソフトウェアにこの技術を投入する技術進展そのものが課題となる。
【０１４８】
色再現性については、歯科口腔撮影においてはフラッシュを使用することが前提であるが、このフラッシュのランプの劣化により、フラッシュ光の色が変化し、適切な色で撮影することに支障が生じる。また、フラッシュの位置や種類を変えることによっても被写体である歯牙の色の再現条件が変化する。
【０１４９】
フラッシュについては、歯科口腔撮影は近接撮影で白い歯を撮影するものであり、フラッシュの光量が強すぎるために源光のためのNDフィルタを使用せざるを得ない。また、近接撮影のためにクローズアップレンズを使用する必要も生じる。これらの部材を歯科口腔撮影用デジタルカメラのレンズ筒に装着した場合に、顔等、歯牙に比べて大きい領域を撮影する場合に、これら部材が影になり、いわゆるケラレという現象が生じてしまう。
【０１５０】
また、ミラー撮影時にはミラーによりフラッシュの光が減光してしまう。
【０１５１】
次に歯科口腔測色写真システムの課題について述べる。
【０１５２】
歯科用カメラは、通常のカメラと違って、被写体である歯面等の正確な色情報を残す必要があり、また技工所において補綴物を作成する際に、歯科医院より患者の歯の形と色を正確に伝える必要があり、術前術後の撮影において相対的に比較ができる画像を残さなければならないというものである。
【０１５３】
また、現在のデジタルカメラを含むカメラにおいては、自動露出および自動焦点の双方の機能を同時に実現した全自動カメラというものが広く一般的に普及している。
【０１５４】
これは手動焦点および手動露出しかできなかった時代と比較して、誰でも簡単にきれいな撮影を可能にした技術であり、写真撮影を一部のカメラ愛好家やプロのカメラマンだけのものから、訓練も知識もなく広く一般の人にも簡単に撮影できる様にしたものである。
【０１５５】
しかし、歯科口腔写真撮影において、現在市販されているこの様なカメラを用いた場合に、まず、自動焦点で歯の付近に焦点を合わしても、自動露出が目的の歯の部分の露出を制御出来ない状況がある。
【０１５６】
口腔写真は、明るさとしてはかなり明るい目的の歯牙と、中間的な明るさの周辺歯牙（陰になっている）や舌、唇、歯肉と、かなり暗い喉の奥の部分を同時にフラッシュ撮影することになり、現在のカメラの場合、カメラの自動露出の機能の差にもよるが、現在はフラッシュ撮影の場合、本番撮影のための発光の前にプリ発光してそれを測光して、本番撮影のフラッシュ光量を決める方式になっているが、目的歯牙付近の反射光を測光した場合には、目的歯牙は明るく反射するためにフラッシュ光量が少なくなる様に制御され、他の暗い部分の反射光を測光した場合にはフラッシュ光量を多くする様に制御される。
また、画像全体を平均的に測光した場合には、歯の部分が多いか、喉の奥の部分が多いかなどにフラッシュ光量が左右される。結果としては同一撮影距離の同一倍率の撮影にも関わらず、ちょっとした被写体およびその周辺部の差により、結果の画像が非常に暗くなったり、非常に明るくなったりして、とても歯の色の再現性はとれない状況である。
【０１５７】
従って自動露出機能が使用出来ず、手動露出が出来ない比較的小型の安価な全自動カメラは全て歯科口腔写真には使用出来ず、現状では比較的高級で中・大型の手動露出が可能で、手動露出に対応した外部フラッシュを使用するカメラが多用されているのが現状である。
【０１５８】
さらに、その様な手動露出機能のついたカメラを用いて撮影する場合、目的とする撮影の撮影倍率と拡大倍率との関係で決まっている撮影距離で手動露出によって調整された光量でフラッシュが点灯するのが理想であるが、歯牙の撮影は大抵が近接のマクロ撮影であり、実際の撮影距離が２ｃｍもずれると被写体の明るさはかなり変化することとなる。
【０１５９】
例えばフラッシュとの距離が１５ｃｍとなる場合に２ｃｍずれると理論的には１／（１７／１５）の２乗〜１／（１３／１５）の２乗の変動（０．７８〜１．３３倍）をきたす。
【０１６０】
従って、規定の撮影距離ぴったりになる場所にカメラを動かして構えなければならない。
【０１６１】
ところが、目的の被写体が撮影範囲の中に入らなければならないから術者はファインタ゛ーなりモニターなりを見ながらカメラの位置・角度の６自由度を操作することになるので、自動焦点機能を用いた場合撮影距離を判断するのは非常に困難である。
【０１６２】
なぜなら自動焦点機能を用いた場合、どんな撮影距離でもファインダーやモニター画像のピントがぴったり合ってしまうからである。被写体の形状では歯列の大きさは男女年齢でまちまちなのであてにはならない。
【０１６３】
従って、歯科口腔写真撮影においては手動露出および手動焦点で撮影する事となる。
【０１６４】
なぜなら手動焦点であれば、ピントの合う撮影距離を目的とする撮影距離に合わせておけば、その場所にカメラを移動させた時にファインダーやモニターのピントがぴったりと合うので、目的の撮影距離に合っていることが術者にわかるからである。
【０１６５】
この様に歯科口腔写真撮影においては、自動露出・自動焦点機能が広く一般的に安価に普及しているにも関わらずそれを使用することが出来ない。
【０１６６】
特にデジタルカメラにおいては自動露出・自動焦点機能は当たり前の様に備わっており、逆に手動露出・手動焦点機能を備えた中級・高級な中・大型のデジタルカメラを使用せざるを得ないのが現状である。
【０１６７】
つまり、歯科口腔写真撮影は、自動露出・自動焦点が困難なマクロ撮影がほとんどであり、これに手動露出を使用するとなるとこの様なカメラは、マクロアダプターや外部フラッシュを使用しないと実現できないこととなっていた。
【０１６８】
従ってカメラの重量はそれなりに重くなり、歯科診療室で患者の口腔を撮影する場合に患者の上から覆い被さる様にして撮影すると、姿勢を安定するのが難しく、目的の歯牙あるいは歯列が撮影範囲から上下左右に外れてしまう。
【０１６９】
この上下左右の調整を無理な姿勢で行うと、結果的には前後にも動くこととなり、決定した撮影倍率が合わなくなる。
【０１７０】
従って、自動焦点機能を使わず手動焦点調節をすることになるがこれはさらにピンぼけの写真になりやすくなる。結果として、歯科口腔写真撮影においては、うまく運用するまでに多くの失敗投資と数年の時間を要するのが実態である。
【０１７１】
逆に、うまく運用出来ない状態では、撮影自体に手間取るので、歯科口腔写真撮影自体を不採用にしたり、採用してもピンぼけや明るさや色再現性の定まらない撮影画像を利用せざるを得ないことになり、補綴物作成に失敗したり、患者説明に誤解を生じたりすることとなっていた。
【０１７２】
歯科写真撮影システムにおいて、歯の色の情報は非常に重要であり、上記従来のシステムは歯の色の再現性もしくは測色性は歯科で実用になるレベルにはほど遠く、現在これらの問題を解決している歯科用デジタルカメラは存在しない。
【０１７３】
次に歯科写真撮影システムの課題について述べる。
【０１７４】
歯科用カメラは、通常のカメラと違って、被写体である歯面等の正確な色情報を残す必要があり、また技工所において補綴物を作成する際に、歯科医院より患者の歯の形と色を正確に伝える必要があり、術前術後の撮影において相対的に比較ができる画像を残さなければならないというものである。
【０１７５】
また、現在のデジタルカメラを含むカメラにおいては、自動露出および自動焦点の双方の機能を同時に実現した全自動カメラというものが広く一般的に普及している。
【０１７６】
これは手動焦点および手動露出しかできなかった時代と比較して、誰でも簡単にきれいな撮影を可能にした技術であり、写真撮影を一部のカメラ愛好家やプロのカメラマンだけのものから、訓練も知識もなく広く一般の人にも簡単に撮影できる様にしたものである。
【０１７７】
しかし、歯科撮影において、現在市販されているこの様なカメラを用いた場合に、まず、自動焦点機能で歯の付近に焦点を合わしても、自動露出機能が目的の歯の部分の露出を制御出来ない状況がある。
【０１７８】
口腔写真は、明るさとしてはかなり明るい目的の歯牙と、中間的な明るさの周辺歯牙（陰になっている）や舌、唇、歯肉と、かなり暗い喉の奥の部分を同時に照明撮影することになり、現在のカメラを用いた照明撮影の場合、カメラの自動露出の機能の差にもよるが、本番撮影のための発光の前にプリ発光してそれを測光して、本番撮影の照明光量を決める方式になっているが、目的歯牙付近の反射光を測光した場合には、目的歯牙は明るく反射するために照明光量が少なくなる様に制御され、他の暗い部分の反射光を測光した場合には照明光量を多くする様に制御される。
【０１７９】
また、画像全体を平均的に測光した場合には、歯の部分が多いか、喉の奥の部分が多いかなどに照明光量が左右される。結果としては同一撮影距離の同一倍率の撮影にも関わらず、ちょっとした被写体およびその周辺部の差により、結果の画像が非常に暗くなったり、非常に明るくなったりして、とても歯の色の再現性はとれない状況である。
【０１８０】
従って自動露出機能が使用出来ず、手動露出が出来ない比較的小型の安価な全自動カメラは全て歯科口腔写真には使用出来ず、現状では比較的高級で中・大型の手動露出が可能で、手動露出に対応した外部照明を使用するカメラが多用されているのが現状である。
【０１８１】
さらに、その様な手動露出機能のついたカメラを用いて撮影する場合、目的とする撮影の撮影倍率と拡大倍率との関係で決まっている撮影距離で手動露出によって調整された光量で照明が点灯するのが理想であるが、歯牙の撮影は大抵が近接のマクロ撮影であり、実際の撮影距離が２ｃｍもずれると被写体の明るさはかなり変化することとなる。
【０１８２】
例えば照明との距離が１５ｃｍとなる場合に２ｃｍずれると理論的には１／（１７／１５）の２乗〜１／（１３／１５）の２乗の変動（０．７８〜１．３３倍）をきたす。従って、規定の撮影距離ぴったりになる場所にカメラを動かして構えなければならない。ところが、目的の被写体が撮影範囲の中に入らなければならないから術者はファインタ゛ーなりモニターなりを見ながらカメラの位置・角度の６自由度を操作することになるので、自動焦点機能を用いた場合撮影距離を判断するのは非常に困難である。
【０１８３】
なぜなら自動焦点機能を用いた場合、どんな撮影距離でもファインダーやモニター画像のピントがぴったり合ってしまうからである。
従って、歯科撮影においては手動露出および手動焦点で撮影する事となる。
【０１８４】
なぜなら手動焦点であれば、ピントの合う撮影距離を目的とする撮影距離に合わせておけば、その場所にカメラを移動させた時にファインダーやモニターのピントがぴったりと合うので、目的の撮影距離に合っていることが術者にわかるからである。
【０１８５】
この様に歯科撮影においては、自動露出・自動焦点機能が広く一般的に安価に普及しているにも関わらずそれを使用することが出来ない。特にデジタルカメラにおいては自動露出・自動焦点機能は当たり前の様に備わっており、逆に手動露出・手動焦点機能を備えた中級・高級な中・大型のデジタルカメラを使用せざるを得ないのが現状である。
【０１８６】
つまり、歯科撮影は、自動露出・自動焦点が困難なマクロ撮影がほとんどであり、これに手動露出を使用するとなるとこの様なカメラは、マクロアダプターや外部照明を使用しないと実現できないこととなっていた。
【０１８７】
従ってカメラの重量はそれなりに重くなり、歯科診療室で患者の口腔を撮影する場合に患者の上から覆い被さる様にして撮影すると、姿勢を安定するのが難しく、目的の歯牙あるいは歯列が撮影範囲から上下左右に外れてしまう。
【０１８８】
この上下左右の調整を無理な姿勢で行うと、結果的には前後にも動くこととなり、決定した撮影倍率が合わなくなる。従って、自動焦点機能を使わず手動焦点調節をすることになるがこれはさらにピンぼけの写真になりやすくなる。
【０１８９】
結果として、歯科撮影においては、うまく撮影するまでに多くの失敗投資と数年の時間を要するのが実態である。
【０１９０】
逆に、うまく撮影出来ない状態では、撮影自体に手間取るので、歯科撮影自体をあきらめたり、撮影してもピンぼけや明るさや色再現性の定まらない撮影画像を利用せざるを得ないことになり、それを基にした補綴物作成に失敗したり、患者説明に誤解を生じたりすることとなっていた。
【０１９１】
歯科写真撮影システムにおいて、歯の色の情報は非常に重要であり、上記従来のシステムは歯の色の再現性もしくは測色性は歯科で実用になるレベルにはほど遠く、現在これらの問題を解決している歯科用デジタルカメラは存在しない。
【０１９２】
次に機械装置の制御システムの課題について述べる。
ところで、上記のシステムを通常の手法によって実現すると、中央の情報処理装置で別種の動作モード情報、動作機能、動作データ等を用意しておくか、或いは、器械装置の中に予め別種の動作モード情報、動作機能、動作データを埋め込んでおき、ユーザーが必要に応じて情報処理装置から動作モード情報等を伴う制御情報の提供を受けるか、動作モード情報等の選択切替のための制御情報の提供を受けるか、何れかの構成が常套手段として考えられる。
【０１９３】
しかし、このようなシステムを構築しても、単にＩＤやパスワードの提示のみで制御情報等を提供したのでは、ＩＤ等の不正取得による冒用行為によってシステムの適切な運用が妨げられる危険性が高い。
【０１９４】
本発明は、このような課題に着目してなされたものであって、器械装置の動作モード情報、動作機能、動作データなどの内部状態を適正な要求者にのみ不正なくカスタマイズすることを可能とする器械装置の制御システム・方法を提供しようとするものである。
【０１９５】
従来の歯科用カメラや測色器などは、通常販売されている機器に、歯科口腔測色写真システムや、歯科口腔測色写真システム、歯科写真撮影システムなどを、設定して販売されている。
【０１９６】
しかし、汎用製品比べ、生産数が少ないことから、手作業での生産や生産数量の管理が非常に煩雑であった。
【課題を解決するための手段】
【０１９７】
まず歯科口腔測色写真システムの手段について述べる。
【０１９８】
本発明は、上記の課題を解決するために、次のような手段を講じたものである。
【０１９９】
先ず、歯科口腔測色写真システムの操作性の向上の手段について述べる。
【０２００】
データ管理の便等のためには、歯科口腔撮影用プログラム部分が、少なくともプログラム記憶部を備えかつ撮影データ記憶部をそなえるかまたは術者により組み込まれるか接続された情報処理装置のプログラム記憶部に、読み込まれるかまたはあらかじめ内蔵されることにより、デジタルカメラによる歯科口腔撮影に必要な機能の少なくとも一部を担う撮影補助手段または撮影管理手段が構築されるものであって、撮影補助手段は、少なくとも撮影に関するデータである撮影属性データを設定および／または選択するための撮影属性データ設定選択手段を備え、撮影管理手段は、撮影画像データと撮影属性データを関連付けて撮影データ記憶部に記憶させる撮影データ記憶管理手段およびこれらを関連付け整理された形式で出力する撮影データ出力手段の何れかを備える構成が有効である。
【０２０１】
操作性の向上を目的として一般のデジタルカメラの洗練された操作性技術を歯科口腔測色写真システムとして活用するのは有効である。
【０２０２】
このために、プログラム記憶部は、歯科以外の撮影時に動作する非歯科撮影用プログラム部分と、どの様な撮影時でも共通に動作する基本撮影プログラム部分を内蔵し、かつ歯科口腔撮影用プログラム部分を内蔵するか読み込み可能であり、デジタルカメラは、非歯科撮影用プログラム部分と基本撮影プログラム部分が動作している非歯科撮影状態と、歯科口腔撮影用プログラム部分と基本撮影プログラム部分が動作している歯科口腔撮影状態のいずれかで動作するようにしておくことが望ましい。
【０２０３】
また、起動時に歯科口腔撮影状態で動作するとともに、歯科口腔撮影状態から非歯科撮影状態に移行するための状態分岐手段を撮影補助手段に備えるようにしておくことが歯科目的により適合し得る。
【０２０４】
また、操作性向上等のためには、デジタルカメラに内蔵された情報処理装置と、デジタルカメラの外部に設置された情報処理装置とが、通信手段を介して接続されるか、記録メディアを介して間接的に接続され、共動するようにしておくことが有効となる。
【０２０５】
撮影画像の取り扱いの便を向上させるためには、撮影管理手段は、撮影データ記憶管理手段において撮影画像データを撮影属性データに基づき、階層的に追加、分類、整理、管理、表示可能な形式で撮影データ記憶管理手段に記憶し、または撮影データ出力手段において撮影画像データを撮影属性データに基づき、階層的に追加、分類、整理、管理、表示可能な形式で出力するものであることが望ましい。
【０２０６】
撮影画像の識別のためには、撮影画像データファイルに歯科口腔撮影における撮影属性データを付加するか、または撮影属性データファイルの特定情報を付加することが有効である。
【０２０７】
撮影画像を撮影画像ファイルとして術者自身が扱ったり、術者が技工所や患者と撮影画像データをやりとりするための操作性の向上策として、撮影データ記憶管理手段は、撮影属性データと撮影画像データを同一ファイルに記憶させるか、または撮影属性データと撮影画像データを互いに対応する別々のファイルに記憶させ、さらに少なくともどちらかのファイルに対応ファイル特定情報を記憶させることにより、または撮影属性データや撮影画像データに加えて、これら特定の撮影画像および撮影属性データを閲覧するための閲覧ソフトウェアをこれらのファイルに内蔵させるかまたは別のファイルとして生成することにより撮影画像データおよび撮影属性データまたは閲覧ソフトウェアを撮影データ記憶部に記録・保存することが有効である。
【０２０８】
さらに、撮影画像データの一部を撮影属性データにより、画像閲覧の際に撮影属性データが明示される様に、または画像閲覧の際に撮影属性データの存在が隠匿される様に、またはさらに目視によっては画像改変が確認できぬ様に隠匿され、またはさらに撮影属性データを暗号化して、置きかえることにより、またはこれに加えて閲覧ソフトウェアプログラムにより隠匿または暗号化して置きかえることにより、歯科口腔撮影における撮影属性データまたは閲覧ソフトウェアを一般的なまたは専用の画像データファイルの形式で記録するか、または表示または印刷された画像を目視または再度光学的手段により撮影または読み取った際に撮影属性データおよび閲覧ソフトウェアも同時に読み取られ、解読可能ならしめることで、歯科口腔撮影画像はその撮影属性データまたは閲覧ソフトウェアを含めて一般の画像と同等に扱うことができまた、本歯科口腔測色写真システムによって、いつでも撮影画像および撮影属性データを再現活用・改変活用・編集活用可能であり、さらに本歯科口腔写真システムの閲覧ソフトウェアによって一般に普及しているコンピュータシステムでいつでも撮影画像および撮影属性データを再現閲覧可能とすることが出来る。
【０２０９】
撮影の平易化等のためには、撮影属性データの一部を術者支援データとして表示または音声により術者に報知出力する術者支援手段が、撮影補助手段内部に備えられていることが望ましい。
【０２１０】
具体的態様としては、撮影手順中の個々の撮影を歯科口腔写真撮影ステップとし、術者支援手段が、術者支援データに基づきあらかじめ決められた手順に従って報知する出力をなすようにしたものが挙げられる。
【０２１１】
撮影画像の識別容易性等の観点からすれば、撮影手順中の個々の撮影を歯科口腔写真撮影ステップとし、歯科口腔写真撮影において患者の顔写真または患者を特定する情報を含む書類または物品または事物の撮影又はこれに関する音声報知を歯科口腔写真撮影ステップとすることにより患者を区別または特定し、撮影属性データとすることが好ましい。
【０２１２】
この場合、情報処理装置に内蔵または接続されたプリンタまたは表示装置または投影装置により患者を特定する情報または書類または物品を含む事物を作成表示し、歯科口腔写真撮影ステップにおいてこの事物の撮影またはこれに関する音声報知を行うことにより患者を区別または特定し、撮影属性データとすることもできる。
【０２１３】
撮影画像の識別容易性等の観点からすれば、撮影属性データが、あらかじめ既定または設定または自動更新されて撮影時に変更されない既定撮影属性データと、術者より選択入力またはデータ入力される術者入力撮影属性データと、情報処理装置の外部から内部へ撮影時に導入されるか以前の撮影時から保持している既得撮影属性データの少なくとも１種類以上のデータより構成されていてもよい。
【０２１４】
撮影属性データ設定選択手段の構成としては、既得撮影属性データを導入する既得撮影属性データ入力手段と、術者入力撮影属性データを術者より入力する操作入力部の少なくとも１種類以上の入力部を備えているものが挙げられる。
【０２１５】
撮影画像の識別容易性等の観点からすれば、撮影属性データが、予め決められた規格に従って撮影を行う規格撮影に必要な既定撮影属性データまたは既に行った撮影と同一手順、条件で再度撮影を行う再現撮影に必要な既得撮影属性データであってもよい。
【０２１６】
既得撮影属性データとしては、既得の撮影画像データであってもよく、それを改変した画像データであってもよい。
【０２１７】
術者支援データおよび術者支援手段の具体的な態様としては、以下のようなものが挙げられる。術者支援データが、あらかじめ決められた歯牙または歯列または顔貌を、あらかじめ決められた距離・方向・配置角度で規格撮影するためのものであり、術者支援手段が、前記術者支援データに基づいて特定の規格撮影の中の１以上の歯科口腔写真撮影ステップを順次術者に報知するための出力をなすものが挙げられる。
【０２１８】
あるいは、術者支援データが、同一患者における治療過程の同一歯牙または歯列または顔貌を同一距離・方向・配置角度で再現撮影するためのものであり、術者支援手段が、前記撮影属性データおよび撮影データのうち、撮影画像、その輪郭、撮影対象、撮影条件、術者名の少なくとも何れかに基づいて特定の再現撮影の中の１以上の歯科口腔写真撮影ステップを順次術者に報知するための出力をなすものが挙げられる。
【０２１９】
あるいは、術者支援データが、術者によって選択され又は順番設定された歯牙または歯列または顔貌を、術者によって選択され又は順番設定された距離・方向・配置角度で撮影するためのものであり、術者支援手段が、前記術者支援データに基づいて特定の規格撮影の中の１以上の歯科口腔写真撮影ステップを順次術者に報知するための出力をなすものが挙げられる。
【０２２０】
あるいは、術者支援データが、同一患者における治療過程の同一歯牙または歯列または顔貌を同一距離・方向・配置角度で再現撮影するためのものであり、術者支援手段が、前記撮影属性データおよび撮影データのうち、撮影画像、その輪郭、撮影対象、撮影条件、術者名の少なくとも何れかに基づいて特定の再現撮影の中の１以上の歯科口腔写真撮影ステップを順次術者に選択させ又は順番設定させるための出力をなすものが挙げられる。
【０２２１】
撮影属性データと撮影補助手段の具体的な態様としては、以下のようなものが挙げられる。
【０２２２】
撮影属性データが、あらかじめ決められた歯牙または歯列または顔貌を、あらかじめ決められた距離・方向・配置角度で規格撮影するためのものであり、撮影補助手段が、撮影属性データ設定選択手段を通じ特定の規格撮影の中の歯科口腔写真撮影ステップにおいて何れの撮影属性データを選択するかを術者に求めるものが挙げられる。
【０２２３】
あるいは、撮影属性データが、同一患者における治療過程の同一歯牙または歯列または顔貌を同一距離・方向・配置角度で再現撮影するためのものであり、撮影補助手段が、撮影属性データ設定選択手段を通じ特定の再現撮影の中の歯科口腔写真撮影ステップにおいていずれの撮影属性データを選択するかを術者に求めるものが挙げられる。
【０２２４】
術者支援手段の具体的な実施の態様としては、カメラの構成要素であるファインダー又はモニターの少なくとも一方に照準を表示する機能をも備えるものであり、その照準が、歯科口腔写真撮影ステップに応じ術者支援データに基づいて変化するものが挙げられる。
【０２２５】
再現撮影の場合、操作容易性の観点からすれば、照準が、既得撮影属性データの輪郭情報とするのが好ましい。
【０２２６】
的確な支援のためには、術者支援データは、該当する規格撮影または再現撮影に応じて、術者にカメラの適正方向を報知するためのものが望ましい。
【０２２７】
複数の患者から連続して複数の撮影画像を取得する場合には、撮影属性データの一部に、特定の患者の撮影画像データを構成する歯科口腔写真撮影ステップの最初または最後または特定の場所において最初または最後または特定の場所であることを示すマーク情報を用いることが有効である。
【０２２８】
診療開始前または最終診療後の撮影画像であるか否か、あるいは特定の診療途中の段階の撮影画像かどうか、つまりそれらが改変されていないかどうかを容易に識別可能とするためには、撮影属性データの一部に、撮影した画像がオリジナルであるか改変されたかどうかを示す画像改変識別情報を用いることが有効である。
【０２２９】
撮影属性データはあらかじめ決まったものに限らず、患者にユニークな撮影対象データ、それ以外の撮影条件データ、術者データの少なくとも一部を予め初期設定し、術者に変更選択のための出力をなした上で、撮影属性データ設定選択手段による入力を受け付けるものであってもよい。
【０２３０】
撮影属性データ設定選択手段が少なくとも音声入力または操作入力を受け付けるものである場合には、撮影属性データに、患者名または患者に対応する番号または符号またはパターンまたは既に同一患者から取得した撮影画像データの何れかを含めておけばよい。
【０２３１】
撮影画像をセンターで一括管理するような場合、あるいは取引先の技工所別に管理したり、あるいは逆に技工所で複数の歯科医院の画像を管理するには、撮影属性データの一部に、撮影歯科医院または歯科技工所に関するデータを含めておくことが便利である。
【０２３２】
口腔撮影には鏡を使った撮影が効率的であるが、この場合、錯誤を避けるためには、撮影属性データに、鏡を使った撮影であるか否かの情報を含め、鏡を使った撮影であるか否かの操作入力または検出入力のための手段を持ち、鏡を使った撮影の場合に画像を上下または左右反転して表示・出力することが好ましい。
【０２３３】
さらにミラーを介した撮影において、口腔内を広角に撮影するためには、当該ミラーに凹面鏡を用いるとともに、歯科口腔撮影用プログラム部分を情報処理装置に読み込むことにより演算手段を構成して、前記ミラーを介して被写体を撮影した際の撮影データを前記演算手段を介して平面データに展開するようにしておくことが効果的である。
【０２３４】
次に、歯科口腔測色写真システムの操作性の向上と色再現性の向上を同時に実現するための手段について述べる。以下は術者の操作の良し悪しが色再現性に影響する様な項目であり、操作性を向上することで色再現性の向上も同時に実現するものである。
【０２３５】
色補正や撮影し直し等を考えた場合、撮影管理手段は、撮影データ記憶管理手段において撮影画像データを撮影属性データに基づき、補正または改変可能な形式で撮影データ記憶管理手段に記憶し、または撮影データ出力手段において撮影画像データを撮影属性データに基づき、補正または改変可能な形式で出力するものであることが望ましい。
【０２３６】
被写体からの入射光量と露出時間が被写体の画像上の明度を中心とする色再現性を決定付ける。フラッシュ撮影の場合、被写体からの入射光量はフラッシュと被写体までの距離およびカメラと被写体までの距離によって決定付けられる。
【０２３７】
したがってフラッシュがカメラに固定される撮影の場合に、歯科口腔撮影用プログラム部分が少なくともプログラム記憶部と撮影データ記憶部を備え照明システムが接続された情報処理装置に読み込まれるかまたはあらかじめ内蔵されることにより、前記照明を制御する照明制御手段を構成して、この照明制御手段に、被写体表面までの距離に応じて撮影のための照明の光量を調節する機能を備えておくことが望ましい。
【０２３８】
あるいは、被写体表面までの距離を測定する距離測定部と距離に応じた照明光量を出力する照明光量制御部を照明システム側に内蔵しておいてもよい。
【０２３９】
ミラー撮影をすると被写体までの距離が遠くなるため、この場合は前記照明制御手段が、ミラーを介した撮影に対応して撮影のための照明の光量を補正する機能を備えておくことが望ましい。
【０２４０】
歯の表面の直接反射光はフラッシュの光源の形状を歯の表面に映しこんでしまう。この様な悪影響を排除するためには、撮影のための照明から被写体表面までの距離を変えず、照明光の被写体への入射角度を可変としておくことが望ましい。
【０２４１】
照明位置を適切に選択可能とするためには、撮影のための照明が光ファイバによりガイドされることが望ましく、特に光ファイバの投光部の位置および／または方向が可変であることが望ましい。
【０２４２】
適切な照明を実現するためには、光ファイバによるガイドに非撮影時に照明光を通すか、光ファイバによるガイドの投光部に光ファイバの投光方向と同一の方向に非撮影時に投光すべく、第２の投光手段を備えておくことが有効となる。
【０２４３】
次に、歯科口腔測色写真システムの色再現性の向上を実現するための手段について述べる。
【０２４４】
撮影画像の色再現性を向上するためには、歯科口腔撮影用プログラム部分が、少なくともプログラム記憶部を備えかつ撮影データ記憶部をそなえるかまたは術者により組み込まれるか接続された情報処理装置のプログラム記憶部に、読み込まれるかまたはあらかじめ内蔵されることにより、デジタルカメラによる歯科口腔撮影に必要な機能の少なくとも一部を担う撮影補助手段または撮影管理手段が構築されるものであって、撮影補助手段は、少なくとも撮影に関するデータである撮影属性データを設定および／または選択するための撮影属性データ設定選択手段を備え、撮影管理手段は、デジタルカメラが出力する撮影画像の色を補正する色補正支援手段を含む撮影画像処理手段を備えるようにしておくことが有効である。
【０２４５】
色補正支援手段を適切に機能させるためには、歯科用測色計または歯科用色標識による測色結果または歯科用色判定票に示された測色結果を入力し、撮影属性データとして用いることが好ましい。
【０２４６】
色再現をより正確に行なうためには、歯肉の色再現または色表現を重視するか、天然歯の色再現または色表現を重視するか、補綴物の色再現または色表現を重視するかを切り替え可能として、何れを重視したかを撮影属性データとして扱う機能を備えておくことが望ましい。
【０２４７】
次に歯科口腔測色システムの色表現を正確で解りやすくするための手段について述べる。
【０２４８】
色判定のための客観的で解りやすいデータを提供するためには、歯科用測色計、歯科用色標識、色判定票の少なくとも何れかを備え、これらにより、３次元の表色系において表した人間の天然歯または歯肉の色の立体分布形状に応じてその中心を基準とし、分布の長さ方向（シェード方向とする）および幅方向および（バリュー方向とする）および奥行き方向（ヒュー方向またはヒュー位相角とする）に目盛を配置し、あるいはさらに人間の色差感覚に比例した目盛間隔を設定した人間天然歯表色系による歯または補綴物または歯肉の色表現を備えておくことが好ましい。
【０２４９】
歯科用色標識または色判定票の具体的な実施の態様としては、該人間天然歯表色系の彩度方向、色の鮮やかさ方向、色合い方向の少なくともいずれかの代表的な位置に相当する単数または複数の色票を備え、色票はその位置を示す表示を備えているものが挙げられる。
【０２５０】
色補正または色表現に資する有効な手法としては、次のようなものが挙げられる。
【０２５１】
歯科用色標識を同時に撮影した場合に、歯科用色標識の色を再現することにより、被写体の画像の色を３次元的に表現または補正再現する手法が挙げられる。あるいは、色標識または、異なる３色以上色の色票を単独または患者の被写体と同時撮影後の撮影において、歯科用色標識または歯科用色票を撮影することなく撮影した被写体の色を３次元的に表現または補正再現する手法が挙げられる。
【０２５２】
あるいは、測色計で測色した撮影対象の歯牙の測色データにより、撮影した画像の色を３次元的に表現または補正再現する手法が挙げられる。
【０２５３】
あるいは、色標識または異なる３色以上色の色票を撮影し、その撮影画像を表示したモニタ画面または印刷した印刷物上に再現された色標識または色票を再度撮影することにより、その後の撮影において、被写体の色を３次元的に表現するか、被写体の色を補正再現する手法が挙げられる。
【０２５４】
情報処理装置間で撮影画像の転送を行なった際に、転送先で的確な色補正を可能とするためには、色標識または異なる３色以上の色票の撮影によって得たデータ、または照明、カメラ、プリンタ、モニタのうち少なくとも一つの色特性データを異なる情報処理装置に有線、無線、情報メディア、書類のいずれかを介して送付することが有効である。
【０２５５】
治療過程を患者等に明示できるようにするためには、治療の過程で患者の歯または歯肉の色の変化の過程を画像または定型の印刷物上で再現するか、または人間天然歯表色系で表示することが効果的である。これは、通信先のパーソナルコンピュータ画面上に再現してもよい。
【０２５６】
目視では同じ色に見えてもカメラで撮ると異なった色になる場合に対処する構成としては、紫外領域または赤外領域をカットするフィルタを備えておくことが好ましい。
【０２５７】
反射光の影響を排除し、う蝕の発見や歯の内部構造の観察にも役立つ構成としては、カメラによる撮影において、照明の方向から偏光板を介して撮影光を照射するか、レンズの手前に偏光板を介して撮影を行なうか少なくともいずれかの偏光板を有することが好ましい。
【０２５８】
あるいは、少なくともひとつの偏光板が回転可能であり、フラッシュ光または撮影光の中心軸まわりに０度から９０度の範囲の角度位置に設定できるような構成も効果的である。
【０２５９】
歯科口腔測色写真システムの色再現性の向上の特殊な目的として、一般的な目視可能な色を拡張し、目視不可能な物理的な色領域である赤外または紫外領域での色再現性の向上の手段として、う蝕の発見にも役立つ撮影も可能であり、このためには赤外領域または紫外領域を照明光に含むか、可視光領域をカットするフィルタを備えておくことが好ましい。
【０２６０】
歯科口腔測色写真システムの操作性の向上のためのさらなる手段として以下に述べる。
【０２６１】
本発明は情報処理装置に歯科口腔撮影用プログラム部分を有する歯科口腔測色写真システムであって、歯科口腔撮影用プログラム部分に撮影補助手段および／または撮影管理手段を有し、撮影補助手段は撮影属性データを設定および／または選択するための撮影属性データ設定選択手段を有し、撮影管理手段は撮影画像データと撮影属性データを関連付けて記憶させる撮影データ記憶管理手段、または撮影画像データと撮影属性データを関連付けた形式で出力する撮影データ出力手段、を有することを特徴とする歯科口腔測色写真システムである。
【０２６２】
歯科口腔撮影用プログラム部分が、少なくともプログラム記憶部を備えかつ撮影データ記憶部をそなえるかまたは術者により組み込まれるか接続された情報処理装置のプログラム記憶部に、読み込まれるかまたはあらかじめ内蔵されることにより、撮影補助手段または撮影管理手段が構築されるものであって、撮影補助手段は、少なくとも撮影に関するデータである撮影属性データを設定および／または選択するための撮影属性データ設定選択手段を備え、撮影管理手段は、撮影画像データと撮影属性データを関連付けて撮影データ記憶部に記憶させる撮影データ記憶管理手段またはこれらを関連付け可能な形式で出力する撮影データ出力手段の何れかを備えることを特徴とする歯科口腔測色写真システムである対応も好ましい。
【０２６３】
情報処理装置は歯科口腔撮影用プログラム部分を有するプログラム記憶部を備えるかまたは撮影データ記憶部をそなえるかまたは術者により組み込まれるか接続されていることが好ましい。
【０２６４】
撮影データ記憶部は、撮影画像データと撮影属性データが記憶される。
【０２６５】
プログラム記憶部には、プログラム部分（歯科口腔撮影用プログラム部分）を有することが好ましい。
【０２６６】
プログラム部分には、歯科口腔撮影用プログラムを含むものである。
【０２６７】
撮影補助手段または撮影管理手段は、情報処理装置のプログラム記憶部に、読み込まれるかまたはあらかじめ内蔵されていることが好ましい。
【０２６８】
撮影属性データは撮影に関するデータであることが好ましい。
【０２６９】
撮影属性データ設定選択手段は撮影補助手段中に有することが好ましい。
【０２７０】
撮影データ出力手段は撮影管理手段中に有することが好ましい。
【０２７１】
撮影属性データには、すくなくとも被写体に属する情報である名前や部位情報を含むことが好ましい。更に、被写体の分類情報であることが好ましい。
【０２７２】
関連付けた形式とは、階層的に追加、分類、整理、管理、表示することである。
【０２７３】
本発明はプログラム部分は歯科以外の撮影時に好適に動作する非歯科撮影用プログラム部分とどの様な撮影時でも共通に動作する基本撮影プログラム部分と歯科口腔撮影用プログラム部分を有し、非歯科撮影用プログラム部分と基本撮影プログラム部分が動作している非歯科撮影状態または、歯科口腔撮影用プログラム部分と基本撮影プログラム部分が動作している歯科口腔撮影状態のいずれかを選択できる歯科口腔測色写真システムである。
【０２７４】
プログラム記憶部が、歯科以外の撮影時に好適に動作する非歯科撮影用プログラム部分と、どの様な撮影時でも共通に動作する基本撮影プログラム部分を内蔵し、かつ歯科口腔撮影用プログラム部分を内蔵するか読み込み可能であり、デジタルカメラは、非歯科撮影用プログラム部分と基本撮影プログラム部分が動作している非歯科撮影状態と、歯科口腔撮影用プログラム部分と基本撮影プログラム部分が動作している歯科口腔撮影状態のいずれかで動作する歯科口腔測色写真システムである対応も好ましい。
【０２７５】
プログラム部分は歯科以外の撮影時に好適に動作する非歯科撮影用プログラム部分とどの様な撮影時でも共通に動作する基本撮影プログラム部分と歯科口腔撮影用プログラム部分で構成されていることが好ましい。
【０２７６】
基本撮影プログラム部分は、カメラ撮影時において、カメラ本体の機構部分を作動させるために用いられるプログラム部分を含むことが好ましい。
【０２７７】
非歯科撮影用プログラム部分は、汎用撮影用に設計されたプログラム部分のことである。
歯科口腔撮影用プログラム部分は、歯科口腔撮影用に設計されたプログラム部分のことである。
【０２７８】
本発明は報処理装置がデジタルカメラに内蔵されて動作するか、またはデジタルカメラの外部に設置されて動作するか、またはデジタルカメラに内蔵された情報処理装置とデジタルカメラの外部に設置された情報処理装置が通信手段を介して共動することを特徴とする歯科口腔測色写真システムである。
【０２７９】
情報処理装置が、デジタルカメラに内蔵されて動作するか、デジタルカメラの外部に設置されて動作するか、デジタルカメラに内蔵された情報処理装置とデジタルカメラの外部に設置された情報処理装置が通信手段を介して接続されるか記録メディアを介して間接的に接続され共動するかのいずれかで動作することを特徴とする歯科口腔測色写真システムであることも好ましい。
通信手段とは、無線、有線で接続されることにより情報がやりとりされる通信手段と、記録メディアが術者等により運搬されることにより情報がやりとりされる通信手段も含む。
【０２８０】
起動時に歯科口腔撮影状態で動作するとともに、歯科口腔撮影状態から非歯科撮影状態に移行するための状態分岐手段を撮影補助手段に備えるようにした歯科口腔測色写真システムである対応も好ましい。
【０２８１】
本発明は起動時に歯科口腔撮影状態で動作することが好ましい。
【０２８２】
本発明は歯科口腔撮影状態から非歯科撮影状態に移行するための状態分岐手段を有することが好ましい。
【０２８３】
本発明は撮影属性データが撮影画像の補正改変情報であることを特徴とする歯科口腔測色写真システムである。
【０２８４】
撮影管理手段が、撮影画像データを、補正または改変可能な形式で撮影属性データと関連付け、撮影データ記憶管理手段が、撮影画像データを補正または改変可能な形式で撮影属性データとともに撮影データ記憶部に記憶するかまたは、撮影データ出力手段が、撮影画像データを補正または改変可能な形式で撮影属性データとともに出力する歯科口腔測色写真システムであることが好ましい。
【０２８５】
補正改変情報とは、補正改変されていない情報や治療シミュレーション情報、改ざん情報、被写体の色を再現する色補正等を含む情報である。
【０２８６】
本発明は撮影属性データが被写体の分類情報であり、撮影管理手段が撮影画像データを撮影属性データにより階層的に分類および整理および管理し、表示または出力することを特徴とする歯科口腔測色写真システムである。
【０２８７】
撮影管理手段が、撮影画像データを、階層的に追加、分類、整理、管理、表示可能な形式で撮影属性データと関連付け、撮影データ記憶管理手段が、撮影画像データを階層的に追加、分類、整理、管理、表示可能な形式で撮影属性データとともに撮影データ記憶部に記憶するかまたは、撮影データ出力手段が、撮影画像データを階層的に追加、分類、整理、管理、表示可能な形式で撮影属性データとともに出力する歯科口腔測色写真システムである対応も好ましい。
【０２８８】
撮影画像データが未整理の撮影画像データであることが好ましい。
【０２８９】
階層的に分類、整理および管理において、追加および削除作業を含むことができる。
【０２９０】
被写体の分類情報とは、患者名、撮影部位であることが好ましい。撮影日が撮影属性データの場合、撮影日の分類が従来のデジタルカメラでなされているが、撮影日および術者および医院名および技工所名は撮影画像データの分類情報であるが、被写体の分類情報ではない。
【０２９１】
階層的に分類および整理および管理するとは、撮影画像データまたは撮影属性データを含むＯＳ管理ファイルを撮影属性データで分類したＯＳ管理フォルダに保存すること、または撮影画像データまたは撮影属性データを複数のキーとして分類可能なデータベースに保存することが好ましい。分類のキーとなる撮影属性データは下位階層から歯科口腔写真撮影ステップの種類の少なくとも1つ、撮影日、患者名、医院名または技工所名であることが好ましい。また分類とはソート作業を含む。
【０２９２】
歯科口腔写真撮影ステップの種類とは、歯科口腔写真撮影における個々の写真撮影の種類のことで、例えば７枚法の規格撮影による上顎右頬側、上顎咬合面ミラー撮影、上顎左頬側、下顎右頬側、下顎咬合面ミラー撮影、下顎頬側、上下顎前歯の撮影や患者の顔写真撮影、自由な部位を自由な構図で撮影するフリ−撮影、患者を特定するためのバーコードの撮影等の種類のことをいう。
【０２９３】
階層的に分類および整理し出力するとは、撮影画像データまたは撮影属性データが階層的に分類および整理されて印刷または表示されるべくプリンタ等の表示装置に送られることである。
【０２９４】
階層的に分類および整理し表示するとは、撮影画像データまたは撮影属性データが階層的に分類および整理されて印刷または表示されることである。個々の表示は、最下位階層の撮影画像データまたは撮影属性データであっても、中位以上階層以下の撮影画像データまたは撮影属性データであっても良い。
【０２９５】
未整理の撮影画像データとは、被写体の分類情報の撮影属性データに関連付けられてはいるが、階層的に分類および整理および管理、出力または表示されていない撮影画像データをいう。
【０２９６】
本発明は、撮影画像データと撮影属性データを関連付けて記憶させる方法として、撮影属性データと撮影画像データを同一のファイルとして記憶させた結合ファイル、撮影属性データと撮影画像データを別々のファイルとし、どちらか１方のファイルにファイル関連付け情報と共に記憶させた関連付け情報付ファイル、撮影属性データと撮影画像データを別々のファイルとし、別のファイルにファイル関連付け情報を記憶させた関連付け情報ファイル、撮影属性データを撮影画像データの一部と明示して置換えて同一ファイルに記憶させた明示結合ファイル、撮影属性データを撮影画像データの一部と隠匿して置換えて同一ファイルに記憶させた隠匿結合ファイル、暗号化した撮影属性データを撮影画像データの一部と明示して置換えて同一ファイルに記憶させた暗号明示結合ファイル、暗号化した撮影属性データを撮影画像データの一部と隠匿して置換えて同一ファイルに記憶させた暗号隠匿結合ファイル、の内の少なくとも一つとして、保存されることを特徴とする歯科口腔測色写真システムである。
【０２９７】
撮影データ記憶管理手段が、撮影属性データと撮影画像データを同一ファイルに記憶させるか、または撮影属性データと撮影画像データを互いに対応する別々のファイルに記憶させ、さらに少なくともどちらかのファイルに対応ファイル特定情報を記憶させることにより、または撮影属性データや撮影画像データに加えて、これら特定の撮影画像および撮影属性データを閲覧するための閲覧ソフトウェアをこれらのファイルに内蔵させるかまたは別のファイルとして生成することにより撮影画像データおよび撮影属性データまたは閲覧ソフトウェアを撮影データ記憶部に記録・保存・出力する歯科口腔測色写真システムであることが好ましい。
【０２９８】
同一ファイルとは、情報処理装置により管理可能な形式の１個のファイルのことである。
【０２９９】
結合ファイルとは、撮影属性データと撮影画像データを同一のファイルとして記憶させたファイルのことである。
【０３００】
関連付け情報付ファイルとは、撮影属性データと撮影画像データを別々のファイルとし、どちらか１方のファイルにファイル関連付け情報と共に記憶させたファイルのことである。
【０３０１】
明示結合ファイルとは、撮影属性データを撮影画像データの一部と明示して置換えて同一ファイルに記憶させたファイルのことである。
【０３０２】
隠匿結合ファイルとは、撮影属性データを撮影画像データの一部と隠匿して置換えて同一ファイルに記憶させたファイルのことである。
【０３０３】
暗号明示結合ファイルとは、暗号化した撮影属性データを撮影画像データの一部と明示して置換えて同一ファイルに記憶させたファイルのことである。
【０３０４】
暗号隠匿結合ファイルとは、暗号化した撮影属性データを撮影画像データの一部と隠匿して置換えて同一ファイルに記憶させたファイルのことである。
【０３０５】
ファイル関連付け情報とは、２つ以上のファイルを関連付けるための情報で少なくともどちらかのファイルの存在場所とファイル名を含む。
【０３０６】
暗号化した撮影属性データとは、隠匿・明示とは無関係に当事者以外は意味不明に変更された撮影属性データである。
【０３０７】
明示とは、情報の存在が知れる状態であり、モニター表示や印刷物上で撮影属性データまたは撮影画像データが閲覧することができることである。
【０３０８】
隠匿とは、情報の存在が知れない状態であり、画像閲覧上変化がわからないように撮影属性データを埋め込むことである。
【０３０９】
同一ファイルに記憶の方法として、ＥｘｉｆＴＡＧ領域に付加することが好ましい。
【０３１０】
明示や隠匿された情報は暗号化されていてもよい。
【０３１１】
本発明は結合ファイル、明示結合ファイル、隠匿結合ファイル、暗号明示結合ファイルまたは暗号隠匿結合ファイルが閲覧するプログラム部分を有する閲覧プログラム付ファイルであることを特徴とする歯科口腔測色写真システムである。
【０３１２】
撮影画像データの一部を撮影属性データにより、画像閲覧の際に撮影属性データが明示される様に、または画像閲覧の際に撮影属性データの存在が隠匿される様に、またはさらに目視によっては画像改変が確認できぬ様に隠匿され、またはさらに撮影属性データを暗号化して、置きかえることにより、またはこれに加えて閲覧ソフトウェアプログラムにより隠匿または暗号化して置きかえることにより、歯科口腔撮影における撮影属性データまたは閲覧ソフトウェアを一般的なまたは専用の画像データファイルの形式で記録するか、または表示または印刷された画像を目視または再度光学的手段により撮影または読み取った際に撮影属性データおよび閲覧ソフトウェアも同時に読み取られ、解読可能ならしめる歯科口腔測色写真システムであることが好ましい。
【０３１３】
閲覧プログラム付ファイルとは、撮影画像データを撮影属性データにより階層的に分類および整理および管理し、表示するかまたは、撮影画像データとともに表示するプログラムを内蔵したファイルである。
【０３１４】
本発明は撮影補助手段内に撮影属性データを表示、報知、出力、入力する術者支援手段を有する歯科口腔測色写真システムである。
【０３１５】
撮影属性データの一部を術者支援データとして表示または音声により術者に報知出力する術者支援手段が、撮影補助手段内部に備えられている歯科口腔測色写真システムであることが好ましい。
【０３１６】
撮影属性データを報知出力する方法として、表示や音声の報知手段を含む。
【０３１７】
撮影属性データを報知出力するタイミングは、撮影に伴い撮影方法、撮影の設定等を支援する機能を有することが好ましい。
【０３１８】
撮影属性データを表示とは、撮影属性データを視覚的に報知することである。
【０３１９】
撮影属性データを報知とは、撮影属性データを術者に知らせることである。
【０３２０】
撮影属性データを出力とは、撮影属性データをモニタまたはプリンタまたは、別の情報処理装置またはコンピュータに転送することである。
【０３２１】
撮影属性データを入力とは、術者支援するための情報を入力することであり、好ましい情報として患者を特定する情報を含むことである。入力方法としては、選択入力、設定入力、データ入力、撮影画像から入力、スイッチ入力等があげられる。
【０３２２】
撮影属性データを報知の対応の一つとして、照準を表示する機能をファインダー又はモニター有し、歯科口腔写真撮影ステップの特定情報や撮影手順毎に適宜変更されることが好ましい。
【０３２３】
撮影属性データを報知の対応の一つとして、カメラの適正方向を報知する機能を有し、歯科口腔写真撮影ステップの特定情報や撮影手順毎に適宜変更されることが好ましい。
【０３２４】
撮影属性データを表示の対応の一つとして、輪郭情報をファインダー又はモニターに表示し、歯科口腔写真撮影ステップの特定情報や撮影手順毎に適宜変更されることが好ましい。
【０３２５】
術者支援手段が、カメラの構成要素であるファインダー又はモニターの少なくとも一方に照準を表示する機能を備えるものであり、その照準が、歯科口腔写真撮影ステップに応じ術者支援データに基づいて変化する歯科口腔測色写真システムであることが好ましい。
【０３２６】
照準が、既得撮影属性データの輪郭情報である歯科口腔測色写真システムであることが好ましい。
【０３２７】
規格撮影または再現撮影の術者支援データに応じて、術者にカメラの適正方向を報知する歯科口腔測色写真システムであることが好ましい。
【０３２８】
本発明は撮影属性データに歯科口腔写真撮影ステップの特定情報である歯科口腔写真撮影ステップ特定情報、歯科口腔写真撮影ステップの撮影手順である歯科口腔写真撮影ステップ撮影手順または、患者を特定する情報を有することを特徴とする歯科口腔測色写真システムである。
【０３２９】
撮影手順中の個々の撮影である歯科口腔写真撮影ステップの特定情報を撮影属性データとし、これを術者支援データとしてあらかじめ決められた手順に従って報知する歯科口腔測色写真システムであることが好ましい。
【０３３０】
歯科口腔写真撮影ステップ特定情報とは、規格撮影の種別、またはフリー撮影やバーコードの撮影等であることを示す情報であることが好ましい。
【０３３１】
歯科口腔写真撮影ステップ撮影手順とは、規格撮影やフリー撮影、バーコード撮影等の順番であることが好ましい。
【０３３２】
撮影手順とは単数または複数の歯科口腔写真ステップを支援する手順である。
【０３３３】
撮影属性データに歯科口腔写真撮影ステップの特定情報である歯科口腔写真撮影ステップ特定情報、歯科口腔写真撮影ステップの撮影手順である歯科口腔写真撮影ステップ撮影手順または、患者を特定する情報を有することを特徴とする歯科口腔測色写真システムにおいて、歯科口腔写真撮影ステップ特定情報または歯科口腔写真撮影ステップ撮影手順に従い報知することが好ましい。
【０３３４】
患者の顔または顔写真または患者を区別または特定する情報を含む書類または物品や映像または事物の画像データを患者を区別または特定するための撮影属性データとし、さらにこれらの撮影手順を歯科口腔写真撮影ステップとする歯科口腔測色写真システムであることが好ましい。
【０３３５】
歯科口腔写真撮影ステップの特定情報に用いる撮影属性データが、顔写真または患者を区別または特定する情報を含む画像データでることが好ましい。但し、画像データは書類または物品や映像または事物の画像であることを含むものである。区別または特定する情報にはバーコードの画像データを含むことが好ましい。
【０３３６】
情報処理装置により患者を特定する情報を患者の顔写真または書類または物品や映像または事物のデータとして作成し、これらデータを付与された事物の撮影手順を歯科口腔写真撮影ステップとする歯科口腔測色写真システムであることが好ましい。
【０３３７】
患者を特定する情報とは、患者の顔写真、書類、物品、映像または事物であって、好ましくはバーコード、カルテの番号、患者の特定情報の音声である。
【０３３８】
本発明は撮影属性データが、あらかじめ既定または設定または自動更新されて撮影時に変更されない既定撮影属性データと、術者より選択入力またはデータ入力される術者入力撮影属性データと、情報処理装置の外部から内部へ撮影時に導入されるか以前の撮影時から保持している既得撮影属性データの少なくとも１種類以上のデータより構成されている歯科口腔測色写真システムである。
【０３３９】
既定撮影属性データとは、あらかじめ既定または設定または自動更新されて撮影時に変更されない撮影属性データである。
【０３４０】
術者入力撮影属性データとは、術者より選択入力またはデータ入力されるデータのことである。
【０３４１】
既得撮影属性データとは、情報処理装置の外部から内部へ撮影時に導入されるか以前の撮影時から保持している撮影属性データである。
【０３４２】
撮影属性データ設定選択手段が、既得撮影属性データを導入する既得撮影属性データ入力手段および／または術者入力撮影属性データを入力する術者入力手段を含むことをと特徴とする歯科口腔測色写真システムであることが好ましい。
【０３４３】
撮影属性データ設定選択手段は、既得撮影属性データを導入する既得撮影属性データ入力手段と、術者入力撮影属性データを術者より入力する術者入力手段の少なくとも１種類以上の入力手段をハードウェア上またはソフトウェア上で備える歯科口腔測色写真システムであることが好ましい。
【０３４４】
既得撮影属性データ入力手段とは、術者が再現撮影選んだ場合に既得撮影データの一覧の表示、およびそれと連動した術者所望の既得撮影データを選択するためのセレクタスイッチであることが好ましい。
【０３４５】
術者入力手段とは、術者が術者入力撮影属性データの一覧の表示、およびそれと連動した術者所望の術者入力撮影属性データを選択または入力するためのセレクタスイッチであることが好ましい。
【０３４６】
セレクタスイッチとは上下左右４個の方向キーと選択キーの５個のスイッチより成り、複数のメニューが表示された場合に、方向キーによって選択スタンバイのメニュー項目が移動し、選択キーによりメニュー項目が選択されるのが好ましい。
【０３４７】
撮影属性データが、規格撮影に必要な既定撮影属性データまたは既に行った撮影と同一手順、条件で再度撮影を行う再現撮影に必要な既得撮影属性データである歯科口腔測色写真システムであることが好ましい。
【０３４８】
規格撮影はあらかじめ決められた歯牙または歯列または顔貌を、あらかじめ決められた距離・方向・配置角度等で撮影することである。
【０３４９】
再現撮影とは、同一患者における治療過程の同一歯牙または歯列または顔貌を同一距離・方向・配置角度で撮影することである。
【０３５０】
既得撮影属性データが既得の撮影画像データまたはそれを改変した画像データである歯科口腔測色写真システムであることが好ましい。
【０３５１】
本発明は歯科口腔写真撮影ステップが規格撮影または再現撮影であり、術者支援手段が歯科口腔写真撮影ステップ特定情報と歯科口腔写真撮影ステップ撮影手順を報知または選択または報知する歯科口腔測色写真システムである。
【０３５２】
歯科口腔写真撮影ステップが規格撮影または再現撮影であり、術者支援手段が歯科口腔写真撮影ステップ特定情報と歯科口腔写真撮影ステップ撮影手順を報知または選択または報知する歯科口腔測色写真システムであることが好ましい。
【０３５３】
撮影属性データが、規格撮影するためのものであり、術者支援手段が、撮影属性データに基づいて特定の規格撮影の中の１以上の歯科口腔写真撮影ステップを順次術者に報知するための出力をなす歯科口腔測色写真システムであることが好ましい。
【０３５４】
報知とは、選択の余地のない情報を表示または出力することである。
選択報知とは、選択する情報を表示または出力することであり、更にその情報により術者の選択や入力を受付けることである。
【０３５５】
撮影属性データが、再現撮影するためのものであり、術者支援手段が、再現撮影の中の１以上の歯科口腔写真撮影ステップを順次術者に報知するための出力をなす歯科口腔測色写真システムであることが好ましい。
【０３５６】
再現撮影とは、前記撮影属性データおよび撮影データのうち、撮影画像、その輪郭、撮影対象、撮影条件、術者名の少なくとも何れかに基づいて特定して撮影することである。
【０３５７】
撮影属性データが、規格撮影するためのものであり、撮影補助手段が、撮影属性データ設定選択手段を通じ特定の規格撮影の中の歯科口腔写真撮影ステップにおいて何れの撮影属性データを選択するかを術者に求める歯科口腔測色写真システムであることが好ましい。
【０３５８】
撮影属性データが、再現撮影するためのものであり、撮影補助手段が、撮影属性データ設定選択手段を通じ特定の再現撮影の中の歯科口腔写真撮影ステップにおいていずれの撮影属性データを選択するかを術者に求める歯科口腔測色写真システムであることが好ましい。
【０３５９】
撮影属性データが、術者によって選択され又は順番設定された歯牙または歯列または顔貌を、術者によって選択され又は順番設定された距離・方向・配置角度で撮影するためのものであり、術者支援手段が、撮影属性データに基づいて特定の規格撮影の中の１以上の歯科口腔写真撮影ステップを順次術者に報知するための出力をなす歯科口腔測色写真システムであることが好ましい。
【０３６０】
既定撮影属性データが、歯科医院名、技工所名、術者名、撮影手順、輪郭、輪郭を含む照準を術者が設定することができることが好ましい。
【０３６１】
撮影属性データが、特定の患者の撮影画像データを構成する歯科口腔写真撮影ステップの最初または最後または特定の場所において最初または最後または特定の場所であることを示すマーク情報である歯科口腔測色写真システムであることが好ましい。
【０３６２】
撮影属性データが、特定の患者の撮影画像データを構成する歯科口腔写真撮影ステップの最初または最後または特定の場所において最初または最後または特定の場所であることを示すマーク情報であることが好ましい。
【０３６３】
撮影属性データが、撮影した画像がオリジナルであるか改変されたことを示す画像改変識別情報である歯科口腔測色写真システムであることが好ましい。
【０３６４】
撮影属性データが、撮影した画像がオリジナルであるか改変されたことを示す画像改変識別情報であることが好ましい。
【０３６５】
撮影属性データ設定選択手段が少なくとも音声入力または操作入力を受け付けるものである場合において、撮影属性データが、患者名または患者に対応する番号または符号またはパターンまたは既に同一患者から取得した撮影画像データの何れかを含む歯科口腔測色写真システムであることが好ましい。
【０３６６】
撮影属性データが、撮影歯科医院または歯科技工所に関する術者データを含む歯科口腔測色写真システムであることが好ましい。
【０３６７】
撮影属性データが、鏡を使った撮影であるか否かの情報であり、鏡を使った撮影であるか否かの操作入力または検出入力のための手段を持ち、鏡を使った撮影の場合に画像を上下または左右反転する歯科口腔測色写真システムであることが好ましい。
【０３６８】
歯科口腔測色写真システムの操作性の向上と色再現性の向上を同時に実現するためのさらなる手段として以下に述べる。
【０３６９】
本発明は被写体表面までの距離に応じて照明の光量を調節する照明制御手段を有することを特徴とする歯科口腔測色写真システムである。
【０３７０】
被写体表面までの距離に応じて照明の光量を調節する照明制御手段を有することを特徴とする歯科口腔測色写真システムであることが好ましい。
【０３７１】
撮影のための照明から被写体表面までの距離に応じて照明の光量を調節することにより被写体からの露光量を制御する照明制御手段を有することを特徴とする歯科口腔測色写真システムであることが好ましい。
【０３７２】
照明制御手段は、被写体表面までの距離に応じて照明の光量を調節することにより被写体からの露光量を制御することが好ましい。
【０３７３】
被写体表面までの距離を測定する距離測定部と距離に応じた照明光量を出力する照明光量制御部を有することを特徴とする歯科口腔測色写真システムであることが好ましい。
【０３７４】
被写体表面までの距離を測定する距離測定部と距離に応じた照明光量を出力する照明光量制御部を照明システムに内蔵するかまたはデジタルカメラに内蔵したことを特徴とする歯科口腔測色写真システムであることが好ましい。
【０３７５】
被写体表面までの距離を測定する距離測定部と距離に応じた照明光量を出力する照明光量制御部が照明システムまたはデジタルカメラに内蔵することが好ましい。
【０３７６】
照明制御手段が、ミラーを介した撮影に対応して撮影のための照明の光量を補正する歯科口腔測色写真システムであることが好ましい。
【０３７７】
本発明は撮影のための照明から被写体表面までの距離を変えず、照明光の被写体への入射角度を可変とすることができる入射角度可変機構を有する歯科口腔測色写真システムである。
【０３７８】
撮影のための照明から被写体表面までの距離を変えず、照明光の被写体への入射角度を可変とすることができる入射角度可変機構を有する歯科口腔測色写真システムであることが好ましい。
【０３７９】
入射角度可変機構とは、被写体への入射角度を可変とすることができる機構のことである。
【０３８０】
撮影属性データが、凹面鏡に写った被写体を撮影する歯科口腔写真撮影ステップ特定情報と凹面の形状データである歯科口腔測色写真システムであることが好ましい。
【０３８１】
ミラーを介した撮影において、当該ミラーに凹面鏡を用いるとともに、歯科口腔撮影用プログラム部分を情報処理装置に読み込むことにより演算手段を構成して、前記ミラーを介して被写体を撮影した際の撮影データを前記演算手段を介して平面データに展開するようにしている歯科口腔測色写真システムであることが好ましい。
【０３８２】
凹面データ展開手段とは、凹面に射影された被写体の画像を平面に射影された被写体への画像に変換する手段である。
【０３８３】
光ファイバが、光ファイバの投光部の位置および／または方向が可変である歯科口腔測色写真システムであることが好ましい。
【０３８４】
本発明は撮影のための照明が光ファイバによりガイドされる歯科口腔測色写真システムである。
【０３８５】
光ファイバによるガイドに非撮影時に照明光を通すか、光ファイバによるガイドの投光部に光ファイバの投光方向と同一の方向に非撮影時に投光すべく、第２の投光手段を備えた歯科口腔測色写真システムであることが好ましい。
【０３８６】
投光手段は、光ファイバの投光部に有することが好ましい。
【０３８７】
次に、歯科口腔測色写真システムの色再現性の向上を実現するためのさらなる手段として以下に述べる。
【０３８８】
本発明は撮影光と被写体の間に偏光板を有し、レンズと被写体の間に偏光板を介することを特徴とする歯科口腔測色写真システムである。
【０３８９】
カメラによる撮影において、照明の方向から偏光板を介して撮影光を照射し且つ、レンズの手前に偏光板を介して撮影する歯科口腔測色写真システムであることが好ましい。
【０３９０】
少なくともひとつの偏光板が回転可能であり、フラッシュ光または撮影光の中心軸まわりに０度から９０度の範囲の角度位置に設定できる歯科口腔測色写真システムであることが好ましい。
【０３９１】
撮影光と被写体の間に偏光板またはレンズと被写体の間に偏光板が回転可能する歯科口腔測色写真システムであることが好ましい。
【０３９２】
本発明は情報処理装置に歯科口腔撮影用プログラム部分を有する歯科口腔測色写真システムであって、歯科口腔撮影用プログラム部分に撮影補助手段および／または撮影管理手段を有し、撮影補助手段は撮影属性データを設定および／または選択するための撮影属性データ設定選択手段を有し、撮影属性データが色補正情報を含み、撮影管理手段は出力する撮影画像の色を補正する色補正支援手段を含む撮影画像処理手段を有することを特徴とする歯科口腔測色写真システムである。
【０３９３】
歯科口腔撮影用プログラム部分が、少なくともプログラム記憶部を備えかつ撮影データ記憶部をそなえるかまたは術者により組み込まれるか接続された情報処理装置のプログラム記憶部に、読み込まれるかまたはあらかじめ内蔵されることにより、撮影補助手段または撮影管理手段が構築されるものであって、撮影補助手段は、少なくとも撮影に関するデータである撮影属性データを設定および／または選択するための撮影属性データ設定選択手段を備え、撮影管理手段は、デジタルカメラが出力する撮影画像の色を補正する色補正支援手段を含む撮影画像処理手段を備えることを特徴とする歯科口腔測色写真システムであることが好ましい。
【０３９４】
撮影画像はデジタルカメラから出力されることが好ましい。
【０３９５】
色補正情報とは、歯科用色彩計、歯科用色標識による色情報である。
【０３９６】
色補正支援手段とは、色補正に際して術者を支援する手段である。
【０３９７】
色補正支援手段が、歯科用測色計または歯科用色標識または歯科用色判定票を入力し、撮影属性データとする歯科口腔測色写真システムであることが好ましい。
【０３９８】
色補正方式情報を、歯肉の色再現または色表現、天然歯の色再現または色表現または、補綴物の色再現から切り替えることができる。
【０３９９】
歯肉の色表現を重視するか、天然歯の色表現を重視するか、補綴物の色表現を重視するかを切り替え可能であって、何れを重視したかを撮影属性データとして扱う機能を備える歯科口腔測色写真システムであることが好ましい。これは撮影属性データを利用して操作性の向上ももたらすものである。
【０４００】
歯科用色標識または歯科用色票または歯科用色見本または歯科用色形状見本を撮影することにより、ホワイトバランスを調整するかまたは、撮影光量を調整する。この歯科用色形状見本に歯科用のシェードガイドを使用し、撮影時の画像の明るさを調整することは好ましい。
【０４０１】
フラッシュの種類、位置および角度、クローズアップレンズの有無、NDフィルタの有無、拡散板等のフラッシュ光を変化させる部材の有無に応じてフラッシュ光量を調整する。この調整は、事前にそれぞれ撮影画像の明るさパラメータ（フラッシュ光量、絞り、シャッター速度、撮影感度等）の調整を切り替え操作によっておこなうことはさらに好ましい。
【０４０２】
半透明または拡散する部材をフラッシュ発光部の前に装着することにより、フラッシュ光量を減光することにより、NDフィルタを装着しなくても良く、NDフィルタの装着によって生じる顔全体撮影の場合のケラレを防止することは好ましい。これは、数本の歯牙を撮影するためのクローズアップレンズを装着した場合にそれを外すことなく、顔全体の撮影を行う場合に非常に好ましい。
【０４０３】
クローズアップレンズを使用し、少なくとも９０ｍｍ〜２００ｍｍのズーム焦点距離範囲、少なくとも１０ｍｍ〜１５０ｍｍの幅の被写体の撮影において自動焦点機能を用い、これ以外の場合において撮影を不能にするか、画像がボケることを報知することは好ましい。
【０４０４】
レンズ鏡筒に備えた螺子切りの直径よりも大きな直径の螺子切りを備え、螺子切りの直径を変換する直径変換アダプターを使用し、螺子切りの大きなクローズアップレンズおよび／またはNDフィルタおよび／またはフラッシュホルダー用のリングを使用するか、直径変換アダプターにより螺子切りの大きなクローズアップレンズおよび／またはNDフィルタおよび／またはフラッシュホルダー用のリングを挟むことにより、クローズアップレンズを装着したまま、顔全体をケラレることなく撮影可能にすることは好ましい。
【０４０５】
ミラー撮影時に、フラッシュ光量を増光することにより、ミラー撮影時に画像が暗くなることを防止することは好ましい。
【０４０６】
次に、色補正・色表現を正確で解りやすくするためのさらなる手段について述べる。
【０４０７】
本発明は区分表現および値表現が表現されていることを特徴とする歯科口腔測色システムである。
【０４０８】
歯科用測色計、歯科用色標識、色判定票の少なくとも何れかを備え、これらにより、３次元の表色系において表した人間の天然歯および／または歯肉の色の立体分布形状に応じてその中心を基準とし、分布の幅方向および／または彩度方向および長さ方向および／または色の鮮やかさ方向および奥行きおよび／または色合い方向に目盛を配置し、あるいはさらに人間の色差感覚に比例した目盛間隔を設定した人間天然歯表色系による歯および／または補綴物および／または歯肉の色表現を備えることを特徴とする歯科口腔測色システムであることが好ましい。
【０４０９】
区分表現とは、数値表現、グラフ表現、記号表現が例示される。
【０４１０】
値表現とは、数値表現、グラフ表現が例示される。
【０４１１】
区分表現および値表現が表現とは、区分表現および値表現の双方が表現されることである。
【０４１２】
歯科用色標識または色判定票が、該人間天然歯表色系の彩度方向、色の鮮やかさ方向、色合い方向の少なくともいずれかの代表的な位置に相当する単数または複数の色票を備え、色票はその位置を示す表示を備えている歯科口腔測色システムであることが好ましい。
・歯科用測色計、歯科用色標識または色判定票に区分表現および値表現が表現されていることが好ましい。
【０４１３】
色判定票に、色判定結果を当該色判定票の中心からの距離の変位として表すかまたは、色票の誤差範囲を表示している歯科口腔測色システムであることが好ましい。
【０４１４】
歯科用色標識を同時に撮影した場合に、歯科用色標識の色を再現することにより、被写体の画像の色を被写体の色に近似再現補正および／または区分表現および値表現が表現されている色表現する歯科口腔測色システムであることが好ましい。
【０４１５】
測色計による測色結果を、該人間天然歯表色系での複数の代表的色または目盛に囲まれた領域の代表的色または歯科用色標識の代表的色と、その色からの変位で表すことを特徴とする歯科口腔測色システムであることが好ましい。
【０４１６】
代表的色とは従来より歯科で使用されている複数のシェードガイドの色や該人間天然歯表色系の３次元の目盛上の交点の色または３次元の目盛で囲まれた領域の中心の色であることが望ましい。
【０４１７】
測色計で測色した撮影対象の歯牙の測色データにより、撮影した画像の色補正を行なうかまたは撮影した画像の各部の色判定結果を表す歯科口腔測色写真システムであることが好ましい。
【０４１８】
色標識または、異なる３色以上色の色票を単独または患者の被写体と同時撮影後の撮影において、撮影した被写体の色を３次元的に表現または画像上再現する歯科口腔測色写真システムであることが好ましい。
【０４１９】
本発明は被写体、色標識または色票を撮影し、その撮影画像を再度撮影することにより、被写体の色を再現する測色写真システムである。
【０４２０】
色標識または異なる３色以上色の色票を撮影し、その撮影画像を表示したモニタ画面または印刷した印刷物上に再現された色標識または色票を再度撮影することにより、その後の撮影において、被写体の色を３次元的に表現するか、被写体の色を画像上再現する測色写真システムであることが好ましい。
【０４２１】
色票を撮影は色標識または異なる３色以上色の色票にて行うことが好ましい。
【０４２２】
撮影画像を再度撮影する方法として、その撮影画像を表示したモニタ画面または印刷した印刷物上に再現された色標識または色票を再度撮影することが好ましい。
【０４２３】
色再現方法として、被写体の色を３次元的に表現するか、被写体の色を画像上再現することが好ましい。
【０４２４】
表示物を撮影することにより、被写体の色を再現する測色写真システムであることが好ましい。
【０４２５】
色標識または異なる３色以上の色票の撮影によって得たデータ、または照明、カメラ、プリンタ、モニタのうち少なくとも一つの色特性データをコンピュータに有線、無線、情報メディア、書類のいずれかを介して送付する測色写真システムであることが好ましい。
【０４２６】
色特性データとは、色標識または色票の撮影によって得たデータ、または照明、カメラ、プリンタ、モニタのうち少なくとも一つまたはその組み合わせデータのことである。
色特性データを異なる情報処理装置に送付することが好ましい。
【０４２７】
コンピュータに送付する方法は有線、無線、情報メディア、書類のいずれかを介してすることが好ましい。
【０４２８】
表示物とは、印刷物やモニタへ表示された映像のことである。
【０４２９】
表示物とは、被写体の印刷や表示されたものである必要はない。
【０４３０】
コンピュータとは一般的なコンピュータおよび本発明の歯科口腔測色写真システムを内蔵するコンピュータのことである。
【０４３１】
治療の過程で患者の歯および／または歯肉の色の変化の過程を画像および／または定型の印刷物上で再現するか、および／または人間天然歯表色系で表示する歯科口腔測色写真システムであることが好ましい。
【０４３２】
つぎに、歯科口腔測色写真システムにおける赤外または紫外領域での色再現性の向上のさらなる手段について以下に述べる。
【０４３３】
本発明は紫外領域または赤外領域をカットするフィルタを備えた歯科口腔測色写真システムである。
【０４３４】
カメラによる撮影において、赤外領域または紫外領域を照明光に含むか、または紫外領域または可視光領域または赤外領域をカットするフィルタを備えた歯科口腔測色写真システムであることが好ましい。
【０４３５】
フィルタはレンズと被写体の間に存在することが重要である。
【０４３６】
フィルタは赤外領域をカットするものであることが好ましい。
【０４３７】
フィルタは可視光領域をカットするものである場合、齲蝕検知することができる。
【０４３８】
つぎに、歯科口腔測色写真システムにおける操作性向上のさらなる手段について以下に述べる。
【０４３９】
本発明は歯科口腔測色写真システムであって、情報処理装置に歯科口腔撮影用プログラム部分を有する歯科口腔測色写真システムであって、歯科口腔撮影用プログラム部分に撮影補助手段および／または撮影管理手段を有し、撮影補助手段は撮影属性データを設定および／または選択するための撮影属性データ設定選択手段を有し、撮影管理手段は撮影画像データと撮影属性データを関連付けて記憶させる撮影データ記憶管理手段、または撮影画像データと撮影属性データを関連付けた形式で出力する撮影データ出力手段、を有することを特徴とする歯科口腔測色写真プログラムである。
【０４４０】
本発明は歯科口腔測色写真システムであって、撮影属性データが被写体の分類情報であり、撮影管理手段が撮影画像データを撮影属性データにより階層的に分類および整理および管理し、表示または出力することを特徴とする歯科口腔測色写真プログラムである。
【０４４１】
本発明は歯科口腔測色写真システムであって、撮影画像データと撮影属性データを関連付けて記憶させる撮影データ記憶管理手段で、撮影属性データと撮影画像データを同一のファイルとして記憶させた結合ファイル、撮影属性データと撮影画像データを別々のファイルとし、どちらか１方のファイルにファイル関連付け情報と共に記憶させた関連付け情報付ファイル、撮影属性データと撮影画像データを別々のファイルとし、別のファイルにファイル関連付け情報を記憶させた関連付け情報ファイル、撮影属性データを撮影画像データの一部と明示して置換えて同一ファイルに記憶させた明示結合ファイル、撮影属性データを撮影画像データの一部と隠匿して置換えて同一ファイルに記憶させた隠匿結合ファイル、暗号化した撮影属性データを撮影画像データの一部と明示して置換えて同一ファイルに記憶させた暗号明示結合ファイル、暗号化した撮影属性データを撮影画像データの一部と隠匿して置換えて同一ファイルに記憶させた暗号隠匿結合ファイルの内の少なくとも一つとして、保存されることを特徴とする歯科口腔測色写真プログラムである。
【０４４２】
本発明は歯科口腔測色写真システムであって、撮影補助手段内に撮影属性データを表示、報知、出力、入力する術者支援手段を有する歯科口腔測色写真プログラムである。
【０４４３】
本発明は、被写体の撮影時において付与される撮影属性データによって、撮影された撮影画像データを整理することに特徴がある。よって、撮影属性データは歯科口腔写真撮影ステップの種類のみや撮影日のみ、仮に付けられた番号で整理することを含まないが、表示時等において、それらのデータを基に定まった表示場所等に表示させるで初めて発明をなす。
【０４４４】
撮影属性データは歯科口腔写真撮影ステップの種類の少なくとも1つ、撮影日、患者名を含むことが好ましい。
【０４４５】
次に、歯科口腔測色写真システムの色再現性の向上を実現するためのさらなる手段として以下に述べる。
【０４４６】
本発明は歯科口腔測色写真システムであって、情報処理装置に歯科口腔撮影用プログラム部分を有する歯科口腔測色写真システムであって、歯科口腔撮影用プログラム部分に撮影補助手段および／または撮影管理手段を有し、撮影補助手段は撮影属性データを設定および／または選択するための撮影属性データ設定選択手段を有し、撮影属性データが色補正情報を含み、撮影管理手段は出力する撮影画像の色を補正する色補正支援手段を含む撮影画像処理手段を有することを特徴とする歯科口腔測色写真プログラムである。
【０４４７】
本発明は歯科口腔測色写真システムであって、被写体、色標識または色票を撮影し、その撮影画像を再度撮影することにより、被写体の色を再現する測色写真プログラムである。
【０４４８】
次に、歯科口腔測色写真システムの操作性の向上と色再現性の向上を同じに実現するためのさらなる手段として以下に述べる。
【０４４９】
本発明は絞り値およびシャッタースピードを固定しオートフォーカス機能を備えたカメラに装着される照明装置であって、照明部および測距部を有する照明装置において、測距部から得られた被写体との距離情報にて照射部の発光光量を算出し、撮影時に照明部が算出した発光光量を発光することを特徴とした照明装置である。
【０４５０】
本発明は撮影前に照明部が断続的に発光し、照明光の反射の影響を確認する反射影響確認手段を有することを特徴とする照明装置であることが好ましい。
【０４５１】
本発明は照射された光の反射光の光量を検知する検知手段を有し、検知手段により初期の光量情報との差を演算し、照明部１００５の経時変化による発光量の増減を補正し常に最適な光量を発光することを特徴とした照明装置である。
【０４５２】
本発明は撮影用の照明部１００５と、被写体までの距離を測距する測距部と、測距部からの距離情報を処理し前記照明部１００５の制御を行う制御手段とを備え、前記測距部からの距離情報にもとづき被写体へ照射される前記照明部１００５の光量が常に一定になるように制御することで、照明装置と被写体との距離が変化しても撮影装置の絞り値・シャッタースピードを固定した状態で常に一定露出で撮影が実現できることを特徴とした照明装置である。
【０４５３】
本発明は測距中の距離情報を保持する機構と撮影時に保持された距離情報を用いて照明部１００５の制御を行う機能を備え、測距部によって測距できないような被写体の場合でも、前もって被写体と同じ位置に測距可能な別物体をセットして測距した距離情報を使用することで適正な露出で撮影できることを特徴とした照明装置であることが好ましい。
【０４５４】
本発明は照明部１００５を連続的に微弱発光させることができる機構を備え、被写体に照明光を微弱発光させながら撮影装置のファインダより被写体を観察することで、被写体に写りこむ照明光の影響を撮影前に知ることができることを特徴とした照明装置である。
【０４５５】
本発明は照明光補正状態へ移行するスイッチ機構と、照明光補正状態へ移行した際に照明部１００５より被照射面に照射された光の反射光の光量を検知する検知手段と、前記検知手段によって検知された光量情報を保持する光量情報保持手段と、照明部１００５の発光量に対する補正係数を保持する補正係数保持手段とを備え、製造時に前記光量情報保持手段に対して規定の被照射面−照明部１００５間距離で規定の白色面に対して照明部１００５を照射した場合の反射光の光量情報を光量情報保持手段に保持させておき、ある時間が経過した後に前記と同条件で同一白色面に照明部１００５を照射した場合の反射光の光量を検知させ、光量情報保持手段に保持された光量情報との差を演算し、製造時の発光量と同じになるような補正係数を前記補正係数保持手段に保存し、次回発光時より前記補正係数保持手段に保存されている補正係数を用いて照明部１００５の発光量を制御することで、照明部１００５の経時変化による発光量の増減を補正し常に最適な光量で発光できるようにしたことを特徴とした照明装置であることが好ましい。
【０４５６】
本発明はデンタルミラーを使用した鏡像が被写体の場合や、照明部１００５からの光が届きにくい影となる部分に位置する被写体を撮影することに対応して照明部１００５の光量を段階的に補正する撮影対象切替機構を備え、鏡面に反射した被写体や照明部１００５からの光が届きにくい影となる部分に位置する被写体においても適正な露出で撮影できることを特徴とする照明装置であることが好ましい。
【０４５７】
本発明はカメラとは独立した外部装置として構成したことを特徴とする照明装置であることが好ましい。
【０４５８】
本発明は、測距部からの距離情報により照明部１００５の発光量を制御する撮影用照明装置において、測距部を用いて被写体と照明部１００５との距離を測距し被写体表面に照射される光量が常に一定になるよう制御することで、撮影装置の絞り値・シャッタースピードが固定の状態で被写体と照明装置との距離が変化しても容易に適正な露出で撮影することが可能な照明装置に関するものである。
【０４５９】
撮影用の照明部１００５と、被写体までの距離を測距する測距部と、測距部からの距離情報を処理し前記照明部１００５の制御を行う制御手段とを備え、前記測距部からの距離情報にもとづき被写体へ照射される前記照明部１００５の光量が常に一定になるように制御する照明装置を構成することにより、照明装置と被写体との距離が変化しても撮影装置の絞り値・シャッタースピードを固定した状態で常に適正な露出での撮影を可能とする。
【０４６０】
さらに、測距中の距離情報を保持する機構と保持された距離情報によって撮影時に照明部１００５の制御を行う機能を備えたことで、測距精度が確保できないような被写体の場合でも、前もって被写体と同じ位置に測距可能な別物体をセットして測距した距離情報を保持し、保持した距離情報を使用して撮影することで適正な露出での撮影を可能とする。
【０４６１】
またさらに、照明部１００５を連続的に微弱発光させることができる機構を備えたことで、被写体に照明光を微弱発光させながら撮影装置のファインダより被写体を観察することで、被写体に写りこむ照明光の影響を撮影前に知ることができる。
【０４６２】
またさらに、照明部１００５を補正する手段を備えたことで、定期的に基準となる面へ照明部１００５からの光を照射し、反射された光の光量を検知手段によって検知することで、発光量の補正を行うことができるようにしたことである。
【０４６３】
歯科用色標識または歯科用色票または歯科用色見本または歯科用色形状見本を撮影することにより、ホワイトバランスを調整するかまたは、撮影光量を調整することも有効である。歯科用色標識は歯の形状をしたシェードガイドであることが好ましい。また、ホワイトバランス用に特別に設計した灰色の専用紙または専用板を使用することも好ましい。特別に設計するとは、ホワイトバランス調整により、灰色の専用紙または専用板の画像の色を無色と見なすことにより、天然歯または補綴物またはシェードガイドの色が正確に撮像される様に該灰色の専用紙または専用板の色調を調整して設計することである。
【０４６４】
フラッシュの種類、位置および角度、クローズアップレンズの有無、NDフィルタの有無、拡散板等のフラッシュ光を変化させる部材の有無に応じてフラッシュ光量を調整することも好ましい。これために、表示メニューと選択スイッチ等でこれらの撮影条件を選択することにより、フラッシュ光量を変化させることはさらに好ましい。
【０４６５】
半透明または拡散する部材をフラッシュ発光部の前に装着することによりフラッシュの減光を行うとともに、この減光に応じてフラッシュ光量を増大することも好ましい。これは、歯科口腔撮影は被写体である患者歯牙に対して非常に近接した撮影であり、被写体も歯の様にもともと明度の高い被写体であるために、通常のフラッシュ光では、最小の発光量に設定しても歯科口腔測色写真システムに使用されているＣＣＤ等の撮像素子の感度の上限を越えてしまう問題を解決するものである。この方法の代わりにレンズ側にＮＤフィルタを装着する方法があるが、この方法は画角を狭めることになり、ケラレを生じる。ＮＤフィルタとはフラッシュ等の光量が強すぎる場合にそれを減光させるものである。画角とは、撮影できる範囲の角度のことである。ケラレとは、レンズにクローズアップレンズ、ＮＤフィルタ、フラッシュ装着具を装着した場合に画角が狭くなって、広角側で画像にこれら部材の影が生じることである。
【０４６６】
ズーム機能を搭載した歯科口腔測色写真システムにおいて、クローズアップレンズを使用し、ズーム機能を有効にするとともに、撮影距離に応じて照明の光量を制御し、自動焦点機能により焦点調節を行うことにより、術者の都合のいい撮影距離で、被写体の画像の明るさを一定に保ちつつ、所望の倍率の歯科口腔写真撮影が可能となる。この場合に、絞り値固定型のズームレンズを使用することが好ましい。
【０４６７】
フラッシュを保持するための保持具の内径が、口径変換アダプタを使用せずしてレンズ筒の口径よりも一定の公差以上大きいか、口径変換アダプタを使用してその変換後の口径よりも一定の公差以上大きくすることにより、フラッシュを保持するための保持具を、レンズ筒またはクローズアップレンズ、またはＮＤフィルタの外側に保持固定することが可能となり、該保持具が画角を狭めることを防ぐことが出来る。該保持具は、レンズ筒またはクローズアップレンズ、またはＮＤフィルタの外形側にねじで固定するか、または、これらの間に挟み込むことはさらに好ましい。口径とは、カメラのレンズに追加レンズ、フィルター等を装着する際の固定に使う螺子の直径のことである。
【０４６８】
歯科口腔撮影におけるミラー撮影時に、フラッシュ光量を増光することにより、ミラーの反射による減光を補償することが有効である。表示メニューと選択スイッチ等でミラー撮影の撮影条件を選択することにより、フラッシュ光量を増光させることはさらに有効である。これらのためにミラーによる減光率をあらかじめ歯科口腔測色写真システムが情報として内蔵することが好ましい。
【０４６９】
次に、歯科口腔写真システムの課題を解決する手段について述べる。
【０４７０】
本発明は以下に述べる歯科口腔撮影用デジタルカメラおよび／または歯科口腔画像管理ソフトウェアおよび／または歯科用色標識および／または歯科用測色計および／または歯科用定型色判定票を構成要素とすることにより課題を解決する歯科口腔写真システムである。
【０４７１】
まず、歯科口腔写真システムの操作性の向上のための手段について以下に述べる。
【０４７２】
本発明はカメラまたは照明の全部または一部の制御を、通信手段を介して行なうか、制御のためのプログラムまたはデータの授受を記録メディアおよび／または通信手段を介して行なうことを特徴とする歯科口腔撮影用デジタルカメラおよび／または歯科口腔画像管理ソフトウェアよりなる歯科口腔写真システムである。
【０４７３】
本発明は歯科口腔撮影を行なう状態で起動し、歯科口腔撮影を行なわない状態に移行するための表示または操作入力をそなえたことを特徴とする歯科口腔撮影用デジタルカメラおよび／または歯科口腔画像管理ソフトウェアよりなる歯科口腔写真システムである。
【０４７４】
本発明は複数の撮影対象または複数の撮影条件または複数の術者名が、あらかじめ決められた順序または撮影条件に従って術者により撮影されるべく、表示または音声出力により術者に示されることを特徴とする歯科口腔撮影用デジタルカメラおよび／または歯科口腔画像管理ソフトウェアよりなる歯科口腔写真システムである。
【０４７５】
本発明は特定の撮影対象または特定の撮影条件または特定の術者名が、術者により選択されるべく、表示または音声出力により術者に示され、選択操作入力手段をそなえたことを特徴とする歯科口腔撮影用デジタルカメラおよび／または歯科口腔画像管理ソフトウェアよりなる歯科口腔写真システムである。
【０４７６】
本発明は撮影対象または撮影条件または術者名を、撮影画像のデータファイルまたは撮影画像ではないデータファイルに記録するか、または通信出力または入力することを特徴とする歯科口腔撮影用デジタルカメラおよび／または歯科口腔画像管理ソフトウェアよりなる歯科口腔写真システムである。
【０４７７】
本発明はあらかじめ決められた歯牙または歯列または顔貌を、あらかじめ決められた距離・方向・配置角度で規格撮影する歯科口腔撮影用デジタルカメラにおいて、および／または同一患者における治療過程の同一歯牙または歯列または顔貌を同一距離・方向・配置角度で再現撮影する歯科口腔撮影用デジタルカメラにおいて、特定の規格撮影または再現撮影の手順を１つの口腔写真撮影ステップとし、口腔写真撮影ステップを術者に表示および／または音声出力するか、および／または術者による選択入力手段をそなえるか、および／または撮影画像のデータファイルおよび／または撮影画像ではないデータファイルに記録するかおよび／または通信出力または入力することを特徴とする歯科口腔撮影用デジタルカメラおよび／または歯科口腔画像管理ソフトウェアよりなる歯科口腔写真システムである。
【０４７８】
本発明は複数の規格撮影の口腔写真撮影ステップの中に患者の顔写真および／または書類を含む歯科口腔撮影用デジタルカメラおよび／または歯科口腔画像管理ソフトウェアよりなる歯科口腔写真システムである。
【０４７９】
本発明は複数の口腔写真撮影ステップをあらかじめ決められた手順に従って音声および／または表示により術者に指示することを特徴とする歯科口腔撮影用デジタルカメラおよび／または歯科口腔画像管理ソフトウェアよりなる歯科口腔写真システムである。
【０４８０】
本発明はファインダーおよび／またはモニタに表示される照準が、口腔写真撮影ステップに応じて変化することを特徴とする歯科口腔撮影用デジタルカメラおよび／または歯科口腔画像管理ソフトウェアよりなる歯科口腔写真システムである。
【０４８１】
本発明は口腔写真撮影ステップにおいて、該当する規格撮影および／または再現撮影に応じて、術者にカメラの位置方向を音声および／または表示により指示することを特徴とする歯科口腔撮影用デジタルカメラおよび／または歯科口腔画像管理ソフトウェアよりなる歯科口腔写真システムである。
【０４８２】
本発明はある患者の最初の口腔写真撮影ステップにおいて、撮影画像のデータファイルに最初であることを示すマーク情報を付与するか、および／または撮影画像ではないデータファイルに最初の撮影画像を特定する情報を記録するかまたは通信出力または入力することを特徴とする歯科口腔撮影用デジタルカメラおよび／または歯科口腔画像管理ソフトウェアよりなる歯科口腔写真システムである。
【０４８３】
本発明は撮影した画像データファイルおよび／または画像データでないファイルに撮影した画像がオリジナルであることを示す画像認証情報および／またはそれが改変されたことを示す画像改変情報を付与し、画像がオリジナルであることおよび／または改変されたことを表示および／または出力することを特徴とする歯科口腔撮影用デジタルカメラおよび／または歯科口腔画像管理ソフトウェアよりなる歯科口腔写真システムである。
【０４８４】
本発明は撮影対象・撮影条件を撮影画像のデータファイルおよび／または撮影画像ではないデータファイルから読み出すか通信入力することより、口腔写真撮影ステップを実行することを特徴とする歯科口腔撮影用デジタルカメラおよび／または歯科口腔画像管理ソフトウェアよりなる歯科口腔写真システムである。
【０４８５】
次に、歯科口腔写真システムの操作性の向上と色再現性の向上の両方を実現する手段について述べる。
【０４８６】
本発明は被写体表面までの距離に応じて撮影のための照明の光量を調節することを特徴とする歯科口腔撮影用デジタルカメラおよび／または歯科口腔画像管理ソフトウェアよりなる歯科口腔写真システムである。
【０４８７】
本発明はミラーを介した撮影に対応して撮影のための照明の光量を補正することを特徴とする歯科口腔撮影用デジタルカメラおよび／または歯科口腔画像管理ソフトウェアよりなる歯科口腔写真システムである。
【０４８８】
本発明は撮影のための照明から被写体表面までの距離を変えず、照明光の被写体への入射角度が可変であることを特徴とする歯科口腔撮影用デジタルカメラを含む歯科口腔写真システムである。
【０４８９】
本発明は撮影のための照明が光ファイバによりガイドされることを特徴とすることを特徴とする歯科口腔撮影用デジタルカメラを含む歯科口腔写真システムである。
【０４９０】
本発明は光ファイバの投光部の位置および／または方向が可変であることを特徴とする歯科口腔撮影用デジタルカメラを含む歯科口腔写真システムである。
【０４９１】
次に、歯科口腔写真システムの操作性の向上を実現するさらなる手段について述べる。
【０４９２】
本発明は次の患者であるか引き続き撮影する患者か、診療所はどこかおよび／または術者は誰か、補綴物を扱う技工所はどこかおよび／または技工士は誰か、患者名は誰か、初診患者か再診か、規格撮影か自由撮影か、規格撮影の場合どの規格撮影か、術者が初心者か熟練者か、絞り、露光時間、照明光量、撮影距離、ズーム倍率、光学的撮影倍率、デジタルトリミング倍率、左列挙のいずれかすくなくとも１つ以上の撮影対象および／または撮影条件について、あらかじめいずれか初期設定したうえで、術者に変更選択のための表示か音声ガイド出力を行ない、メニュー操作および／またはスイッチ操作により変更可能とし、撮影後にこれらの撮影対象および／または撮影条件を撮影画像のデータファイルおよび／または撮影画像ではないデータファイルに記録するか、または出力または入力することを特徴とする歯科口腔撮影用デジタルカメラおよび／または歯科口腔画像管理ソフトウェアよりなる歯科口腔写真システムである。
【０４９３】
本発明は撮影画像のデータファイルおよび／または撮影画像ではないデータファイルに記録されるか、または出力または入力することによって得た、撮影対象や撮影条件に基づき、撮影画像を階層的に整理し、管理し、表示することを特徴とする歯科口腔撮影用デジタルカメラおよび／または歯科口腔画像管理ソフトウェアよりなる歯科口腔写真システムである。
【０４９４】
次に、歯科口腔写真システムの色再現性を向上するための手段について述べる。
【０４９５】
本発明は歯科用色標識を同時に撮影した場合に、歯科用色標識の色を再現することにより、被写体の画像の色を被写体の色に近似再現補正することを特徴とする歯科口腔撮影用デジタルカメラおよび／または歯科口腔画像管理ソフトウェアよりなる歯科口腔写真システムである。
【０４９６】
次に、歯科口腔写真システムの色補正・色表現を正確で解りやすくするための手段について述べる。
【０４９７】
本発明は３次元の表色系において表した人間の天然歯および／または歯肉の色の立体分布形状に応じてその中心を基準とし、分布の幅方向および／または色の濃さ方向および長さ方向および／または色の鮮やかさ方向および奥行きおよび／または色合い方向に目盛を配置し、あるいはさらに人間の色差感覚に比例した目盛間隔を設定した人間天然歯表色系による歯および／または補綴物および／または歯肉の色表現を備えることを特徴とする歯科口腔撮影用デジタルカメラおよび／または歯科口腔画像管理ソフトウェアおよび／または歯科用測色計および／または歯科用色標識および／または定型色表現の診断票よりなる歯科口腔写真システムである。
【０４９８】
本発明は人間天然歯表色系の色の濃さ方向および／または色の鮮やかさ方向および／または色合い方向のそれぞれ代表的な位置に相当する単数または複数の色票をそなえたことを特徴とする歯科用色標識を含む歯科口腔写真システムである。
【０４９９】
本発明は３次元の表色系において表した人間の天然歯および／または歯肉の色の立体分布形状に応じてその中心を基準とし、分布の幅方向および／または色の濃さ方向および長さ方向および／または色の鮮やかさ方向および奥行きおよび／または色合い方向に目盛を配置し、あるいはさらに人間の色差感覚に比例した目盛間隔を設定した人間天然歯表色系で、歯科用色標識の色を基準に、被写体の各部の色を表現することを特徴とする歯科口腔撮影用デジタルカメラおよび／または歯科口腔画像管理ソフトウェアよりなる歯科口腔写真システムである。
【０５００】
次に、歯科口腔写真システムの操作性の向上を実現するさらなる手段について述べる。
【０５０１】
本発明は音声入力および／または操作入力においては患者名または患者に対応する番号、または画像入力においては患者名または患者に対応する番号または患者に対応する画像パターンを患者情報として入力する入力手段を備え、患者名を特定することを特徴とする歯科口腔撮影用デジタルカメラおよび／または歯科口腔画像管理ソフトウェアよりなる歯科口腔写真システムである。
【０５０２】
本発明は撮影画像を患者毎に、および／または撮影歯科医院毎に、および／または歯科技工所毎に、階層的に整理および／または追加し、管理し、表示することを特徴とする歯科口腔撮影用デジタルカメラおよび／または歯科口腔画像管理ソフトウェアよりなる歯科口腔写真システムである。
【０５０３】
本発明は患者が再診である場合の再現撮影において、過去の患者の撮影画像および／またはその輪郭、撮影対象および／または撮影条件および／または術者名を撮影画像のデータファイルおよび／または撮影画像ではないデータファイルから読み出すか通信入力することより、過去の撮影画像と同じ撮影対象および／または撮影条件および／または術者名を表示するか、および／または過去の撮影画像の輪郭を照準としてファインダーおよび／またはモニタに表示することを特徴とする歯科口腔撮影用デジタルカメラおよび／または歯科口腔画像管理ソフトウェアよりなる歯科口腔写真システムである。
【０５０４】
本発明は鏡を使った撮影であるか否かの操作入力および／または検出入力を持ち、鏡を使った撮影の場合に画像を上下または左右反転することを特徴とする歯科口腔撮影用デジタルカメラおよび／または歯科口腔画像管理ソフトウェアよりなる歯科口腔写真システムである。
【０５０５】
次に、歯科口腔写真システムの色再現性を向上するためのさらなる手段について述べる。
【０５０６】
本発明は測色計で測色した撮影対象の歯牙の測色データにより、撮影した画像の色補正を行なうことを特徴とする歯科口腔撮影用デジタルカメラおよび／または歯科口腔画像管理ソフトウェアよりなる歯科口腔写真システムである。
【０５０７】
本発明は光ファイバによるガイドに非撮影時に照明光を通すか、光ファイバによるガイドの投光部に光ファイバの投光方向と同一の方向に非撮影時に投光すべく、第２の投光手段を備えたことを特徴とする歯科口腔撮影用デジタルカメラを含む歯科口腔写真システムである。
【０５０８】
本発明は赤外カットフィルタを備えたことを特徴とする歯科口腔撮影用デジタルカメラ含む歯科口腔写真システムである。
【０５０９】
次に、歯科口腔写真システムの色補正・色表現を正確で解りやすくするためのさらなる手段について述べる。
【０５１０】
本発明は色標識または、異なる３色以上色の色票を単独または患者の被写体と同時撮影後の撮影において、色標識または色票を撮影することなく撮影した画像の色を３次元的に表現する歯科口腔撮影用デジタルカメラおよび／または歯科口腔画像管理ソフトウェアよりなる歯科口腔写真システムである。
【０５１１】
本発明は色標識または、異なる３色以上色の色票を単独または患者の被写体と同時撮影後の撮影において、色標識または色票を撮影することなく撮影した被写体の色を３次元的に表現するか、被写体の色を画像上再現することを特徴とする歯科口腔撮影用デジタルカメラおよび／または歯科口腔画像管理ソフトウェアよりなる歯科口腔写真システムである。
【０５１２】
本発明は色標識または異なる３色以上色の色票を撮影し、その撮影画像を表示したモニタ画面または印刷した印刷物上に再現された色標識または色票を再度撮影することにより、その後の撮影において、被写体の色を３次元的に表現するか、被写体の色を画像上再現することを特徴とする歯科口腔撮影用デジタルカメラおよび／または歯科口腔画像管理ソフトウェアよりなる歯科口腔写真システムである。
【０５１３】
本発明は治療の過程で患者の歯および／または歯肉の色の変化の過程を画像および／または定型の印刷物上で再現するか、および／または人間天然歯表色系で表示することを特徴とする歯科口腔画像管理ソフトウェアおよび／または定型色表現の診断票よりなる歯科口腔写真システムである。
【０５１４】
本発明は歯肉の色再現または色表現を重視するか、天然歯の色再現または色表現を重視するか、補綴物の色再現または色表現を重視するかを切り替えることを特徴とする歯科口腔撮影用デジタルカメラおよび／または歯科口腔画像管理ソフトウェアよりなる歯科口腔写真システムである。
次に、歯科口腔測色・写真システムの課題を解決する手段について述べる。
【０５１５】
本発明は以下に述べる歯科口腔撮影用デジタルカメラまたは歯科口腔画像管理ソフトウェアまたは歯科用色標識または歯科用測色計または定型色表現の診断票を構成要素とすることにより、操作性の向上と露出の最適化および色表現または色再現、証明価値の認証に関する上記課題を解決する歯科口腔測色・写真システムである。
【０５１６】
まず、歯科口腔測色・写真システムの操作性を向上する手段について述べる。操作性の向上については、カメラまたは照明の全部または一部の制御を、通信手段を介して行なうか、制御のためのプログラムまたはデータの授受を記録メディアまたは通信手段を介して行なうことにより、あるいは、歯科口腔撮影を行なう状態で起動し、歯科口腔撮影を行なわない状態に移行するための表示または操作入力をそなえることにより、あるいは、複数の撮影対象または複数の撮影条件または複数の術者名が、あらかじめ決められた順序または撮影条件に従って術者により撮影されるべく、表示または音声出力により術者に示されることにより、あるいは、特定の撮影対象または特定の撮影条件または特定の術者名が、術者により選択されるべく、表示または音声出力により術者に示され、選択操作入力手段をそなえたことにより、あるいは、撮影対象または撮影条件または術者名を、撮影画像のデータファイルまたは撮影画像ではないデータファイルに記録するか、または通信出力または入力することにより、あるいは、あらかじめ決められた歯牙または歯列または顔貌を、あらかじめ決められた距離・方向・配置角度で規格撮影する歯科口腔撮影用カメラまたは、同一患者における同一歯牙または歯列または顔貌を同一距離・方向・配置角度で再現撮影する歯科口腔撮影用カメラにおいて、特定の規格撮影または再現撮影手順を１つの口腔写真撮影ステップとし、口腔写真撮影ステップを術者に表示または音声出力するか、または術者による選択入力手段をそなえるか、または撮影画像のデータファイルまたは撮影画像ではないデータファイルに記録するかまたは通信出力または入力することにより、あるいは、複数の規格撮影の口腔写真撮影ステップの中に患者の顔写真または書類を含むことにより、あるいは、複数の口腔写真撮影ステップをあらかじめ決められた手順に従って音声または表示により術者に指示することにより、あるいは、ファインダーに表示される照準が、口腔写真撮影ステップに応じて変化することにより、あるいは、口腔写真撮影ステップにおいて、該当する規格撮影または再現撮影に応じて、術者にカメラの位置方向を音声または表示により指示することにより、あるいは、ある患者の最初の口腔写真撮影ステップにおいて、撮影画像のデータファイルに最初であることを示すマーク情報を付与するか、または撮影画像ではないデータファイルに最初の撮影画像を特定する情報を記録するかまたは通信出力または入力することにより、あるいは、撮影対象・撮影条件を撮影画像のデータファイルまたは撮影画像ではないデータファイルから読み出すか通信入力することより、口腔写真撮影ステップを実行することにより、あるいは、次の患者であるか引き続き撮影する患者か、患者名は誰か、初診患者か再診か、規格撮影か自由撮影か、規格撮影の場合どの規格撮影か、術者が初心者か熟練者か、絞り、露光時間、照明光量、撮影距離、ズーム倍率、光学的撮影倍率、デジタルトリミング倍率、左列挙のいずれかすくなくとも１つ以上の撮影対象または撮影条件について、あらかじめいずれか初期設定したうえで、術者に変更選択のための表示か音声ガイド出力を行ない、メニュー操作またはスイッチ操作により変更可能とし、撮影後にこれらの撮影対象または撮影条件を撮影画像のデータファイルまたは撮影画像ではないデータファイルに記録するか、または出力または入力することにより、あるいは、撮影画像のデータファイルまたは撮影画像ではないデータファイルに記録されるか、または出力または入力することによって得た、撮影対象や撮影条件に基づき、撮影画像を階層的に整理し、管理し、表示することことにより、あるいは、音声入力または操作入力においては患者名または患者に対応する番号、または画像入力においては患者名または患者に対応する番号または患者に対応する画像パターンを患者情報として入力する入力手段を備え、患者名を特定することにより、あるいは、撮影画像を患者毎に、または撮影歯科医院毎に、または歯科技工所毎に、階層的に整理または追加し、管理し、表示することにより、あるいは、患者が再診である場合の再現撮影において、過去の患者の撮影画像またはその輪郭、撮影対象または撮影条件または術者名を撮影画像のデータファイルまたは撮影画像ではないデータファイルから読み出すか通信入力することより、過去の撮影画像と同じ撮影対象または撮影条件または術者名を表示するか、または過去の撮影画像の輪郭を照準としてファインダーまたはモニタに表示することにより、あるいは、鏡を使った撮影であるか否かの操作入力または検出入力を持ち、鏡を使った撮影の場合に画像を上下または左右反転することにより、実現している。
【０５１７】
歯科用口腔画像の品質証明あるいは証拠価値の認証については、撮影した画像データファイルまたは画像データでないファイルに撮影した画像がオリジナルであることを示す画像認証情報またはそれが改変されたことを示す画像改変情報を付与し、画像がオリジナルであることまたは改変されたことを表示または出力することにより歯科口腔写真システムを実現している。
【０５１８】
次に、歯科口腔測色・写真システムの操作性および色再現性を向上の両方を実現する手段について述べる。歯科用カメラの露出の最適化および、操作性向上については、被写体表面までの距離に応じて撮影のための照明の光量を調節することにより、あるいは、ミラーを介した撮影に対応して撮影のための照明の光量を補正することによりあるいは、撮影のための照明から被写体表面までの距離を変えず、照明光の被写体への入射角度が可変であることにより、あるいは、撮影のための照明が光ファイバによりガイドされることにより、あるいは、光ファイバの投光部の位置または方向を可変にすることにより、あるいは、ストロボ光の反射による外乱の防止に関して、光ファイバによるガイドに非撮影時に照明光を通すか、光ファイバによるガイドの投光部に光ファイバの投光方向と同一の方向に非撮影時に投光すべく、第２の投光手段を備えたことにより、実現している。
【０５１９】
次に、歯科口腔測色・写真システムの色補正・色表現を正確で解りやすく実現する手段について述べる。
【０５２０】
色表現または色再現性の向上については、３次元の表色系において表した人間の天然歯の色の立体分布形状に応じてその中心を基準とし、分布の幅方向または色の濃さ方向および長さ方向または色の鮮やかさ方向および奥行きまたは色合い方向に目盛を配置し、あるいはさらに人間の色差感覚に比例した目盛間隔を設定した人間天然歯表色系による歯または補綴物の色表現を備えることにより、あるいは、人間天然歯表色系の色の濃さ方向または色の鮮やかさ方向または色合い方向のそれぞれ代表的な位置に相当する単数または複数の色票による歯科用色標識を備えることにより、あるいは、歯科用色標識を同時に撮影した場合に、歯科用色標識の色を再現することにより、被写体の画像の色を被写体の色に近似再現補正することにより、あるいは、歯科用色標識の色を基準に、被写体の各部の色を人間天然歯表色系で表現することにより、あるいは、測色計で測色した撮影対象の歯牙の測色データにより、撮影した画像の色補正を行なうことにより、あるいは、赤外カットフィルタを備えたことにより、あるいは、色標識または、異なる３色以上色の色票を単独または患者の被写体と同時撮影後の撮影において、色標識または色票を撮影することなく撮影した被写体の色を３次元的に表現するか、被写体の色を画像上再現することにより、あるいは、色標識または異なる３色以上色の色票を撮影し、その撮影画像を表示したモニタ画面または印刷した印刷物上に再現された色標識または色票を再度撮影することにより、その後の撮影において、被写体の色を３次元的に表現するか、被写体の色を画像上再現することにより、あるいは、治療の過程で患者の歯または歯肉の色の変化の過程を画像または定型の印刷物上で再現するか、または色表現で表示することにより、あるいは、歯肉の色再現または色表現を重視するか、天然歯の色再現または色表現を重視するか、補綴物の色再現または色表現を重視するかを切り替えることにより、実現している。
【０５２１】
次に、歯科口腔測色写真システムの色再現性を向上するためのさらなる手段について述べる。
【０５２２】
本発明は、被写体までの距離に応じて画像の明るさを制御する歯科写真システムである。
【０５２３】
本発明は、歯科撮影において撮影倍率および拡大倍率に対応する既定された撮影距離に応じて、既定されたフラッシュ光量及び／または絞り値に設定されることを特徴とする歯科口腔測色写真システムである。
【０５２４】
本発明は、被写体と近接して配置した距離ゲージと比較するための、距離確認ゲージを表示部に有する歯科写真システムである。
【０５２５】
本発明は、歯科写真システムにおいて、自動焦点機能を有する歯科写真システムである。
【０５２６】
本発明は、歯科写真撮影システムにおいて、歯科撮影において既定の撮影倍率の７０〜１０５％の範囲でまたは、設定された撮影距離の９５〜１３０％の範囲で撮影が可能となる歯科写真システムである。
【０５２７】
本発明は、規定の撮影倍率または設定された撮影距離の画像に撮影画像をトリミングする歯科写真システムである。
【０５２８】
本発明は、歯科写真システムにおいて、規定の撮影倍率の７０〜１０５％の範囲または、規定の撮影距離の９５〜１３０％の範囲に入った時に報知する報知手段を有する歯科写真撮影システムである。
【０５２９】
本発明は規定の撮影倍率の７０〜１００％、または規定の撮影距離の１００〜１３０％に入った時に報知する報知手段と、規定の撮影倍率または規定の撮影距離に応じた画像の明るさに制御する制御手段を有する歯科写真撮方法である。
【０５３０】
ソフトウェア上で画像の明るさを調整する歯科写真撮影システムである。被写体までの距離を距離センサまたは自動焦点機能で検出し、その距離情報を被写体の画像ファイルに添付することが好ましい。画像を表示または印刷するコンピュータ上のソフトウェアで、その距離情報に基づき、画像の明るさを調整することが好ましい。
【０５３１】
被写体までの距離に応じて画像の明るさを制御するシステムに加えて、被写体までのピントの調整に自動焦点機能を用いることが好ましい。自動焦点機能を用いて被写体までの距離を測距し、その測距情報に基づいて９５％〜１３０％の撮影距離の判定を行い、術者に報知したり、撮影を可能にすることが好ましい。
【０５３２】
画像の明るさを制御するための、カメラから被写体までの距離を測定する方法としては、距離センサを用いることが好ましく、さらに距離センサには赤外線や超音波やＬＥＤ・フォトダイオードを用いるのが好ましい。
【０５３３】
画像の明るさを制御するため以外の、カメラから被写体までの距離を測定する方法としては、自動焦点で使用している距離を測定する方法を兼用したり、距離センサーを用いることが好ましく、さらに距離センサには赤外線や超音波やＬＥＤ・フォトダイオード、を用いるのが好ましい。
【０５３４】
画像の明るさを制御するためのカメラから被写体までの距離を測定する方法と、画像の明るさを制御するため以外のカメラから被写体までの距離を測定する方法を共通で使用することができる。
カメラから被写体までの距離を測定する方法と自動焦点機能をリンクすることがこのましい。
【０５３５】
フラッシュシステムに内蔵した距離センサにより被写体までの距離を検出し、フラッシュ光量および／またはＣＣＤ撮像素子への露光時間および／または絞りを制御することにより、被写体までの距離に応じて画像の明るさを制御することが好ましい。（フラッシュ光量）×（絞り直径）２×（露光時間）／x２を一定にしたり、特にフラッシュ光量だけで制御する場合はフラッシュ単体で制御が可能となることが好ましい。
【０５３６】
撮影倍率が２倍〜１／５倍の範囲で、被写体までの距離が５０ｍｍ〜１ｍの範囲で被写体までの距離に応じて画像の明るさを制御する歯科写真撮影システムであることが好ましい。
【０５３７】
好ましくは、撮影倍率が１．５倍〜１／３倍の範囲で、被写体までの距離が２００ｍｍ〜６０ｍの範囲で被写体までの距離である。
【０５３８】
距離ゲージを同時撮影して撮影距離を算出し、画像ファイルに添付した撮影倍率情報とともにコンピュータ上で画像の明るさを調整するとともに規定の撮影倍率の画像範囲にトリミングする歯科写真撮影システムであることが好ましい。距離ゲージの一対応として物差しがある。
次に歯科写真撮影システムについて上記課題を解決し、特に操作性の向上と色再現性を向上する手段について以下に述べる。
【０５３９】
本発明は、歯科撮影条件として、歯科撮影を行うかどうかの情報、および／または歯科撮影を行うためのプログラムの情報、および／または歯科撮影の種類、および／または歯科撮影倍率、および／または歯科画像の明るさ、を設定する歯科撮影条件入力手段を持つ歯科写真システムである。
【０５４０】
本発明は、歯科撮影条件に付随する付随歯科撮影条件として、拡大倍率、および／または撮影距離、および／または照明光量、および／または絞り、および／または露光時間、および／またはクローズアップレンズの有無情報、を設定する付随歯科撮影条件入力手段を持つ歯科写真システムである。
【０５４１】
本発明は、設定された拡大倍率および／またはクローズアップレンズの有無情報により、ズーム倍率、および／または撮影距離、および／または照明光量、および／または絞り、の設定を決定または変更する歯科写真システムである。
【０５４２】
本発明は、設定された歯科撮影条件または付随歯科撮影条件に対応する緩和撮影条件を満たした場合に、術者に報知するか、および／または撮影動作を有効にする、歯科写真システムである。
【０５４３】
本発明は、被写体と近接して配置した距離ゲージと比較するための、距離確認ゲージを表示部に有する歯科写真システムである。
【０５４４】
本発明は、実測した撮影距離、または実現した設定撮影距離、または緩和撮影条件を満足する撮影距離、に応じて照明光量、および／または絞り、および／または露光時間の制御によって撮像持の画像の明るさを制御するか、および／または撮影済み画像データの明るさパラメータ、を制御する、歯科写真システムである。
【０５４５】
本発明は、設定された歯科撮影条件または付随歯科撮影条件の下で、照明光量、および／または絞り、および／または露光時間、および／または撮影済み画像データの明るさパラメータ、を決定または変更制御する歯科写真システムである。
【０５４６】
照明システムの最大発光量の１／５以下の発光量範囲を撮影距離５ｃｍ〜１００ｃｍの範囲に対応させて照明システムの発光量を制御する歯科写真システムである。
【０５４７】
本発明は、以上の課題を解決する手段に加えて、自動焦点機能を有する歯科写真システムである。
【０５４８】
本発明は、設定された歯科撮影条件を満たしているか、および／または緩和撮影条件を満たした場合に、自動焦点機能を有効にする歯科写真システムである。
【０５４９】
本発明は、緩和撮影条件が、設定された撮影距離の９５％〜１３０％の撮影距離である歯科写真システムである。更に好ましくは、９７％〜１１０％、また更には９７％〜１０５％である。
【０５５０】
本発明は、歯科撮影条件入力手段が記録メディアの装着であり、該記録メディアに歯科撮影条件が書き込まれている歯科写真システムである。
【０５５１】
本発明は、歯科撮影条件入力手段が２つ以上の同時操作入力であり、該同時操作入力により以降行う撮影が歯科撮影であるという歯科撮影条件が設定される歯科口腔写真システムである。
【０５５２】
歯科撮影とは、歯科の臨床現場または歯科技工所においておこなわれる、患者の顔写真撮影または顎口腔写真撮影または歯列の写真撮影または歯の写真撮影または歯肉の写真撮影または鏡を用いたこれらの写真撮影または歯科補綴物の写真撮影または患者のカルテまたは患者を特定する事物の撮影または歯科の規格撮影のことである。規格撮影の例としては上下全歯牙の唇側または頬側を露出させての撮影、上顎右側歯列のみの撮影、上顎咬合面のミラーを用いた撮影、補綴対象の歯牙（欠損して失われた状態を含む）とその周辺の歯牙の撮影、顔全体の撮影（開口、閉口、笑顔）等がある。
【０５５３】
歯科撮影条件とは、歯科撮影を行うかどうか、および／または歯科撮影を行うためのプログラム、および／または歯科撮影の種類、および／または歯科撮影倍率、および／または歯科画像の明るさ、の情報のことである。
【０５５４】
歯科撮影を行うかどうかの情報とは、歯科以外の一般的な撮影も歯科撮影も行うことの出来る歯科写真システムにおいて、歯科撮影を行うという情報のことである。
【０５５５】
歯科撮影を行うためのプログラムの情報とは、歯科撮影を行うためのプログラムそのものかまたは一部分のことである。
【０５５６】
歯科撮影倍率とは、歯科撮影の種類に応じて決まっている、あるいは歯科撮影を行う術者によって決められる、撮影倍率のことである。
【０５５７】
撮影倍率とは、撮影範囲が撮像面上でどれくらい拡大または縮小されているかの目安となる倍率のことである。最近のＣＣＤを用いたデジタルカメラでは、撮像面の大きさが機種によって異なるために３５ｍｍフィルム換算で用いられることが多い。
【０５５８】
歯科画像の明るさとは、歯科画像における歯の部分または歯肉の部分の明るさのことであり、明るさとは撮像面における光の強度、またはそれに露光時間を掛けたもの、または撮影画像のデータまたはモニタ出力または印刷出力の色の明度または輝度のことである。
【０５５９】
歯科撮影条件入力手段とは、歯科写真システムを構成するカメラにおける、操作スイッチや調整部、および／またはそれと連動する表示、および／または歯科撮影条件を記録した記録メディアを読み取り判定する複合された手段、および／または該記録メディアやケーブル・無線通信によって接続された情報処理装置を使って歯科写真システムを構成するソフトウェアから入力すること、および／または該ソフトウェアを稼動させている該情報処理装置へ操作入力または記録メディアからの入力を行うこと、および／または歯科撮影条件を記載した被写体の撮影であり、同時に複数の操作スイッチを操作する場合を含む。
【０５６０】
記録メディアとは、歯科写真システムを構成するカメラにおいてはコンパクトフラッシュカード、SDメモリカード、メモリスティック等の画像を記録するメディアのことであり、歯科写真システムを構成するソフトウェアを稼動させる情報処理装置においては該画像を記録するメディア、ハードディスク、フロッピーディスク、CD等のメディアのことである。
【０５６１】
拡大倍率とは、ズーム機能および／またはクローズアップレンズを用いた撮影距離をこれらを用いなかった場合に必要な撮影距離で割った倍率数値のことである。これはズーム機能および／またはクローズアップレンズを用いた撮像面での画像の大きさをこれを用いなかった場合の画像の大きさで割った倍率数値でもある。
【０５６２】
撮影距離とは、狭義には撮像面またはレンズの主面または照明の発光前面から被写体表面までの距離のことであるが、本発明においては歯科写真システムの位置関係が固定された任意の部分から被写体表面までの距離としても構わない。
【０５６３】
照明光量とは、照明システムの照射光の強度である。
【０５６４】
絞りとは、撮像面またはレンズの前方で撮像光量を制御する機構である。
【０５６５】
露光時間とは、撮像面において被写体の画像を検出する累積時間経過と、または照明光の照射時間経過とにより、両者が重なっている時間のことである。
【０５６６】
クローズアップレンズとは、通常のレンズの前面に装着して、撮影距離を変えずに撮影倍率を拡大するか、撮影倍率を変えずに撮影距離を大きくするレンズのことである。
【０５６７】
付随歯科撮影条件入力手段とは、焦点調節機構、および／またはズーム倍率調節機構、および／または照明光量調節機構、および／または絞り調節機構、および／または露光時間調節機構、および／またはクローズアップレンズの有無を検出する機構であり、歯科撮影条件入力手段と同一機構である場合を含む。
【０５６８】
ズーム倍率とは、ズーム機能により画像が拡大される倍率のことである。
【０５６９】
緩和撮影条件とは、歯科撮影条件に対応してあらかじめ設定され、撮影条件にぴったりでなくても歯科撮影を有効とする許容範囲のことである。
【０５７０】
報知するとは、術者に報知する手段であれば何でも良いが、好ましくは音または画像表示または振動である。好ましくはファインダーまたはモニタに特定の表示を行うことである。
【０５７１】
撮影動作を有効にするとは、術者の撮影操作があった場合に撮影を実行する用意が出来ている状態にすることであり、撮影動作を有効にしていない場合に術者の撮影動作があっても撮影は実行されないことを前提とする。
【０５７２】
距離ゲージとは、被写体と同時に撮影すべく被写体に近接して配置した長さもしくは大きさを示すものであり、距離確認ゲージと長さもしくは大きさを対応させたものである。
【０５７３】
好ましくは一定の長さの棒、それに目盛のついたもの、歯科おいて用いられるシェードガイドまたはその部分部材である。
【０５７４】
距離確認ゲージとは、表示部に距離ゲージと比較するために表示または配置され、距離ゲージと長さもしくは大きさを対応させたゲージのことである。
【０５７５】
好ましくは歯科撮影の撮影倍率に対応した目盛が付されてる。更に好ましくは、表示の枠である。この表示部の枠は表示部の機械的枠でも良いし、表示される画像中の枠でも良い。
【０５７６】
実測した撮影距離とは、実際に歯科写真システムの構成要素であるカメラを被写体に対して構えたときに実現されている撮影距離および／または、露光時間帯において実現されている撮影距離のことである。実測は距離センサにより測定するのが好ましい。
【０５７７】
実現した設定撮影距離とは、実際の撮影距離が設定された撮影距離になっている場合の撮影距離ことである。
【０５７８】
例えば距離ゲージおよび距離確認ゲージにより設定された撮影距離が実現されていることが判明される場合は距離センサによる測定は不要であり、実際の撮影距離が設定された撮影距離になっているとみなすことが好ましい。
【０５７９】
また、術者がモニターやファインダーの被写体画像を見てこれを判断し撮影操作を行う場合も実際の撮影距離が設定された撮影距離になっているとみなすことが好ましい。
【０５８０】
緩和撮影条件を満足する撮影距離とは、実際の撮影距離が緩和撮影条件を満たす状態になっている場合の撮影距離ことである。例えば距離ゲージおよび距離確認ゲージにより設定された撮影距離が緩和撮影条件を満たすことが判明される場合は距離センサによる測定は不要であり、実際の撮影距離が緩和撮影条件を満たすとみなすことが好ましい。
【０５８１】
また、術者がモニターやファインダーの被写体画像を見てこれを判断し撮影操作を行う場合も実際の撮影距離が緩和撮影条件を満たすとみなすことが好ましい。
【０５８２】
撮像時の画像の明るさを制御するとは、撮影条件として（照明光量）×（絞り直径）＾２×（露光時間）／（撮影距離）＾２を一定にするかまたは、撮影済み画像データの明るさパラメータをコンピュータ上でソフトウェアにより調整することである。上記数式表現中、「＾２」は２乗の意味である。
【０５８３】
撮影済み画像データの明るさパラメータとは、ソフトウェア上で撮影画像のデータまたはモニタ出力または印刷出力の色の明度または輝度またはR、G、Bの各データの２乗平均（R×R＋G×G＋B×Bの平方根）のことである。
【０５８４】
ソフトウェア上で画像の明るさを調整する場合、被写体までの実撮影距離を距離センサまたは自動焦点機能で検出し、その実撮影距離情報を被写体の画像ファイルに添付することが好ましい。
【０５８５】
画像を表示または印刷するコンピュータ上のソフトウェアで、その実撮影距離情報に基づき、画像の明るさを調整することが好ましい。
【０５８６】
自動焦点機能とは、通常市販されている自動焦点（オートフォーカス）を実現する機能であるが、本発明においては、撮影画像上で自動焦点を実現するとともに、撮影を行う行わないに関わらずファインダーおよび／またはモニターに表示する画像上の自動焦点を実現する機能の双方の機能を含む。
【０５８７】
自動焦点機能を有効にするとは、撮影画像上で自動焦点を実現するか、および／またはファインダーおよび／またはモニターに表示する画像上の自動焦点を実現することである。
【０５８８】
これに対し、自動焦点による撮影を有効にしていない場合、焦点の合ったファインダー画面出力またはモニター画面出力を行わないか、さらに、もっとカメラを被写体に近づけるべきか遠ざかるべきかを報知するか、これらに加えて撮影操作を無効にするなどの対応がある。
【０５８９】
９５〜１３０％の撮影距離とは、規定の撮影倍率の１００／１３０〜１００／９５の撮影倍率範囲となる様な撮影距離の範囲である。
【０５９０】
表示部とはモニター及び／またはファインダーのことである。
【０５９１】
ズーム倍率は撮影距離と倍率と拡大倍率の関数として決定される。ここで、拡大倍率とはクローズアップレンズの有る場合と無い場合の倍率の比である。照明光量はあらかじめ決めてある歯牙画像の明るさ、撮影距離、露光時間、絞り、感度の関数として決定される。ここで、感度は撮像感度によって決定されている。
【０５９２】
また、緩和撮影条件は撮影距離と倍率に関して設定されるのが好ましい。これらの緩和撮影条件は、撮影条件に１より小さい係数を掛けた値から１より大きい係数を掛けた値の間の値として設定されるのが好ましい。
【０５９３】
次に、本発明における器械装置の制御システムの手段について述べる。本発明は、器械装置の内部状態を特定目的・用途のためにカスタマイズする目的を達成するために、次のような手段を講じたものである。
【０５９４】
本発明に係る器械装置の制御システムは、外部の情報処理装置から器械装置の内部状態の制御を行なうものであって、情報処理装置に対して通信又は情報メディアを介し機器識別情報とを伴って制御情報を要求する制御情報要求手段と、情報処理装置において器械装置に固有の内部識別情報を前記機器識別情報と関連づけて予め登録した識別情報データベースと、情報処理装置において前記識別情報データベースに前記機器識別情報が登録してあるか否かを照会する照会手段と、登録ある場合に少なくとも当該機器識別情報に対応した内部識別情報を前記識別情報データベースから取り出し通信又は情報メディアを介して情報処理装置から少なくとも当該内部識別情報を反映した制御情報を伴う応答をなす応答手段と、制御情報に反映されている内部識別情報が、器械装置または器械装置に接続された端末装置または該端末装置で読み出し可能な記憶メディアに書き込まれている内部識別情報と合致するか否かを照合する照合手段と、照合が真である場合に制御情報に基づいて内部状態情報に対応する内部状態の制御を行なう状態制御手段とを具備してなることを特徴とする。
【０５９５】
また、本発明の他の構成に係る器械装置の制御システムは、外部の情報処理装置から器械装置の内部状態の制御を行なうものであって、情報処理装置に対して通信又は情報メディアを介し器械装置の機器識別情報及び器械装置に固有の内部識別情報を伴って制御情報を要求する制御情報要求手段と、情報処理装置において内部識別情報を前記機器識別情報と関連づけて予め登録した識別情報データベースと、情報処理装置において前記識別情報データベースに前記機器識別情報が登録してあるか否かを照会する照会手段と、登録ある場合に当該機器識別情報に対応して登録されている内部識別情報と、器械装置または器械装置に接続された端末装置または該端末装置で読み出し可能な記憶メディアにあらかじめ書き込まれている内部識別情報とが合致するか否かを照合する照合手段と、照合が真である場合に通信又は情報メディアを介して情報処理装置から器械装置に対して制御情報を伴う応答をなす応答手段と、応答があった場合に制御情報に基づいて内部状態情報に対応する内部状態の制御を行なう状態制御手段とを具備してなることを特徴とする。
【０５９６】
すなわち、器械装置には、製造番号などの機器識別情報が存在するのが通例である。この様な機器識別情報に１対１に対応して、器械装置に電子的に読み取り可能な方法で内部識別情報を設定または記憶させることは容易に可能である。
【０５９７】
このため、本発明のようなシステムを構築すると、器械装置に対して前述の様なカスタマイズサービスが可動である条件として、次の３条件を課すことが可能となる。
1)  正規のユーザー（器械装置を確かに購入したと器械装置供給業者が認定することを条件に器械装置供給業者側が管理運営する情報処理装置のデータベースにその器械装置の機器識別情報と内部識別情報を関連付けて登録したユーザー）であること。
2)  カスタマイズの申込を行い、代価の入金が行われたユーザーであること（この情報も機器識別情報としてデータベースに登録される）。
3)  さらに、正規のユーザーにＩＤとパスワードを発行することで、例えば通信もしくはメディアを介して器械装置のカスタマイズを行う場合にＩＤとパスワードの提示要求に対して、双方を正確に提示入力したユーザーであること。
【０５９８】
したがって、器械装置を使用するユーザーが、当該器械装置を管理する情報処理装置に対して偽った機器識別情報（例えば偽った製造番号）を送っても、情報処理装置側でその機器識別情報が登録してなければ照会段階で拒絶されるし、たとえ機器識別情報が登録してあって対応する内部識別情報が存在しても、それが冒用であれば内部識別情報と実際の器械装置の内部識別とが照合段階で不一致（偽）となり、制御情報に基づく内部状態情報の選択切替制御や追加制御等が実行されなることはない。
【０５９９】
これに通常のソフトウェアやネットサービス等で行われているＩＤとパスワードによる冒用防止技術を組み合わせることにより、不正冒用行為を効果的に回避することが可能となるだけでなく、その器械装置に関係する個々のユーザーの機密情報に応じた例えば歯科用にカスタマイズしたデジタルカメラであれば患者の口腔写真の保管管理サービス等も可能となるものである。
具体的な実施の態様としては、情報処理装置が内部状態情報を記憶した内部状態情報記憶手段を備えている場合と、器械装置が内部状態情報を記憶した内部状態情報記憶手段を備えている場合とがある。
【０６００】
前者の場合は、情報処理装置が備えている応答手段が制御情報とともに内部状態情報を伴った応答をなして、器械装置において照合が真である場合に状態制御手段が前記制御情報に基づいて内部状態情報の制御を行なうように構成すればよく、後者の場合は、器械装置が、１又は複数の内部状態情報を記憶した内部状態情報記憶手段を備え、状態制御手段は通常は前記内部状態情報に基づく制御が禁止されているが、器械装置において制御情報を受け取りそれに基づく照合が真である場合に状態制御手段が前記制御情報に基づく内部状態情報の制御を実行可能とするように構成すればよい。
内部状態情報が１又は複数の動作モード情報を具備する場合には、制御情報を、動作モード情報を選択切替するための情報または動作モード情報を追加するための情報とすればよい。
【０６０１】
また、内部状態情報が動作モード情報に付随する１又は複数の動作機能、動作データ等のモード関連情報を具備する場合には、制御情報を、モード関連情報を選択切替するための情報または当該モード関連情報を追加するための情報とすればよい。
本発明は、特に動作モード情報に、通常の器械装置とは異質な歯科用用途に対応した動作モード情報を少なくとも１つ以上含むものに適用して有用である。
【０６０２】
勿論、同様の趣旨で動作モード情報に、歯科用用途に特化しない器械装置の動作モード情報を含むものを適用対象としてもよい。
【０６０３】
また、本発明は、特にモード関連情報に、通常の器械装置とは異質な歯科用用途に対応した動作機能、動作データ又は患者の診療データの少なくとも何れかを含むものに適用して有用である。
【０６０４】
勿論、この場合も同様の趣旨で、モード関連情報に、歯科用用途に特化しない器械装置の動作機能又は動作データを含むものを適用対象としてもよい。
【０６０５】
この場合、外部から器械装置を管理するためには、動作機能又は動作データとして、器械装置の動作状態をモニタリングするためのもの、或いは、器械装置の使用状況をモニタリングするためのものを用いることが有効である。
【０６０６】
不正冒用行為を効果的に防止するためには、器械装置からの制御情報要求を許可するためのＩＤ入力受付手段、パスワード入力受付手段の少なくとも何れかを併用することが好ましく、内部状態情報は、ファームウェア又はソフトウェアとして与えることが有効である。
【０６０７】
また、本発明は次のような方法によって実施されるものである。
【０６０８】
すなわち、本発明に係る器械装置の制御方法は、外部の情報処理装置から器械装置の内部状態の制御を行なうに際して、器械装置若しくはこれに接続された端末装置から情報処理装置に対し通信又は情報メディアを介し機器識別情報を伴って制御情報を要求する制御情報要求ステップと、情報処理装置において器械装置に固有の内部識別情報を前記機器識別情報と関連づけて予め登録した識別情報データベースに前記機器識別情報が登録してあるか否かを照会する照会ステップと、登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答ステップと、制御情報に反映されている内部識別情報が器械装置または器械装置に接続された端末装置または該端末装置で読み出し可能な記憶メディアにあらかじめ書き込まれている内部識別情報と合致するか否かを照合する照合ステップと、照合が真である場合に制御情報に基づいて内部状態情報に対応する内部状態の制御を行なう状態制御ステップとを具備してなることを特徴とする。
【０６０９】
また、本発明の他の構成に係る器械装置の制御方法は、外部の情報処理装置から器械装置の内部状態の制御を行なうに際して、器械装置若しくはこれに接続された端末装置から情報処理装置に対して通信又は情報メディアを介し器械装置の機器識別情報及び器械装置に固有の内部識別情報を伴って制御情報を要求する制御情報要求ステップと、情報処理装置において前記機器識別情報が登録してあるか否かを照会する照会ステップと、登録ある場合に当該機器識別情報に対応して登録されている内部識別情報と器械装置または器械装置に接続された端末装置または該端末装置で読み出し可能な記憶メディアにあらかじめ書き込まれている内部識別情報とが合致するか否かを照合する照合ステップと、照合が真である場合に通信又は情報メディアを介して情報処理装置から器械装置に対して制御情報を伴う応答をなす応答ステップと、応答があった場合に制御情報に基づいて内部状態情報に対応する内部状態の制御を行なう状態制御ステップとを具備してなることを特徴とする。
【０６１０】
この場合、情報処理装置又は器械装置の何れが１又は複数の内部状態情報を記憶していてもよい。前者の場合は、応答ステップ時に制御情報とともに内部状態情報を伴った応答をなして、照合ステップにおいて照合が真である場合に前記制御情報及び内部状態情報に基づいて状態制御ステップを実施すればよく、後者の場合は、状態制御ステップの実行は通常は禁止されているが、器械装置において制御情報を受け取りそれに基づく照合が真である場合に前記制御情報に基づく状態制御ステップが実施可能となるようにすればよい。
【０６１１】
本発明は外部の情報処理装置から器械装置の内部状態の制御を行なうものであって、情報処理装置に対して通信又は情報メディアを介し器械装置の機器識別情報を伴って制御情報を要求する制御情報要求手段と、情報処理装置において器械装置に固有の内部識別情報を前記機器識別情報と関連づけて予め登録した識別情報データベースと、情報処理装置において前記識別情報データベースに前記機器識別情報が登録してあるか否かを照会する照会手段と、登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答手段と、制御情報に反映されている内部識別情報が、器械装置または器械装置に接続された端末装置または該端末装置で読み出し可能な記憶メディアにあらかじめ書き込まれている内部識別情報と合致するか否かを照合する照合手段と、照合が真である場合に制御情報に基づいて内部状態情報に対応する内部状態の制御を行なう状態制御手段とを具備してなることを特徴とする器械装置の制御システムであることが好ましい。
【０６１２】
本発明は、外部の情報処理装置から器械装置の内部状態の制御を行なうものであって、情報処理装置に対して通信又は情報メディアを介し器械装置の機器識別情報及び器械装置に固有の内部識別情報を伴って制御情報を要求する制御情報要求手段と、情報処理装置において内部識別情報を前記機器識別情報と関連づけて予め登録した識別情報データベースと、情報処理装置において前記識別情報データベースに前記機器識別情報が登録してあるか否かを照会する照会手段と、登録ある場合に当該機器識別情報に対応して登録されている内部識別情報と、器械装置または器械装置に接続された端末装置または該端末装置で読み出し可能な記憶メディアにあらかじめ書き込まれている内部識別情報とが合致するか否かを照合する照合手段と、照合が真である場合に通信又は情報メディアを介して情報処理装置から器械装置に対して制御情報を伴う応答をなす応答手段と、応答があった場合に制御情報に基づいて内部状態情報に対応する内部状態の制御を行なう状態制御手段とを具備してなることを特徴とする器械装置の制御システムであることが好ましい。
【０６１３】
本発明は、情報処理装置が、１又は複数の内部状態情報を記憶した内部状態情報記憶手段を備え、応答手段が制御情報とともに内部状態情報を伴った応答をなして、照合が真である場合に器械装置において状態制御手段が前記制御情報に基づいて内部状態情報に対応する内部状態の制御を行なう器械装置の制御システムであることが好ましい。
【０６１４】
本発明は、器械装置が、１又は複数の内部状態情報を記憶した内部状態情報記憶手段を備え、状態制御手段は通常は前記内部状態情報の制御が禁止されているが、照合が真である場合に器械装置において状態制御手段が前記制御情報に基づいて内部状態情報に対応する内部状態の制御を行う器械装置の制御システムであることが好ましい。
【０６１５】
本発明は、内部状態情報が、１又は複数の動作モード情報を具備する場合において、制御情報が動作モード情報を選択切替するための情報または動作モード情報を追加するための情報及び／または、動作モード情報に付随する１又は複数の動作機能、動作データ等のモード関連情報を具備する場合において、制御情報がモード関連情報を選択切替するための情報または当該モード関連情報を追加するための情報である器械装置の制御システムであることが好ましい。
【０６１６】
本発明は、動作モード情報に、少なくとも1つ以上の歯科用用途に対応した動作モード情報を含む器械装置の制御システムであることが好ましい。
【０６１７】
本発明は、動作モード情報に、歯科用用途に特化しない器械装置の動作モード情報を含む器械装置の制御システムであることが好ましい。
【０６１８】
本発明は、動作機能又は動作データが、器械装置の動作状態及び／または使用状況をモニタリングするためのものである器械装置の制御システムであることが好ましい。
【０６１９】
本発明は、器械装置からの制御情報要求を許可するためのＩＤ入力受付手段、パスワード入力受付手段の少なくとも何れかを設けている器械装置の制御システムであることが好ましい。
【０６２０】
本発明は、内部状態情報が、ファームウェアとして与えられる器械装置の制御システムであることが好ましい。
【０６２１】
本発明は、機械装置に情報処理装置の端末装置を具備するかまたは接続され、制御情報要求手段と状態制御手段と照合手段が端末装置上で作動するソフトウエアであることを特徴とする器械装置の制御システムであることが好ましい。
【０６２２】
本発明は、外部の情報処理装置から器械装置の内部状態の制御を行なうものであって、器械装置若しくはこれに接続された端末装置から情報処理装置に対し通信又は情報メディアを介し器械装置の機器識別情報を伴って制御情報を要求する制御情報要求ステップと、情報処理装置において器械装置に固有の内部識別情報を前記機器識別情報と関連づけて予め登録した識別情報データベースに前記機器識別情報が登録してあるか否かを照会する照会ステップと、登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答ステップと、制御情報に反映されている内部識別情報が器械装置にあらかじめ書き込まれている内部識別情報と合致するか否かを照合する照合ステップと、照合が真である場合に制御情報に基づいて内部状態情報に対応する内部状態の制御を行なう状態制御ステップとを具備してなることを特徴とする器械装置の制御方法であることが好ましい。
【０６２３】
本発明は、外部の情報処理装置から器械装置の内部状態の制御を行なうものであって、器械装置若しくはこれに接続された端末装置から情報処理装置に対して通信又は情報メディアを介し器械装置の機器識別情報及び器械装置に固有の内部識別情報を伴って制御情報を要求する制御情報要求ステップと、情報処理装置において前記機器識別情報が登録してあるか否かを照会する照会ステップと、登録ある場合に当該機器識別情報に対応して登録されている内部識別情報と器械装置にあらかじめ書き込まれている内部識別情報とが合致するか否かを照合する照合ステップと、照合が真である場合に通信又は情報メディアを介して情報処理装置から器械装置に対して制御情報を伴う応答をなす応答ステップと、応答があった場合に制御情報に基づいて内部状態情報に対応する内部状態の制御を行なう状態制御ステップとを具備してなることを特徴とする器械装置の制御方法であることが好ましい。
【０６２４】
本発明は、情報処理装置が、１又は複数の内部状態情報を記憶しており、応答ステップ時に制御情報とともに内部状態情報を伴った応答をなして、前記照合ステップにおける照合が真である場合に前記制御情報及び内部状態情報に基づいて状態制御ステップを実施する器械装置の制御方法であることが好ましい。
【０６２５】
本発明は、器械装置が、１又は複数の内部状態情報を記憶しており、状態制御ステップの実行は通常は禁止されているが、器械装置において制御情報を受け取りそれに基づく照合が真である場合に前記制御情報に基づく状態制御ステップが実施可能となる器械装置の制御方法であることが好ましい。
【０６２６】
本発明に係る器械装置の制御システムは、歯科器械装置、特に歯科器械装置における歯科口腔測色写真システム、歯科口腔写真システム、歯科写真システム、歯科写真撮影システムに用いる歯科器械装置の制御システムであることが好ましい。
【０６２７】
本発明は、外部の情報処理装置から器械装置の内部状態の制御を行なうものであって、  情報処理装置に対して通信又は情報メディアを介し器械装置の機器識別情報を伴って制御情報を要求する制御情報要求手段と、情報処理装置において器械装置に固有の内部識別情報を前記機器識別情報と関連づけて予め登録した識別情報データベースと、情報処理装置において前記識別情報データベースに前記機器識別情報が登録してあるか否かを照会する照会手段と、登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答手段と、制御情報に反映されている内部識別情報が、器械装置または器械装置に接続された端末装置または該端末装置で読み出し可能な記憶メディアにあらかじめ書き込まれている内部識別情報と合致するか否かを照合する照合手段と、照合が真である場合に制御情報に基づいて内部状態情報に対応する内部状態の制御を行なう状態制御手段とを具備してなることを特徴とする歯科口腔器械装置の制御システムであることが好ましい。
本発明は、外部の情報処理装置から器械装置の内部状態の制御を行なうものであって、情報処理装置に対して通信又は情報メディアを介し器械装置の機器識別情報及び器械装置に固有の内部識別情報を伴って制御情報を要求する制御情報要求手段と、情報処理装置において内部識別情報を前記機器識別情報と関連づけて予め登録した識別情報データベースと、情報処理装置において前記識別情報データベースに前記機器識別情報が登録してあるか否かを照会する照会手段と、登録ある場合に当該機器識別情報に対応して登録されている内部識別情報と、器械装置または器械装置に接続された端末装置または該端末装置で読み出し可能な記憶メディアにあらかじめ書き込まれている内部識別情報とが合致するか否かを照合する照合手段と、照合が真である場合に通信又は情報メディアを介して情報処理装置から器械装置に対して制御情報を伴う応答をなす応答手段と、応答があった場合に制御情報に基づいて内部状態情報に対応する内部状態の制御を行なう状態制御手段とを具備してなることを特徴とする歯科器械装置の制御システムであることが好ましい。
【０６２８】
本発明は、情報処理装置が、１又は複数の内部状態情報を記憶した内部状態情報記憶手段を備え、応答手段が制御情報とともに内部状態情報を伴った応答をなして、照合が真である場合に器械装置において状態制御手段が前記制御情報に基づいて内部状態情報に対応する内部状態の制御を行なう歯科器械装置の制御システムであることが好ましい。
【０６２９】
本発明は、器械装置が、１又は複数の内部状態情報を記憶した内部状態情報記憶手段を備え、状態制御手段は通常は前記内部状態情報の制御が禁止されているが、照合が真である場合に器械装置において状態制御手段が前記制御情報に基づいて内部状態情報に対応する内部状態の制御を行う歯科器械装置の制御システムであることが好ましい。
【０６３０】
本発明は、内部状態情報が、１又は複数の動作モード情報を具備する場合において、制御情報が動作モード情報を選択切替するための情報または動作モード情報を追加するための情報及び／または、動作モード情報に付随する１又は複数の動作機能、動作データ等のモード関連情報を具備する場合において、制御情報がモード関連情報を選択切替するための情報または当該モード関連情報を追加するための情報である歯科器械装置の制御システムであることが好ましい。
【０６３１】
本発明は、動作モード情報に、少なくとも1つ以上の歯科用用途に対応した動作モード情報を歯科器械装置の制御システムであることが好ましい。
【０６３２】
本発明は、動作モード情報に、歯科用用途に特化しない器械装置の動作モード情報を含む歯科器械装置の制御システムであることが好ましい。
【０６３３】
本発明は、動作機能又は動作データが、器械装置の動作状態及び／または使用状況をモニタリングするためのものである歯科器械装置の制御システムであることが好ましい。
【０６３４】
本発明は、器械装置からの制御情報要求を許可するためのＩＤ入力受付手段、パスワード入力受付手段の少なくとも何れかを設けている歯科器械装置の制御システムであることが好ましい。
【０６３５】
本発明は、内部状態情報が、ファームウェアとして与えられる歯科器械装置の制御システムであることが好ましい。
【０６３６】
本発明は、機械装置に情報処理装置の端末装置を具備するかまたは接続され、制御情報要求手段と状態制御手段と照合手段が端末装置上で作動するソフトウエアであることを特徴とする歯科器械装置の制御システムであることが好ましい。
【０６３７】
本発明は、外部の情報処理装置から器械装置の内部状態の制御を行なうものであって、器械装置若しくはこれに接続された端末装置から情報処理装置に対し通信又は情報メディアを介し器械装置の機器識別情報を伴って制御情報を要求する制御情報要求ステップと、情報処理装置において器械装置に固有の内部識別情報を前記機器識別情報と関連づけて予め登録した識別情報データベースに前記機器識別情報が登録してあるか否かを照会する照会ステップと、登録ある場合に少なくとも当該機器識別情報に対応した内部識別情報を前記識別情報データベースから取り出し通信又は情報メディアを介して情報処理装置から器械装置に対して少なくとも当該内部識別情報を反映した制御情報を伴う応答をなす応答ステップと、制御情報に反映されている内部識別情報が器械装置にあらかじめ書き込まれている内部識別情報と合致するか否かを照合する照合ステップと、照合が真である場合に制御情報に基づいて内部状態情報に対応する内部状態の制御を行なう状態制御ステップとを具備してなることを特徴とする歯科器械装置の制御方法であることが好ましい。
【０６３８】
本発明は、外部の情報処理装置から器械装置の内部状態の制御を行なうものであって、器械装置若しくはこれに接続された端末装置から情報処理装置に対して通信又は情報メディアを介し器械装置の機器識別情報及び器械装置に固有の内部識別情報を伴って制御情報を要求する制御情報要求ステップと、情報処理装置において前記機器識別情報が登録してあるか否かを照会する照会ステップと、登録ある場合に当該機器識別情報に対応して登録されている内部識別情報と器械装置にあらかじめ書き込まれている内部識別情報とが合致するか否かを照合する照合ステップと、照合が真である場合に通信又は情報メディアを介して情報処理装置から器械装置に対して制御情報を伴う応答をなす応答ステップと、応答があった場合に制御情報に基づいて内部状態情報に対応する内部状態の制御を行なう状態制御ステップとを具備してなることを特徴とする歯科器械装置の制御方法であることが好ましい。
【０６３９】
本発明は、情報処理装置が、１又は複数の内部状態情報を記憶しており、応答ステップ時に制御情報とともに内部状態情報を伴った応答をなして、前記照合ステップにおける照合が真である場合に前記制御情報及び内部状態情報に基づいて状態制御ステップを実施する歯科器械装置の制御方法であることが好ましい。
【０６４０】
本発明は、器械装置が、１又は複数の内部状態情報を記憶しており、状態制御ステップの実行は通常は禁止されているが、器械装置において制御情報を受け取りそれに基づく照合が真である場合に前記制御情報に基づく状態制御ステップが実施可能となる器械装置の制御方法であることが好ましい。
【発明の効果】
【０６４１】
まず歯科口腔測色写真システムの効果について述べる。
【０６４２】
以上に示した構成・特性・動作により、本発明は術者データ・撮影対象データ・撮影条件データをもとに撮影画像データを自動的に整理・管理・表示・印刷・色補正・色表現・輪郭抽出し、術者を支援し操作性を向上するものである。
【０６４３】
また、逆に既に撮影した特定の患者のこれらデータを歯科口腔撮影用デジタルカメラへ転送することにより、再診に訪れた患者の撮影を同じ条件で行なうことで術者を支援し操作性を向上するものである。
【０６４４】
また、術者に撮影指針を与え、かつ撮影準備を自動的に行ない操作性を向上するものである。
【０６４５】
また、ファインダーまたは液晶モニタに撮影対象に応じた照準または、再診の患者であれば以前の画像データの輪郭を表示して撮影支援し操作性を向上するものである。
【０６４６】
本発明は、歯科口腔測色写真システムに歯科口腔撮影用プログラム部分を組み込み、さらに規格撮影の種類等の撮影属性データを術者に選択させ、撮影画像データに被写体に属する情報撮影属性データを関連付けることにより、従来非常に困難であった歯科口腔写真撮影を誰でも簡単に失敗無く撮影可能とするばかりでなく、撮影後の撮影画像データの整理管理を容易ならしめるものである。
【０６４７】
つまり、どの部位を撮影するかの撮影属性データを撮影前にあらかじめ特定することにより、付加的な撮影属性データである撮影条件を撮影前にあらかじめ把握し、デジタルカメラの撮影動作条件とすることで術者を支援するものである。
【０６４８】
また、どの部位を撮影するかの撮影属性データとともに、患者を区別または識別するための撮影属性データを撮影画像データに関連付けることにより、複数の患者の複数の撮影部位、さらには複数の術者による未整理の撮影画像の撮影後の画像整理を自動化するものである。
【０６４９】
また、撮影属性データとして撮影画像の補正または改変情報を組み込むことにより、再現撮影において、撮影画像を改変した輪郭画像を照準として再現撮影を容易ならしめたり、撮影画像に治療後のシミュレーションを施した画像を特定したりまた自動的に整理したり、撮影画像が悪意を持って改変されていることを特定したりすることを可能ならしめるものである。
【０６５０】
また、この様に撮影属性データを関連付けられた撮影画像データや撮影画像データを使って整理したり閲覧したりするための閲覧プログラムを撮影画像データファイルや関連付けられた撮影属性データファイルに内蔵することにより、撮影画像データまたは撮影属性データファイルを配布するだけで、本発明による撮影属性データの活用を可能ならしめるものである。
【０６５１】
また、口腔写真撮影に対応した照明をセットし、撮影距離にもとづき照明の最適な制御を行ない、撮影画像の被写体反射光量を最適化し、ミスの無い簡単撮影を実現し結果的に操作性を向上させるものである。
【０６５２】
特に術者があらかじめ決められた規格撮影または再現撮影を選択した場合には、あらかじめ撮影距離が決まっているので、撮影距離を固定することで最適な照明の制御を行なうものである。
【０６５３】
口腔写真撮影における被写体の部位によっては照明をレンズに近い方向から照射したり、レンズとは離れた角度から照射したりする必要があり、撮影のための照明から被写体表面までの距離を変えず、照明光の被写体への入射角度を可変とすることができる入射角度可変機構を有することにより、この様な場合においても撮影距離を的確に制御することが可能となる。
【０６５４】
この様な目的のために光ファイバにより照明光をガイドすることで、いろいろな方向から的確な照明を照射することが可能となる。
【０６５５】
また、歯の色の判定に関し、人間天然歯の表色系に基づく測色計、または歯科用色標識を用いて色の判定を行ない、色の再現を支援するものである。
【０６５６】
また、歯科用色標識を撮影対象と同時撮影することにより、撮影画像の色補正・色判定を行ない、色の再現を支援するものである。
【０６５７】
また、歯科用色標識または一般の色票または色見本を撮影することによって、歯科口腔撮影用デジタルカメラの色補正を行ない、色の再現を支援するものである。
【０６５８】
特に、色の表現に区分表現および値表現が表現を用いることにより、歯科診療、特に歯科補綴診療に必要な患者の歯の色の区分情報を与えるとともに、その歯の色が正確にはその区分のどこに位置するのかの情報としての値表現を与えることにより、歯科診療、特に歯科補綴診療によりきめ細かな治療の指針情報を与えるものである。
【０６５９】
また、歯科用色標識または一般の色票または色見本を撮影し、歯科口腔画像管理ソフトウェアでコンピュータディスプレイに表示またはプリンタで印刷した歯科用色標識または一般の色票または色見本を再度撮影し、色データを照合することで歯科口腔撮影用デジタルカメラとコンピュータディスプレイまたはプリンタの色補正を行ない、色の再現を支援するものである。
【０６６０】
また、画像が撮影時のオリジナルのものであるか、改変されたものであるかを判別して、診療の品質保証の支援を行なうものである。
【０６６１】
歯科用色標識の形態として、多角形板状、好ましくは円板形状、四角板形状、三角板形状、歯形状である。
【０６６２】
更に好ましくは歯形状である。色票が単体又は複数選べればよい。
【０６６３】
これらの形状が、複数接続されているか又は、全てが接続されていないか、全てが着脱できる接続機構を備えている事が好ましく、更には全てが着脱できる接続機構を備えている事が好ましい。
【０６６４】
また、紫外領域または赤外領域をカットするフィルタをることにより、患者の歯の色をより目視に近く再現可能とするものである。
【０６６５】
また、撮影光と被写体の間に偏光板を有し、レンズと被写体の間に偏光板を介することにより、照明の直接反射を抑えたり、歯面のより微細な構造や、歯面直下の内部構造も同時に撮影可能ならしめるものである。
【０６６６】
本発明の好ましい対応として、汎用デジタルカメラを利用する態様があり、その態様について下記に説明する。
【０６６７】
更に具体的な形態のいける効果を以下で述べる。
【０６６８】
本発明によれば、被写体に照射される光量がカメラとの距離に依存せず常に一定になるように制御されているので、カメラ側の絞り値・シャッタースピードは任意の固定値で構わないことになる。
【０６６９】
また、カメラの焦点位置を固定する必要が無いので、カメラのオートフォーカス機能を使用することが可能となる。
【０６７０】
また、本発明によれば、測距中の距離情報を保持し、保持された距離情報によって照明部１００５の制御を行う機構が備えられているので、たとえば、微小な被写体のように測距部によって測距不可能な被写体の場合に、前もって被写体と同じ位置に測距可能な別物体をセットして測距してその距離情報を保持し、保持した距離情報を使用して撮影することで適正な露出で撮影することが可能となる。
【０６７１】
また、本発明によれば、照明部１００５を連続的に微弱発光させる機構が備えられているので、撮影前に被写体に照明光を微弱発光させカメラのファインダより被写体を観察することで、とくに表面の光沢度か高い被写体に生じがちな反射の影響を事前に知ることができ、被写体へ向けるカメラの角度などを調整することで、反射の影響を最小限に抑えることができることになる。
【０６７２】
また、本発明によれば、照明部１００５の経年変化を補正することができ、定期的に補正を行うことで常に一定の露出の画像を得ることが可能となる。
【０６７３】
歯科用色標識または歯科用色票または歯科用色見本または歯科用色形状見本を撮影することにより、ホワイトバランスを調整したり、撮影光量を調整するために、歯科用色標識または歯科用色票または歯科用色見本または歯科用色形状見本の色のデータを内蔵することが好ましい。
【０６７４】
また、ホワイトバランス用に特別に設計した灰色の専用紙または専用板を使用することも好ましい。特別に設計するとは、ホワイトバランス調整により、灰色の専用紙または専用板の画像の色を無色と見なすことにより、天然歯または補綴物またはシェードガイドの色が正確に撮像される様に該灰色の専用紙または専用板の色調を調整して設計することである。これらは、撮影画像の色再現性の向上や操作性の向上に大きな効果がある。つまり、工場出荷時の出荷検査をこの様に行うことにより、あるいは術者側でフラッシュ等の照明が経年変化を起こした場合にこの調整を行うことにより、正確な被写体の色を再現すると共に、撮影画像の色を解析することにより、画像各部、つまり被写体各部の色の測色を行うこともできる。
【０６７５】
フラッシュの種類、位置および角度、クローズアップレンズの有無、NDフィルタの有無、拡散板等のフラッシュ光を変化させる部材の有無に応じてフラッシュ光量を調整するために、これらの有無による画像の明るさの変化をあらかじめ内蔵または計算し、表示メニューと選択スイッチ等でこれらの撮影条件を選択することにより、フラッシュ光量を変化させる構成も考えられる。このことにより、被写体の画像の色再現性を向上すると共に、撮影時に設定することで、撮影後の後処理によって行うよりも操作性を向上するものである。
【０６７６】
半透明または拡散する部材をフラッシュ発光部の前に装着することによりフラッシュの減光を行うとともに、この減光に応じてフラッシュ光量を増大することも有効である。この部材は板状の減光板でも、紙状の減光紙でも、フィルム状の減光フィルムでも構わない。この減光効果は、あらかじめ歯科口腔測色写真システムに減光率情報として内蔵し、その分フラッシュ光量を増光する。このことにより、フラッシュの発光量の精度が高く、制御がし易い中間の光量でフラッシュを発光させることが可能で、色再現性を向上すると共に、フラッシュの光量をマニュアルで調整する手間を省き、操作性の向上をもたらすものである。
【０６７７】
ズーム機能を搭載した歯科口腔測色写真システムにおいて、クローズアップレンズを使用し、ズーム機能を有効にするとともに、撮影距離に応じて照明の光量を制御し、自動焦点機能により焦点調節を行うことにより、術者の都合のいい撮影距離で、被写体の画像の明るさを一定に保ちつつ、所望の倍率の歯科口腔写真撮影が可能となる。この場合に、絞り値固定型のズームレンズを使用することが好ましい。このことにより、ある範囲内で任意の撮影距離で任意の撮影倍率で、自動焦点機能を用い、一定の画像の明るさで撮影することが可能であり、色再現性と操作性を著しく改善する。
【０６７８】
フラッシュを保持するための保持具の内径が、口径変換アダプタを使用せずしてレンズ筒の口径よりも一定の公差以上大きいか、口径変換アダプタを使用してその変換後の口径よりも一定の公差以上大きくすることにより、フラッシュを保持するための保持具を、レンズ筒またはクローズアップレンズ、またはＮＤフィルタの外側に保持固定することが可能となり、該保持具が画角を狭めることを防ぐことが出来る。該保持具は、レンズ筒またはクローズアップレンズ、またはＮＤフィルタの外形側にねじで固定するか、または、これらの間に挟み込むことが考えられる。このことにより、レンズ筒またはクローズアップレンズまたはＮＣフィルタまたは保持具自身が、画角を狭めて、顔全体や上半身等の広角側の撮影でのケラレを防止することが出来る。クローズアップレンズを外すことでケラレを防止することよりも操作性を向上し、撮影可能なズーム倍率・撮影距離・撮影倍率の範囲を広げることで、結果的に色再現性の向上につながる。
【０６７９】
歯科口腔撮影におけるミラー撮影時に、フラッシュ光量を増光することにより、ミラーの反射による減光を補償することが有効である。表示メニューと選択スイッチ等でミラー撮影の撮影条件を選択することにより、フラッシュ光量を増光させることはさらに有効である。これらのためにミラーによる減光率をあらかじめ歯科口腔測色写真システムが情報として内蔵することが好ましい。このことにより、色再現性を向上するとともに、後処理によって色を調整する煩わしさを無くし、操作性を向上するものである。
【０６８０】
更に、構成・特性・動作により、本発明は術者データ・撮影対象データ・撮影条件データをもとに撮影画像データを自動的に整理・管理・表示・印刷・色補正・色表現・輪郭抽出し、術者を支援し操作性を向上するものである。
【０６８１】
また、逆に既に撮影した特定の患者のこれらデータを歯科口腔撮影用デジタルカメラへ転送することにより、再診に訪れた患者の撮影を同じ条件で行なうことで術者を支援し操作性を向上するものである。
【０６８２】
また、術者に撮影指針を与え、かつ撮影準備を自動的に行ない操作性を向上するものである。
【０６８３】
また、ファインダーまたは液晶モニタに撮影対象に応じた照準または、再診の患者であれば以前の画像データの輪郭を表示して撮影支援し操作性を向上するものである。
【０６８４】
また、口腔写真撮影に対応した照明をセットし、照明の最適な制御を行ない、撮影画像の露出を最適化し、ミスの無い簡単撮影を実現し結果的に操作性を向上させるものである。
【０６８５】
また、歯の色の判定に関し、人間天然歯の表色系に基づく測色計、または歯科用色標識を用いて色の判定を行ない、色の再現を支援するものである。
【０６８６】
また、歯科用色標識を撮影対象と同時撮影することにより、撮影画像の色補正・色判定を行ない、色の再現を支援するものである。
【０６８７】
また、歯科用色標識または一般の色票または色見本を撮影することによって、歯科口腔撮影用デジタルカメラの色補正を行ない、色の再現を支援するものである。
【０６８８】
また、歯科用色標識または一般の色票または色見本を撮影し、歯科口腔画像管理ソフトウェアでコンピュータディスプレイに表示またはプリンタで印刷した歯科用色標識または一般の色票または色見本を再度撮影し、色データを照合することで歯科口腔撮影用デジタルカメラとコンピュータディスプレイまたはプリンタの色補正を行ない、色の再現を支援ものである。
【０６８９】
また、画像が撮影時のオリジナルのものであるか、改変されたものであるかを判別して、診療の品質保証の支援を行なうものである。
歯科用色標識の形態として、多角形板状、好ましくは円板形状、四角板形状、三角板形状、歯形状である。
【０６９０】
更に好ましくは歯形状である。色標が単体又は複数選べればよい。
【０６９１】
これらの形状が、複数接続されているか又は、全てが接続されていないか、全てが着脱できる接続機構を備えている事が好ましく、更には全てが着脱できる接続機構を備えている事が好ましい。
【０６９２】
図中には構成部材の番号だけでは解りづらいので、略表現した部材名を記した。また図中に２点鎖線で示した部分は本発明にはよらない部材または概念を示す。
【０６９３】
図３０は本発明のハードウェアの構成を示し、矢印はデータの移動を示す。図中１は照明システムを含む歯科口腔撮影用デジタルカメラ、２Ｓは歯科口腔画像管理ソフトウェア、２はコンピュータシステム、３は歯科用測色計、４は歯科用色標識、５は定型色表現の診断票である。
【０６９４】
さらに、１１はカメラ本体、１２Ｓはカメラ制御ソフト、１３はファインダー、１４は液晶モニター、１５は照明システム、１６は光ファイバガイド、１７は赤外カットフィルターである。
【０６９５】
図３１は、本発明の歯科口腔写真システムで扱うデータの構成を示し、矢印はデータの移動を示す。図中６は歯科口腔撮影用デジタルカメラで扱うデータ、７は歯科口腔画像管理ソフトウェアで扱うデータ、８は歯科口腔撮影用デジタルカメラの制御プログラムの機能ブロック、９は歯科口腔画像管理ソフトウェアの機能ブロックである。
【０６９６】
さらに、６１および７１は被写体の画像そのものである画像データ、６２、７２は患者名・撮影部位・撮影順を含む撮影対象データ、６３、７３は絞り・シャッター速度・照明光量等の撮影条件データ、６４、７４は診療所名・術者名を含む術者データ、６５、７５は画像が撮影時のオリジナルであるか・改変されたものかの認証のための画像認証・改変データ、６６、７６は撮影画像の輪郭を抽出した画像輪郭データ、６７、７７はカメラの制御プログラム、６８、７８は規格撮影データである。
【０６９７】
図３２は本発明の歯科口腔写真システムの機能ブロックの構成を示し、８は歯科口腔撮影用デジタルカメラの制御プログラムの機能ブロック、９は歯科口腔画像管理ソフトウェアの機能ブロック、８１、９１は歯科撮影表示・一般撮影選択を行なうブロック、８２、９２は診療所名を含む術者の表示・入力・選択・記録を行なうブロック、８３、９３は患者名・撮影部位を含む撮影対象表示・入力・選択・記録を行なうブロック、８４、９４は絞り・シャッター速度・照明光量等の撮影条件を表示・入力・選択・記録するブロック、８５、９５は撮影画像がオリジナルであるか改変されたかを示すための情報を記録する画像認証・改変情報記録ブロック、８６、９６は撮影画像の輪郭そ抽出する画像輪郭データ抽出ブロック、８７、９７は歯科口腔撮影用デジタルカメラのファインダーまたは液晶モニターに撮影対象に応じた照準を表示する照準・輪郭データ表示ブロック、８８、９８は照準に合う様に術者にカメラの位置・方向を示すカメラ位置・方向指示ブロック、８９、９０は被写体との距離を検出し照明光量を補正するブロック、８Ａ、９Ａは撮影した画像を整理・追加・管理・表示するブロック、８Ｂ、９Ｂは画像の色を補正するブロック、８Ｃ、９Ｃは患者名を入力し特定するためのブロック、８Ｄ、９Ｄは画像の色の判定・表示・出力を行なうブロック、８Ｅ、９Ｅは治療過程の画像の色変化を表示・印刷するブロック、８Ｆ、９Ｆは制御プログラムを送信または受信するブロック、８Ｇ、９Ｇ撮影を実行するブロックである。
【０６９８】
図３３は、本発明の歯科口腔撮影用デジタルカメラの照明システムを示し、１５１はストロボ発光部、１５２はストロボアームである。
【０６９９】
図３４は、本発明の歯科口腔撮影用デジタルカメラの光ファイバによる照明システムを示し、１５１はストロボ発光部、１５３は光ファイバ（１５３）、１５４は光ファイバアーム、１５５はミラー、１５６は光ファイバ固定具、１５７はパイロットランプである。
【０７００】
図３５は人間天然歯の表現の構成について示す。任意の色は色に関する３つの独立した値として表現できることが国際照明学会で認められている。
【０７０１】
これを表色系というが、代表的な表色系として図３５に示すＬ＊（明度を示す）、ａ＊、ｂ＊（Ｌ＊軸からの距離が彩度を表し、Ｌ＊軸周りの位相角が色相を表す）がある。
【０７０２】
人間天然歯の色の分布は図中の楕円体付近の非常に狭い範囲に分布している。本発明の実施の特性の構成としては、この狭い分布を全表色空間とする新たな表色系として図に示すＳ、Ｖ、Ｈの値と目盛で表す人間天然歯表色系を構成している。
【０７０３】
星印の１〜６は人間天然歯表色系の端点で歯科用色標識の色票の色を表す。
【０７０４】
図３６は歯科用色標識を示す。星印の１〜６は図３５で示した人間天然歯表色系の端点で歯科用色標識の色票の色を表す。
【０７０５】
撮影画像データ、術者データ、撮影対象データ、撮影条件データ、規格撮影データを歯科口腔撮影用デジタルカメラから歯科口腔画像管理ソフトウェア間で共有することにより、撮影支援し操作性を向上するものである。
【０７０６】
また、撮影画像の露出を最適化し、ミスの無い簡単撮影を実現し結果的に操作性を向上させるものである。
【０７０７】
また、歯の色の判定に関し、人間天然歯の表色系に基づく測色計、または歯科用色標識を用いて色の判定を行ない、色の再現を支援するものである。
【０７０８】
また、歯科用色標識を撮影対象と同時撮影することにより、撮影画像の色補正・色判定を行ない、また、人間天然歯表色系にもとづく歯科用色標識を撮影することによって、歯科口腔撮影用デジタルカメラ、コンピュータディスプレイまたはプリンタの色補正を行ない、色の再現を支援するものである。
【０７０９】
また、画像が撮影時のオリジナルのものであるか、改変されたものであるかを判別して、診療の品質保証の支援を行なうものである。
【０７１０】
従来の歯科用カメラまたは歯科用デジタルカメラにおける固定焦点撮影は、撮影距離を術者が厳密に合わさなければならず操作性が悪い。
【０７１１】
歯科の規格撮影においては撮影距離を合わしながら同時に構図も安定させなければならず、カメラの操作に不慣れな術者には難しい。
【０７１２】
従来の歯科用デジタルカメラは画像管理ソフトの情報共有方式を持たないので、写真の整理等に多大の時間を要している。
【０７１３】
従来の様な全色空間を対象とした歯科用色標識を用いた歯科口腔撮影用デジタルカメラまたは歯科口腔画像管理ソフトウェアの色補正システムでは人間の天然歯の様な狭い領域に分布する色を補正するのに誤差が生じ易い。
【０７１４】
また、何らかの方法で患者に治療過程での歯の色の変化の経過を報告する必要が生じている。
【０７１５】
証明価値の認証技術に関しては、歯科口腔撮影用デジタルカメラまたは歯科口腔画像管理ソフトウェアにこの技術を投入する技術進展そのものが課題となる。
そこで本発明は、歯科口腔撮影用デジタルカメラまたは歯科口腔画像管理ソフトウェアにより術者支援、証明価値の認証を行い、操作性の向上を実現。
【０７１６】
撮影距離に比例した照明光量制御や、被写体距離を一定に保ちながら照明方向を変えたり、光ファイバを用いた照明システムにより、露出を安定化するものである。
【０７１７】
次に歯科口腔測色写真システムの効果について述べる。
【０７１８】
歯科口腔写真撮影において、自動露出機能および／または自動焦点機能を利用することが可能になる。
【０７１９】
従って、一般のカメラ分野においてかつて全自動カメラ（自動露出機能および自動焦点機能を有するカメラ）の登場により、誰でも訓練無く、簡単に写真撮影が出来る様になった事と同様に、自動焦点機能を用いることにより、更に撮影距離に応じて明るさを制御する機能を用いることにより歯科口腔写真撮影の分野においても、誰でも訓練無く、簡単に写真撮影が出来る様になるものである。
【０７２０】
さらにこのことが実現することにより、診療時間を犠牲にすることなく、診療の間隙をぬって歯科口腔写真撮影をぴったりとしたピントと画像の明るさを実現しつつ行うことが可能になり、その画像を高品位の補綴物の作成に生かしたり、正しい診療記録として残したり、患者への治療方針や治療結果の説明に用いたりすることが可能となる。
【０７２１】
次に歯科写真撮影システムの効果について述べる。
【０７２２】
歯科撮影において、自動露出機能および／または自動焦点機能を利用することが可能になる。
【０７２３】
従って、一般のカメラ分野においてかつて全自動カメラ（自動露出機能および自動焦点機能を有するカメラ）の登場により、誰でも訓練無く、簡単に写真撮影が出来る様になった事と同様に、自動焦点機能を用いることにより、更に撮影距離に応じて明るさを制御する機能を用いることにより歯科撮影の分野においても、誰でも訓練無く、簡単に写真撮影が出来る様になるものである。
【０７２４】
さらにこのことが実現することにより、診療時間を犠牲にすることなく、診療の間隙をぬって歯科撮影をぴったりとしたピントと画像の明るさを実現しつつ行うことが可能になり、その画像を高品位の補綴物の作成に生かしたり、正しい診療記録として残したり、患者への治療方針や治療結果の説明に用いたりすることが可能となる。
【０７２５】
次に機械装置の制御システムの効果について述べる。
【０７２６】
以上に示した構成・特性・動作により、本発明は器械装置の動作モード情報、動作機能、動作データなどの内部状態を適正な要求者にのみ不正なくカスタマイズすることを可能とする器械装置の制御システムおよび制御方法を提供する事が可能となる。
【０７２７】
器械装置を使用するユーザーが、当該器械装置を管理する情報処理装置に対して偽った機器識別情報を送っても、情報処理装置側でその機器識別情報が登録してなければ照合ステップで拒絶される。
【０７２８】
たとえ機器識別情報が登録されており、対応する内部識別情報が存在しても、それが冒用であれば照合ステップにより、実際の器械装置の内部識別と内部識別情報とが不一致（偽）となる。
【０７２９】
よって、制御情報に基づいて内部状態情報の制御を行なう状態制御ステップが実行されなることはない。このため、本発明に係る器械装置の制御方法は、不正冒用行為を効果的に回避することが可能となる。
【発明を実施するための最良の形態】
【０７３０】
まず歯科口腔測色写真システムの形態について述べる。
【０７３１】
以下、本発明の一実施形態を、図面を参照して説明する。
＜システム説明＞
図１に示す本実施形態の歯科口腔測色写真システムは、デジタルカメラ１に内蔵された情報処理装置１０と、デジタルカメラ１の外部に設置されたパーソナルコンピュータ２に内蔵された情報処理装置２０とがＵＳＢその他の通信手段を介して接続されるか、フラッシュメモリー等の記録メディアを介して間接的に接続され、同時または異なる時間を隔てて共動する。無線とは、赤外線、超音波、電波、光などが例示される。
【０７３２】
有線とはケーブルで接続されていることをいう。対象とするデジタルカメラの範疇は、画像をＣＣＤ撮像素子で取得する装置である。
【０７３３】
なお、この実施形態では、デジタルカメラ１側、コンピュータ２側の双方に情報処理装置１０，２０が存在するが、デジタルカメラ１側にのみ情報処理装置１０が存在し、あるいはコンピュータ２側にのみに報処理装置２０が存在する態様も可能である。
【０７３４】
前者の場合はデジタルカメラ１が単独動作し、後者の場合は専ら通信を介してデジタルカメラ１が遠隔制御される。
【０７３５】
デジタルカメラ１に内蔵された情報処理装置１０は、ＣＰＵ１０ａ、ＥＥＰＲＯＭ１０ｂ、ＲＡＭ１０ｃ、ハードウェアインターフェース１０ｄ、無線または有線または記録メディア接続用の通信インターフェース１０ｅを備えた通常のマイクロコンピュータ部分により構成され、ハードウェアインターフェースを介してデジタルカメラ１の各種のハードウェアであるモニターＭ、ファインダーＦ、スピーカーＳＰ、マイクＭＩＣ、セレクタスイッチＳＳ、照明システム１５、撮像装置ＣＣＤ、各種駆動モーター等が接続される。
【０７３６】
なお、ＲＡＭ１０ｃはそれ自身がＳＤメモリカードやメモリスティック、コンパクトフラッシュメモリ等の可搬型の記録メディアである場合も含むものとする。
【０７３７】
パーソナルコンピュータ２に内蔵された情報処理装置２０は、ＣＰＵ２０ａ、ＲＯＭ２０ｂ、ＲＡＭおよび接続された記憶装置・記録メディア２０ｃ、ハードウェアインターフェース２０ｄ、通信インターフェース２０ｅを備えた通常のマイクロコンピュータ部分により構成され、ハードウェアインターフェースを介してパーソナルコンピュータ２の各種のハードウェアであるモニタＭＮ、プリンタＰ、キーボードＫ、照明システム１５また、外部装置または物品である測色計３、色標識４、色判定票５も直接あるいはキーボードと術者のキーボード操作を通して間接的に接続されているものとする。
【０７３８】
ここに言う術者とは、歯科医師、歯科技工士或いはこれらの補助者等である。
【０７３９】
図２に示す様に、デジタルカメラ１側の情報処理装置１０においてはＥＥＰＲＯＭ１０ｂは本発明のプログラム記憶部として機能し、ＲＡＭ１０ｃは本発明の撮影データ記憶部として機能する。
【０７４０】
パーソナルコンピュータ２側の情報処理装置２０においてはＲＡＭ２０ｃおよび接続された記憶装置・記録メディア２０ｃが本発明のプログラム記憶部および撮影データ記憶部となる。
【０７４１】
なお、パーソナルコンピュータ２においてはメモリであるＲＡＭ２０ｃに記憶されるプログラムやデータはハードウェアインターフェース２０ｅを介したパーソナルコンピュータ２のハードディスクや、さらにＣＤ−ＲＯＭドライブ等を介したＣＤ−ＲＯＭやＣＤ−Ｒ等の記憶メディアより転送されたり転送したりしてオペレーティングシステムの管理制御の下、一体的に連動することは周知のとおりであり、これらを総称してＲＡＭ１０ｃおよび接続された記憶装置・記録メディア２０ｃとする。
【０７４２】
図２にさらに示すように、デジタルカメラ１側の情報処理装置１０においてＥＥＰＲＯＭ１０ｂのプログラム記憶部１０ｂＡは、歯科以外の撮影時に動作する非歯科撮影用プログラム部分Ｐ１と、どの様な撮影時でも共通に動作する基本撮影プログラム部分Ｐ２、歯科口腔撮影用プログラム部分AＰ３を内蔵するか読み込み可能である。
【０７４３】
基本撮影プログラム部分Ｐ２とはどの様な撮影時でも共通に動作するプログラム部分をいい、非歯科口腔撮影用プログラム部分Ｐ１とは歯科以外の撮影時に動作する基本撮影プログラム部分以外のプログラムの部分をいい、歯科口腔撮影用プログラム部分AＰ３とは歯科の撮影時に動作する基本撮影プログラム部分以外のプログラムの部分をいう。
【０７４４】
またＲＡＭ１０ｃは撮影画像や撮影画像に関連付けられた撮影属性データ（関連付け情報を含む）を記憶する撮影データ記憶部１０ｃＡを含む。
【０７４５】
ＲＡＭ１０ｃは外部より組み込まれた可搬型の記録メディアであってもよい。
【０７４６】
パーソナルコンピュータ２側の情報処理装置２０においてＲＡＭおよび接続された記憶装置・記録メディア２０ｃのプログラム記憶部２０ｃＡは歯科口腔撮影用プログラム部分BＰ３´を内蔵するか読込み可能である。
【０７４７】
歯科口腔撮影用プログラム部分BＰ３´はパーソナルコンピュータ２側にのみ設けられ、デジタルカメラ１からの画像の取り込み、画像の階層的な追加、分類、整理、管理、表示、照準の作成、バーコードの印刷、画像改変有無の識別・確認・認証・保証、測色データによる画像の色補正等を行なう。
【０７４８】
またＲＡＭおよび接続された記憶装置・記録メディア２０ｃのプログラム記憶部２０ｃＡは歯科口腔撮影用プログラム部分BＰ３´だけでなく、非歯科撮影用プログラム部分Ｐ１、基本撮影プログラム部分Ｐ２、歯科口腔撮影用プログラム部分AＰ３をＲＡＭおよび接続された記憶装置・記録メディア２０ｃに内蔵するか読込みあるいは書き出し可能であり、これらのデジタルカメラ１上で動作するプログラムを、デジタルカメラ１の情報処理装置１０のＥＥＰＲＯＭ１０ｂに転送するために恒久的または一時的に滞在させるか、またはデジタルカメラ１側のこれらのプログラムの有無に関わらず、コンピュータ２側からデジタルカメラを制御するために、動作させるものであっても良い。
【０７４９】
さらにＲＡＭおよび接続された記憶装置・記録メディア２０ｃは撮影データ記憶部２０ｃＢを含む。
【０７５０】
図２を前提に、本システムを設置する場合のプログラムインストールの流れの好適な例を説明する。
【０７５１】
まず本システムによらない一般のデジタルカメラまたは一般のパーソナルコンピュータがあり、本システムの導入にあたってこれはデジタルカメラ１またはパーソナルコンピュータ２となる。
【０７５２】
別の好適な例ではデジタルカメラ１、パーソナルコンピュータ２いずれか片方または両方が本歯科口腔測色写真システムであり、最初からデジタルカメラ１、パーソナルコンピュータ２である。
【０７５３】
デジタルカメラ１の情報処理装置１０には製造時より非歯科撮影用プログラム部分Ｐ１、基本撮影プログラム部分Ｐ２をあらかじめ内蔵しており、歯科口腔撮影用プログラム部分AＰ３、歯科口腔撮影用プログラム部分BＰ３´がバックアップ用またはバージョンアップ用の非歯科撮影用プログラム部分Ｐ１、基本撮影プログラム部分Ｐ２を含んだ歯科口腔測色・写真システム・アプリケーションソフトウェア一式としてＣＤ―ＲＯＭにより供給される。
【０７５４】
術者は装置導入時にこのＣＤ−ＲＯＭより歯科口腔撮影用プログラム部分AＰ３、歯科口腔撮影用プログラム部分BＰ３´、非歯科撮影用プログラム部分Ｐ１、基本撮影プログラム部分Ｐ２をパーソナルコンピュータのハードディスクにインストールする。
【０７５５】
次に、パーソナルコンピュータ２とデジタルカメラ１を無線または有線または記録メディアを介して接続し、パーソナルコンピュータからデジタルカメラ１へ歯科口腔撮影用プログラム部分AＰ３をインストールする。
【０７５６】
この際に非歯科撮影用プログラム部分Ｐ１、基本撮影プログラム部分Ｐ２がバージョンアップ版であれば一緒にインストールすることも出来る。
【０７５７】
さらに本システムを稼動させる典型的な例は、デジタルカメラ１を単独で動作させて歯科口腔写真撮影を行ない、その後パーソナルコンピュータ２とデジタルカメラ１を無線または有線または記録メディアを介して接続し、パーソナルコンピュータ２上で歯科口腔撮影用プログラム部分BＰ３´を起動する。
【０７５８】
歯科口腔撮影用プログラム部分BＰ３´はそれ自身の動作仕様やパーソナルコンピュータ２のオペレーティングシステムの制御に従って一部もしくは全部がパーソナルコンピュータ２のハードディスクからＲＡＭ２０ｃに読込まれて動作し、歯科口腔撮影用プログラム部分BＰ３´の術者操作の手順に従ってデジタルカメラ１からの画像の取り込み、画像の階層的な追加、分類、整理、管理、表示、照準の作成、バーコードの印刷、画像改変有無の識別・確認・認証・識別、測色データによる画像の色補正等を行なう。
【０７５９】
次に、撮影属性データについて説明を行う。撮影属性データは、個々の撮影に付加する撮影画像データ以外のあらゆるデータで、あらかじめ既定または設定または自動更新されて撮影時に変更されない既定撮影属性データ、以前の撮影時から記憶し撮影時に撮影補助手段の外部から内部へ読み込まれる既得撮影属性データ、術者より選択入力またはデータ入力される術者入力撮影属性データがある。
撮影属性データは単一のデータであったり、複数の内部属性データがセットになっている。撮影属性データまたは内部属性データには個々の撮影動作を決定するデータや撮影画像データに関連付けて記録されるデータがある。
【０７６０】
逆に撮影属性データまたは内部属性データには個々の撮影動作の決定には関与しない場合や撮影画像データに関連付けて記憶されないデータがある。
ある撮影属性データの動作上の存在形態としては撮影前に撮影補助手段の一部として術者に確認あるいは選択させるために報知する術者支援データのメニューとして存在する場合や、あるいは撮影時に術者の確認または選択の結果、該撮影属性データへの関連付け情報（該撮影属性データそのものではなく、その存在場所情報等）として存在する場合や、撮影後に撮影画像データに関連付けて記憶される撮影画像属性として存在する場合がある。
撮影画像データと関連付けられた撮影属性データの記憶形態としては撮影画像データの一部と入れ替わる目視認証情報または目視隠匿情報として記憶する場合や、撮影画像データファイルの一部として記憶する場合や、撮影画像データファイルと関連付けられた撮影属性データファイルとして記憶する場合がある。
【０７６１】
これらの記憶形態には撮影画像データ自身は撮影前よりメニューとして不動に存在し、該撮影画像データとの関連付け情報（該撮影属性データそのものではなく、その存在場所情報等）として記憶される撮影属性データを含む。
【０７６２】
既定撮影属性データのメニューとして例えば、規格撮影に関する撮影属性データのメニュー、標準の照準メニュー、標準の撮影手順のメニュー、術者の所属機関名、術者名メニュー、術者が設定するカスタム撮影手順メニュー、術者が設定するカスタム照準メニューが好適である。
【０７６３】
既得撮影属性データのメニューとしては、既に撮影した単数または複数の患者の撮影画像データが好適である。
【０７６４】
術者入力撮影属性データは、既定撮影属性データメニューや既得撮影属性データから術者により選ばれた撮影属性データおよび術者により直接入力され取得した撮影属性データである。
【０７６５】
規格撮影に関する既定撮影属性データは、あらかじめ決められた種類の歯牙または歯列または顔貌を、あらかじめ決められた撮影距離・方向・配置角度で撮影する規格撮影に関する既定撮影属性データで、内部属性データは、撮影距離、被写体反射光量または被写体反射光強度、規格撮影の照準、ミラーの要不要、その規格撮影を特定する符号または番号情報を好適に含む多数のデータのセットである。
規格撮影を特定する符号およびミラーの有無を撮影画像データに関連付け、他の内部属性データは撮影の際にフラッシュ発光量等でデジタルカメラを制御したり、撮影距離等で術者を支援する撮影条件として用いるのが好適である。
【０７６６】
照準に関する既定撮影属性データは、規格撮影をする際に被写体の構図を合わしやすい様に規格撮影の種類に合わせてファインダーまたはモニターに表示する標準の照準と、術者が作成したり、既に撮影した画像から抽出した輪郭を登録したものが好適である。
照準に関する規格撮影属性データの内部属性データはどの照準にするかの１項目だけである。撮影画像データへの関連付けは行わないのが好適である。
【０７６７】
標準の撮影手順に関する撮影属性データは、例えば複数の規格撮影を決まった手順で撮影していく枚数と順番のことで、５枚法手順、１１枚法手順等があり、さらにこれに患者の顔を撮影したり、バーコードを撮影したり、術者のフリー撮影を枚数に加えたものが好適である。
また、各枚数毎にどの順番で撮影するかも内部属性となるが、これは両者を併せた枚数と順番毎に手順の種類とするので内部属性データは手順の種類１項目だけである。
デジタルカメラが規格撮影の撮影手順を自動的に実行していくのに使用するが、規格撮影の種類を撮影画像データに関連付けても良い。
【０７６８】
医院名、技工所名、術者名に関する既定撮影属性データについては項目はそれぞれ医院名、技工所名、術者名単一項目でありそれぞれ、医院名、技工所名、術者名を撮影画像データに関連付けるのが好適である。
関連付けの形式は医院名、技工所名、術者名そのものを撮影画像データファイルに付加するのが好適である。医院名はただ一つ登録可能であり、撮影属性データのメニューを構成しない。
技工所名、術者名は複数登録可能であり撮影属性データのメニューを構成する。医院名、技工所名、術者名に関する既定撮影属性データの内部属性データは設置時に術者により設定されるのが好適である。
【０７６９】
日時に関する撮影属性データは情報処理装置１の持つ日時時刻カウント機能により自動的に更新され、撮影後撮影画像データファイルと関連付けられる。
【０７７０】
カスタム撮影手順とカスタム照準はそれぞれ標準撮影手順とカスタム撮影手順と同じであるが、これらは術者によって設定登録される。
【０７７１】
既得撮影属性データは、規格撮影によらない自由な撮影をある患者に既に行った場合にその後の同様の再現撮影のために、既に撮影した撮影画像データと関連付けられた撮影属性データおよび撮影画像データの輪郭データをセットにしたものであるかまたは、既に撮影した撮影画像データと関連付けられた撮影属性データの記憶場所を表すデータと撮影画像データの輪郭データをセットにしたものである。
【０７７２】
術者入力撮影属性データは、撮影属性データメニューの中から術者が選んだ撮影属性データおよび、術者が直接入力した撮影属性データで、直後に行われる撮影のための撮影条件や直後に撮影する撮影画像データに関連付けるデータとなる。
【０７７３】
さらに図３、図４、図５において詳細な構成要素の説明を続ける。
【０７７４】
図３において、パーソナルコンピュータ２側で動作する歯科口腔撮影用プログラム部分BＰ３´は撮影補助手段１２０および撮影管理手段２２０より成り、撮影データ記憶部２０ｃＢは撮影画像データ記憶部２０ｃＢ１および撮影属性データ記憶部２０ｃＢ２より構成される。
撮影属性データのメニューの一部（不変な既定撮影属性データ）は撮影補助手段１２０に、メニューの残りの部分（既定撮影属性データの変動データおよび設定データ）は撮影属性データ記憶部２０ｃＢ２に、撮影画像および撮影画像に関連付けられた撮影画像データ（関連付け情報を含む）は撮影画像データ記憶部２０ｃＢ１に記憶されることになる。
さらに撮影補助手段１２０においては撮影画像データに関連付けられていないメニューとしての照準を術者がカスタマイズして作成する照準エディタ１２１、バーコード印刷手段１２２、撮影属性データ設定選択手段１２３、改変識別応用手段１２４、照明制御手段１２５、既定撮影属性データおよび既得撮影属性データよりなる撮影属性データＡ１２６を備える。
照準エディタ１２１は、撮影時にファインダー等に表示する照準を予め編集しておくためのものであり、バーコード印刷手段１２２は撮影属性データとしてバーコードをデジタルカメラで撮影する際にバーコードをプリンターＰで印刷するためのものであり、撮影属性データ設定選択手段１２３は患者の氏名等の属性データを撮影に先立って予め作成したり、後述するカスタムの撮影属性データメニューを撮影属性データから選択して作成しておくためのものである。
【０７７５】
改変識別応用手段１２４は撮影した撮影画像データに関連付けられた撮影属性データの中の改変識別情報の内容により、撮影した画像の改変と改変者を特定したり、改変の有無について認証をあたえたりする。特に改変については初診時の撮影時に治療シミュレーションを行うことは有用であり、画像がシミュレーション結果であることを示すのに用いたりする。
【０７７６】
撮影管理手段２２０の構成は撮影データ記憶管理手段２２１、撮影データ出力手段２２２、撮影データ画像処理手段２２５が好適である。
撮影データ画像処理部２２５は色補正支援手段２２７および輪郭抽出手段２２６が好適である。図３にはさらに撮影データ出力手段よりモニタまたはプリンタへ出力される出力イメージ例を記載しており、モニタ表示の例では歯科口腔規格撮影７枚法、つまり上顎右頬側、上顎咬合面ミラー撮影、上顎左頬側、下顎右頬側、下顎咬合面ミラー撮影、下顎頬側、上下顎前歯の７枚の写真に患者の顔写真を加えた撮影結果表示例を示している。
また、プリンタ側では患者１の１／２０日の撮影画像のサムネイル集、１／２７の撮影画像のサムネイル集、患者２の１／２１の撮影画像のサムネイル集、２／１の撮影画像のサムネイル集を階層構造にして印刷出力している。
なお、この階層構造の印刷出力はパーソナルコンピュータに蓄積された画像データがこの様に階層的に整理された形で管理されていることを示す。モニタ出力の７枚法の結果表示にしろ、印刷出力に示した階層構造の画像整理管理にしろ、撮影画像データと撮影属性データを関連付けることにより、パーソナルコンピュータ２の歯科口腔撮影用プログラム部分BＰ３´が、術者の手を煩わすことなく一瞬にして処理するものである。
【０７７７】
さらに図４、図５において、デジタルカメラ１側で動作する歯科口腔撮影用プログラム部分AＰ３は撮影補助手段１１０および撮影管理手段２１０より成り、撮影データ記憶部１０ｃＡは撮影画像データ記憶部１０ｃＡ１と撮影属性データ記憶部１０ｃＡ２により好適に構成される。
【０７７８】
撮影属性データのメニューの一部（不変な既定撮影属性データ）は撮影補助手段１１０に、メニューの残りの部分（既定撮影属性データの変動データおよび設定データ）は撮影属性データ記憶部１０ｃＡ２に、撮影画像および撮影画像に関連付けられた撮影画像データ（関連付け情報を含む）は撮影画像データ記憶部１０ｃＡ１に記憶されることになる。
【０７７９】
撮影補助手段１１０は、術者による撮影に関してデータ設定、撮影順序、撮影の向き等を補助する役割を担うもので、撮影属性データ設定選択手段１１３ａ、既得撮影データ入力手段１１３ｂ、術者支援手段１１４、既定撮影属性データＡ１１５の一部を有する。
【０７８０】
術者支援手段１１４は、撮影補助手段のうち特に術者に選択項目や操作手順、位置方向等を報知し術者からの入力を受け付ける手段を与えるもので、位置方向指示手段Ａ１１４ａ、術者への報知手段Ａ１１４ｂより構成され、これらは選択項目を表示・音声出力したり、デジタルカメラのあるべき位置方向を表示・音声出力して術者に報知するだけでなく、術者によるデジタルカメラの位置方向調整操作やセレクタスイッチSSの操作による選択入力等を受け付ける。
撮影補助手段１１０に配置される既定撮影属性データＡ１１５の一部には、規格撮影に関する既定撮影属性データを集めた規格撮影データメニューＡ１１６、標準の照準に関する既定撮影属性データを集めた標準照準メニュ−Ａ１１７（Ｚ８）、標準の撮影手順に関する既定撮影属性データを集めた標準撮影手順メニューＡ１１８が存在する。
【０７８１】
図４において規格撮影データメニューＡ１１６の例として下顎右歯列規格撮影属性データＡ、上顎右規格撮影属性データＢ、上顎歯列ミラー規格撮影属性データＣ等を記載しているが、もちろんこれは図４にシンボリックに記載してあるだけであり、実際に配置される内容は規格撮影に関する撮影属性データであり、それをメニュー化したものが配置される。
【０７８２】
標準照準メニューＡ１１７（Ｚ８）（照準ａ、ｂ、ｃ等、規格撮影Ａ、Ｂ、Ｃ等に対応して配置）、標準撮影手順メニューＡ１１８（Ｚ３）（手順α：ＦＡＣＥ→Ａ→Ｂ→Ｃ→Ｄ→Ｅ→Ｆ→Ｇ→ＦＲＥＥ等）も同様である。
【０７８３】
これらの撮影属性データのメニューについて規格撮影データメニューＡ１１６を例にもう少し詳細に説明すると、あらかじめ決められた種類の歯牙または歯列または顔貌を、あらかじめ決められた距離・方向・配置角度で規格撮影するに際して、撮影補助手段１１０が特定の規格撮影の中の歯科口腔写真撮影ステップ（歯科口腔写真撮影ステップとは、ある１枚の口腔写真を撮影する際の一連の情報処理装置を通じた手順をいう。）において何れの撮影属性データを選択するかを術者に求め、撮影属性データ設定選択手段により制御検出されるセレクタスイッチＳＳを通じ術者により選択されるものである。
【０７８４】
下顎右歯列規格撮影Ａが選択された場合、この既定撮影属性データは転送されて術者入力撮影属性データＡ１２８の一部となる。
【０７８５】
例えば図５の矢印Ｚ４は歯列Ａを選択した旨を表している。
【０７８６】
次に図５においてデジタルカメラ１側で記憶される撮影データ記憶部１０ｃＡは撮影属性データ記憶部１０ｃＡ２と撮影画像データ記憶部１０ｃＡ１が好適に配置される。
【０７８７】
撮影属性データ記憶部１０ｃＡ２には、既定撮影属性データＡ１１５の一部がメニューとして、既得撮影属性データＡ１２７がメニューとして、術者入力撮影属性データＡ１２８が術者による設定／選択結果として、好適に配置される。
【０７８８】
撮影データ記憶部１０ｃＡに好適に配置される既定撮影属性データの一部には医院名Ａ１２３ａ、技工所名メニューＡ１２３ｂ、術者名メニューＡ１２３ｃ、日時Ａ１２４、カスタム撮影手順メニューＡ１２５、カスタム照準メニューＡ１２６が好適に配置される。
【０７８９】
術者入力撮影属性データＡ１２８の例として図５には、選択した規格撮影Ａ、患者名、パワーＯＮ直後のフラグ、選択した術者名、選択した撮影手順が確定登録されている状態を示している。
【０７９０】
これらの撮影属性データのメニューについて既得撮影データメニューＡ１２７を例にもう少し詳細に説明すると、これは例えば初診時に所定の撮影を済ましてある患者の再診時の治療過程を撮影する中でもっぱら初診時のフリー撮影を行う場合、同一患者における治療過程の同一歯牙または歯列または顔貌を同一距離・方向・配置角度で再現撮影するために用いる既得の撮影画像データおよびその輪郭の画像データのメニューであり、撮影補助手段１１０が特定の再現撮影の中の歯科口腔写真撮影ステップにおいていずれの撮影属性データを選択するかを術者に求めた際にセレクタスイッチＳＳを通じ術者により選択され、既得撮影データ入力手段１１３ｂを通じ術者入力撮影属性データA128に転送されるものである。
【０７９１】
図４、５にはさらにデジタルカメラのモニタに表示された画面イメージとして規格撮影選択（例：Ａ、Ｂ、Ｃ、Ｄ）、術者選択（例：１、２、３）、一般撮影状態への以降選択表示が示されている。
【０７９２】
また、今まさにデジタルカメラのレンズを通して入力されている画像のＣＣＤ上のイメージとして下顎前歯の画像を例示している。
【０７９３】
また、患者確認のために撮影されるバーコードの撮影イメージも記載してある。このバーコードはパーソナルコンピュータ１の歯科口腔撮影用プログラム部分BP３´によりプリンタより出力されたバーコードの撮影イメージを示している。
【０７９４】
以下の説明では、これらのプログラムはデジタルカメラ１側で動作するものとして説明する。以下ではデジタルカメラ１が先行して単独で動作し、後にパーソナルコンピュータ２に接続されて共動する典型的な例において説明する。
【０７９５】
デジタルカメラ１は、非歯科撮影用プログラム部分Ｐ１と基本撮影プログラム部分Ｐ２が動作している非歯科撮影状態と、歯科口腔撮影用プログラム部分AＰ３と基本撮影プログラム部分Ｐ２が動作している歯科口腔撮影状態のいずれかで動作する。
【０７９６】
デジタルカメラ１は歯科口腔撮影状態で立ち上がるべく、パワーオンするとＣＰＵ１０ａは優先的に歯科口腔撮影用プログラム部分AＰ３を読み込み動作するように歯科口腔撮影用プログラム部分AＰ３自身がプログラムされており、その後非歯科撮影状態への移行が可能とされている。
【０７９７】
非歯科撮影状態とは非歯科撮影用プログラム部分Ｐ１と基本撮影プログラム部分Ｐ２が動作している状態をいい歯科口腔撮影状態とは歯科撮影用プログラム部分AＰ３と基本撮影プログラム部分Ｐ２が動作している状態をいう。
【０７９８】
撮影属性データは、関連付けられた撮影画像データがいつ、どの医院または技工所で、どの術者により、パワーオンしてから何番目の患者の何枚目の撮影画像として、どこの規格撮影部位あるいはフリー撮影で、ミラーを使用したか否か、あるいは場合によっては患者名は誰であるかとう情報を含む。
【０７９９】
患者名の取得情報は、患者名（例えば図５における矢印ｚ１参照）または患者に対応する番号または符号またはパターンまたは既に同一患者から取得した撮影画像データの何れかを含み、これによりどの患者のものかを特定することができる。
【０８００】
これら撮影属性データを利用して、パーソナルコンピュータ側において撮影画像を利用する場合に、患者、日付、撮影部位等が自動的に整理・管理可能となる。
【０８０１】
患者の特定は、顔写真によるほか、カルテ等の書類、免許証等の物品等によってもなし得ることを意味する。図８の矢印ｚ６はバーコードを読み込むことによって患者を特定する態様を示している。
【０８０２】
また、情報処理装置１０，２０に内蔵または接続されたプリンタＰやモニターＭ等の表示装置または図示しないプロジェクタ等の投影装置により患者を特定する情報または書類または物品を含む事物を作成表示し、歯科口腔写真撮影ステップにおいてこの事物の撮影またはこれに関する音声報知を行うことにより患者を区別または特定し、撮影属性データとしてもよい。
【０８０３】
例えば、顔写真をプリントしあるいはモニター表示したものをデジタルカメラ１で撮影することにより患者を特定する場合等もあるからである。
【０８０４】
さらに、この実施形態は、撮影属性データの一部に、特定の患者の撮影画像データを構成する歯科口腔写真撮影ステップの最初または最後または特定のステップにおいて最初または最後または特定のステップであることを示すマーク情報を含み、撮影した画像がオリジナルであるか改変されたことを示す画像改変識別情報を含む。
【０８０５】
マーク情報は、数人の患者についてシリアルに撮影画像データが取得される場合に、各患者の撮影画像データ範囲がどこからどこまでであるか（例えばどこが区切りであるか）を特定するために付されるものであり、画像改変識別情報は、ある撮影画像データが治療開始前に撮影した撮影画像データであるか否かを認定するために利用するものである。
【０８０６】
マーク情報は図４の撮影属性データ設定選択手段１１３ａにおいて設定および／または選択する。
【０８０７】
画像改変識別情報は、術者により初診時の撮影画像データに治療シミュレーションを施して表示・保存したり、術者により再現撮影するために輪郭画像に改変されたり、術者により色が補正されたり、術者または患者または第三者により、悪意をもって改ざんされたときに、画像が改変されたことを示すために、例えば撮影属性データとして図１２（ｂ）に示す様にｊｐｇ形式のＥｘｉｆタグ領域にＥｘｉｆ規格にのっとって格納される。
【０８０８】
マーク情報もｊｐｇ形式のＥｘｉｆタグ領域にＥｘｉｆ規格にのっとって格納される。
【０８０９】
図３のパーソナルコンピュータ１側撮影補助手段１２０に設けられている改変識別応用手段１２４が撮影画像の改変についての確認支援・認証・保証を行なうためのものである。
【０８１０】
撮影属性データ設定選択手段１１３ａは、術者に変更選択のための出力をモニター等になした上で、その入力を受け付ける。
【０８１１】
セレクタスイッチＳＳは操作入力を受け付けるものであるが、ＭＩＣを選択入力操作部として音声入力により操作入力を受け付けるようにしてもよい。
【０８１２】
一方、図４に示す撮影補助手段１１０の内部には、撮影属性データの一部を術者支援データとして表示または音声により術者に報知出力する術者支援手段１１４が備わる。
【０８１３】
少なくとも術者支援手段１１４は、撮影手順中の個々の撮影を歯科口腔写真撮影ステップとし、術者支援データに基づきあらかじめ決められた手順に従って報知する出力をなし、該当する規格撮影または再現撮影に応じて、術者にカメラの適正方向を知らせる。
【０８１４】
例えば、あらかじめ決められた歯牙または歯列または顔貌を、あらかじめ決められた距離・方向・配置角度で規格撮影する場合には、術者支援手段１１４は、これに関する術者支援データに基づいて特定の規格撮影の中の１以上の歯科口腔写真撮影ステップを順次術者に報知するための出力をなす。
【０８１５】
具体的には、次の撮影がどの歯牙あるいは歯列であるか、患者が変わる場合には次がどの患者であるのか（氏名や顔貌等）などをモニターＭやファインダーＦ、スピーカＳＰで出力する。
【０８１６】
術者支援手段１１４は、デジタルカメラ１の構成要素であるファインダーＦ又はモニターＭの少なくとも一方に照準を表示する機能を備え、その照準は、歯科口腔写真撮影ステップに応じ術者支援データに基づいて変化する構成となっている。
【０８１７】
図４における矢印ｚ８はいくつかの照準データを示している。
【０８１８】
あるいは、同一患者における治療過程の同一歯牙または歯列または顔貌を同一距離・方向・配置角度で再現撮影する場合には、術者支援手段１１４は、これに関する撮影属性データおよび撮影データのうち、撮影画像、その輪郭、撮影対象、撮影条件、術者名の少なくとも何れかに基づいて特定の再現撮影の中の１以上の歯科口腔写真撮影ステップを順次術者に報知するための出力をなす。
【０８１９】
再現撮影の場合には既得撮影データ入力手段１１３ｂから既得撮影データを取り込むことができるので、その既得撮影データから輪郭抽出したものを照準として用いて次の撮影部位や患者を特定することが有効となる。
【０８２０】
図３のパーソナルコンピュータ２側の撮影管理手段２２０には、既得撮影データを呼び出す際に輪郭抽出するための輪郭抽出手段２２６が設けられている。
【０８２１】
あるいは、術者によって選択され又は順番設定された歯牙または歯列または顔貌を、術者によって選択され又は順番設定された距離・方向・配置角度で撮影する場合には、術者支援手段１１４は、これに関する術者支援データに基づいて特定の規格撮影の中の１以上の歯科口腔写真撮影ステップを順次術者に報知するための出力をなす。
【０８２２】
再現撮影する場合等にも、特定の再現撮影の中の１以上の歯科口腔写真撮影ステップを順次術者に選択させ又は順番設定させる場合があり、このような場合に同様の出力をなすことは効果的である。
【０８２３】
撮影管理手段２１０，２２０は、撮影データ記憶管理手段２１１、２２１において撮影画像データを撮影属性データに基づき、階層的に追加、分類、整理、管理、表示可能な形式で撮影データ記憶管理手段に記憶し、または撮影データ出力手段２１２、２２２において撮影画像データを撮影属性データに基づき、階層的に追加、分類、整理、管理、表示可能な形式で出力する。
【０８２４】
ここで撮影データ出力手段２１２、２２２とは、撮影画像データと撮影属性データを関連可能な形式で出力する手段であり、撮影データ記憶管理手段２１１、２２１とは、撮影画像データと撮影属性データを関連付けて撮影データ記憶部に記憶させる手段である。
【０８２５】
また、「階層的に」とは、データがフォルダツリー構造に類する構造下に関連づけられており、患者単位、術者単位、歯科医院単位、歯科技工所単位等で撮影画像データを追加、分類、整理、管理、表示できることを意味する。
【０８２６】
また、撮影管理手段２１０、２２０は、撮影データ記憶管理手段２１１，２２１において撮影画像データを撮影属性データに基づき、補正または改変可能な形式で記憶し、または撮影データ出力手段２１２，２２２において撮影画像データを撮影属性データに基づき、補正または改変可能な形式で出力する。
【０８２７】
補正とは例えば撮影画像データの色補正等（後述する）を意味し、改変とは初診時の撮影画像データを治療計画に基づき、予定されている治療結果目標をシミュレーションする等を意味する。
【０８２８】
撮影データ記憶管理手段２１１，２２１は、撮影属性データを撮影画像のデータファイルまたは撮影画像データファイルではないデータファイルとして撮影データ記憶部に記録・保存する。
【０８２９】
撮影画像のデータファイルが例えばＪＰＧ形式である場合は、画像データ領域に付随するＥｘｆ領域に撮影属性データを書き込んでもよいし、画像データ領域中に撮影属性データを埋め込んでもよい。
【０８３０】
また、撮影画像データファイルに撮影属性データを付加する以外に、撮影属性データファイルの特定情報を付加して撮影画像データファイルではないデータファイルとリンクさせる態様も可能である（図示省略）。
【０８３１】
図１２（ｂ）は撮影画像データの術者領域に書き込まれるデータを例示している。
【０８３２】
このデータは、ＪＰＧ形式のファイルのＥｘｉｆタグへ情報追加されたもので、データのＴａｇ、ＴａｇＮａｍｅ、Ｔｙｐｅ、ｃｏｕｎｔに始まり、データ種別が記録されている。
【０８３３】
上から順に、ＡＦ／ＭＦ情報、距離、医院名、撮影者、規格撮影種別、ミラー有無、改変有無、改変Ｖｅｒ、改変者、パスワード、撮影日時、色票の色、患者などのデータを含んでいる。
【０８３４】
また、上記以外の構成として、本実施形態は、図３に示す撮影補助手段１２０に照明制御手段１２５を備え、撮影管理手段２２０に撮影データ画像処理部２２５を備える。
【０８３５】
照明制御手段１２５は、照明システム１５を制御するものである。
【０８３６】
この照明システム１５は、図１３および図１４に示すように、被写体の周囲にフラッシュアーム１５２を配置してフラッシュ発光部１５１を取り付けるかまたは、同被写体の周囲一定距離上に光ファイバアーム１５４を配置し、かつ等角位置に光ファイバ固定具１５６を配置して、何れかの光ファイバ固定具１５６に位置変更可能に光ファイバ１５３を取り付けるようにしている。
【０８３７】
すなわち、撮影のためのフラッシュ発光部１５１による照明が図１３では直接、図１４では光ファイバ１５３によりガイドされ、被写体表面までの距離を変えずに照明光の被写体への入射角度を可変にできるようにしている。
【０８３８】
また、フラッシュ発光部１５１または光ファイバの先端の左右同位置の２箇所には、被写体から一定距離を保って、第２の投光手段であるパイロットランプ１５７が取り付けられている。
【０８３９】
このパイロットランプ１５７は、光ファイバ１５３によるガイドに非撮影時に照明光を通すか、光ファイバ１５３にガイドされた先の投光部で光ファイバ１５３の投光方向と同一方向に非撮影時に投光するために用いられ、被写体表面からのフラッシュ光の非散乱反射が少なくあるいは目立たなくなる方向からフラッシュ光を当てるための撮影前カメラ位置合わせに使用される。なお、図中１５５で示すものはフラッシュ光反射用のミラーである。
【０８４０】
一方、照明制御手段１２５は、前述した歯科口腔撮影用プログラム部分AＰ３が照明システムに接続されたデジタルカメラ１の情報処理装置１０に読み込まれるかあらかじめ配置されることによっても構成される。
【０８４１】
照明制御手段１２５は、図１５〜図１７に示すように、デジタルカメラ１の距離センサ１ａが検出するフラッシュ発光部１ｂから被写体までの距離データを照明制御手段１２５に入力することによって、フラッシュ発光部から被写体までの距離に影響されずに被写体からフラッシュ発光部への入射光量が一定となるように照明システムの発光量を制御するものである。
【０８４２】
図１８に示すミラー１５５を使用する規格撮影の場合には、ミラーの反射時に発生する光量減衰とミラーと被写体間の光の往復による距離減衰が生じるが、これらは規格撮影に関する既定撮影属性データの内部属性データに盛り込むことによって自動的に補正することができる。
【０８４３】
すなわち、カメラの受像部１ｘと、照明であるフラッシュの発光部１ｂと、自身と被写体間の距離（または位置）を測定する距離センサ１ａ（または位置検出部）が、固定または可変であるが確定的な３次元的位置関係にあり、距離センサ１ａと被写体間の距離（または位置関係）からフラッシュ１ｂから被写体までの距離を算出する。
【０８４４】
そして、図１７の特性を利用し、距離の２乗に比例して照明の光量を調整する。距離算出方法の例としては、距離センサ１ａ・被写体・フラッシュ発光部１ｂの３点の３角形の関係から算出する。
【０８４５】
照明の光量は例えば、フラッシュの電気エネルギーを調整すればよい。また、距離センサの例としては、超音波距離センサ、赤外線距離センサ等がある。
【０８４６】
この距離センサまたは距離検出部は、オートフォーカス機能付きのカメラには通常備わっているものであるが、本実施形態ではオートフォーカス機能の有無に関わらず距離センサと照明制御手段を連動させて使用する。
【０８４７】
なお、照明システム１５側に、被写体表面までの距離を測定する距離測定部たる距離センサと距離に応じた照明光量を出力する照明光量制御部とを内蔵してもよい。
【０８４８】
また、ミラー１５５を介した撮影において、当該ミラー１５５に凹面鏡を用いるとともに、歯科口腔撮影用プログラム部分AP3を情報処理装置に読み込むことにより演算手段３００（図１８参照）を構成して、前記ミラー１５５を介して被写体を撮影した際の撮影データを前記演算手段３００を介して平面データに展開するようにすれば、広角画像を的確に撮影できる。
【０８４９】
また、ミラー１５５を使う場合は、ミラー１５５によって画像が反転するので、ミラー１５５を使った撮影であるか否かの操作入力部および／または検出入力部を撮影属性データ設定選択手段１１３ａ（図４参照）などに設け、ミラー１５５を使った撮影の場合には演算手段３００で画像を上下または左右反転する演算を行ない、元の映像に戻すことが有効である。
【０８５０】
勿論、ミラーをもう１枚使用して撮影画像を元の映像に戻す構成をとることもできる。
【０８５１】
また、図１９に示すように、投光部とレンズの双方に偏光板４００を配置して、直接反射光をカットする構成を採用するようにする。
【０８５２】
図示の偏向板４００は、０°〜９０°の間で回転可能とされ、反射光をカットする程度を調整可能とされている。
【０８５３】
以上に加え、この実施形態の歯科口腔測色写真システムは、図１に示すように、歯科用測色計３、歯科用色標識４、歯科用色判定票５を備え、かつ歯科口腔撮影用プログラム部分BＰ３´がコンピュータに読み込まれることにより図３の色補正支援手段２２７を含む撮影データ画像処理手段２２５を構成して、これらによりデジタルカメラ１で撮影した撮影画像に対して色補正や色判定の利用に供するようにしている。
【０８５４】
歯科用測色計３は、撮影対象である歯牙や歯肉の測色を行なって測色値を得るものであり、後述するＳ、Ｖ、Ｈを目盛とする人間天然歯表色系上で結果を表示するものである。
【０８５５】
歯科用色標識４は、基準となる複数の色票からなるものであって、歯科用測色計の代わりに簡易的に歯牙の測色をおこなったり、歯科口腔撮影時に同時に撮影されるものであり、人間天然歯表色系上の色票の値が特定されているものである。
【０８５６】
歯科用色判定票５は患者への説明の際に用いる歯の色を現わした紙片のようなものであり人間天然歯表色系上の値が特定されているものである。
【０８５７】
図２０（ａ）は人間天然歯の表現の構成について示す。任意の色は色に関する少なくとも３つの独立した値として表現できることが国際照明委員会で認められている。
【０８５８】
これを表色系というが、代表的な表色系として図２０（ａ）に示すＬ＊（明度を示す）、ａ＊、ｂ＊（Ｌ＊軸からの距離が彩度を表し、Ｌ＊軸周りの位相角が色相を表す）がある。
【０８５９】
人間天然歯の色の分布は例えばこのＬ＊ａ＊ｂ＊表色系中に配置すると図中の楕円体付近の非常に狭い範囲にひしゃげたラグビーボール状に分布している。
【０８６０】
この狭い分布に内接する人間天然歯色空間とする表色系として同図にＳ、Ｖ、Ｈの表現で示す様な表色系が松風社より構成提案されている。
【０８６１】
これは人間の天然歯の色の立体分布形状に応じてその中心を基準とし、分布の長さ方向（色の濃さ方向）Ｓ、幅方向（色の鮮やかさ方向）をＶ、奥行き方向（色合い方向）をＶとし、Ｓ、Ｖ、Ｈの値に各ランクを設けて人間天然歯色空間を３次元的に分割して各立体区画毎に色の名称をつけて区画表現をおこない、Ｓ、Ｖ、Ｈの各ランクをShadeランク、Valueランク、Hueランクとしてランク表現した区画表現＋ランク表現方法である。
【０８６２】
ちなみに出願人である松風社では測色結果のグラフを各ランクを３分割した分割ランク表現した測色計を発表発売している。
【０８６３】
本発明はこの区画の表現をそのまま継承し、ランク分けしないＳＶＨ票色系としてＳ、Ｖ、Ｈの目盛を配置し、Ｓ、Ｖ、Ｈの値表現を追加した区画表現＋ランク表現＋値表現を歯科用測色計３、歯科用色標識４、歯科用色判定票５に適用したものであり、区画表現＋ランク表現にあった課題を解決し、色表現の向上をもたらすだけでなく、従来の区画表現＋ランク表現には不可能であった色再現性を実現するものである。
【０８６４】
本明細書中ではこれを人間天然歯表色法と呼ぶことにする。測色計で測色することにより得られるＳ、Ｖ、Ｈの結果として、図２０（ｂ）に示す様なグラフ上の★印の様に、区画や目盛またはランクや分割ランクを測色器の分解能レベルまで分解表現した点として表示または印刷出力するものである。
【０８６５】
また同じ★点の測色結果として［区画２Ａ、Ｓｈａｄｅランク＝３．５、Ｖａｌｕｅランク＝３．５、Ｈｕｅランク＝１．５、Ｓ値＝３．１、Ｖ値＝３．９、Ｈ値＝１．７］として表現するのも好適である。（ランクと値の表現が似通っているが同図を見ればわかる様に、値表現の方がこの場合１０倍高分解能である。）さらに患者の疾患歯を人工の材料で補綴する場合の色の再現のためのデータにこの人間天然歯表色法を用いることは正確で高分解能な色を患者の口腔内の補綴物に再現するのに特に好適であり、例えばＳ、Ｖ、Ｈの各値から自動的に材料の発色のための配合比を算出することに適用される。
【０８６６】
図２０（ｂ）中の☆１〜☆６は人間天然歯表色空間内の単一の平面上に無い少なくとも４つ以上の表色点で、この表色点の色を表わす歯科用色標識を使って歯科用測色計や歯科用口腔測色写真システムの色再現性を補正するのに使用する。
【０８６７】
図２１は歯科用色標識の好適な例を実用のものの一部として示す。この色標識は、Ａ１、Ａ２、Ａ３、Ｃ１、Ｃ２、Ｃ３の６つの色票により構成される。
【０８６８】
この各色票はＡ１、Ａ２、Ａ３、Ｃ１、Ｃ２、Ｃ３の色区画表現に対応した色を備えており、それは図２０（ｂ）においてＳ、Ｖ、Ｈの目盛で仕切られた区画の中心値の色を表わしているが、設計上・製造過程上その色が実現しない場合にそなえて、Ｓ、Ｖ、Ｈの設計値または出荷検査での実測値を図２０（ｃ）の様に現物または取扱説明書等の添付文書に記載している。
【０８６９】
図２１ａ１、図２１ｂ１、図２１ｃ１、図２１ｄ１は歯科用色標識または歯科用色判定票に用いる色票の好適な例で、図２１ａ１はシェードガイドと呼ばれるタイプの既製の分離型の診断用歯科用色標識の色票であり、図２１ｂ１、図２１ｄ１はミシン目に沿ってちぎりやすい様になっている既製の半分離型の歯科用色判定票に好適な色票で、図２１ｃ１は後述のカメラ・モニタ・プリンタの色補正に使用する既製の歯科用色標識の色票である。
【０８７０】
特に図２１ｄ１はミシン目を歯の形に切り取れる様に入れてあり、前述のシェードガイドや患者の天然歯の上に貼り付けて観察することにより、形や周囲の色に惑わされない色判定が出来る様に工夫したものである。
【０８７１】
図２１（ｂ）、図２１（ｃ）、図２１（ｄ）はこれらの色票を使って歯科用色標識や歯科用色判定票を構成したものである。図２１（ｂ）、図２１（ｃ）、図２１（ｄ）の歯科用色標識や歯科用色判定票は既製品だけでなく、例えば本発明による歯科用測色計３により高精度項分解能に測定した患者の天然歯の色、あるいはその治療シミュレーションの色をパーソナルコンピュータの画面上に表現したものや、プリンタで印刷したものも好適である。
【０８７２】
さらに図２１（ｄ）においては、天然歯により近く見える用に測色あるいはシミュレーションした色を基準に天然歯様のグラデュエーションを施せばさらに好適であり、さらに図２１（ｅ）、図２１（ｆ）の様に患者のカルテや治療レポート（画面表示、印刷）の一部に用いても良い。
【０８７３】
これらの図で斜線部は実際の色が表現されている部分を示す。
【０８７４】
また、これらの歯科用色判定票または歯科用色標識については、実際の患者の歯の色はＳ、Ｖ、Ｈの具体的数値（例えば、（２．７、４．５、１．５）といった座標）が表示される。
【０８７５】
これらが既製品であれば、該当する色の区画の中心値または設計上、あるいは製造上の値からＳ方向、Ｖ方向、Ｈ方向にどれだけ当該患者の歯の色がずれているかを表示位置をずらして表示するようにしても良い。
【０８７６】
例えば、図２１ｄ１において斜線領域の中心が区画の中心を、Ｃ３の中心からＡ３よりにずれた位置に表した★印が患者の歯の色の位置を表わす。また、その際、システムに測色誤差が存在する場合には、±５％といった誤差表示をこの色判定票の裏に併記するようにする。
【０８７７】
したがって、単に患者の歯の色がどの区画に属するかではなく、実際の目盛上に印が付され、そこから予想される誤差をも表示して、歯科医師または技工士または患者に正確な情報を提供し、全ての判断を術者に委ね、システム側に判断または診断のプロセスが介在しないようにしたものである。
【０８７８】
図２２は、ある患者について経時的に歯牙を撮影することにより取得した画像データのそれぞれについて、測色計が取得したＳ，Ｖ，Ｈ値を関連づけて記録したデータファイルまたは治療レポートを例示している。
【０８７９】
次に本発明による色補正方法について述べる。本方法によると、歯科用色標識または異なる３色以上色の色票を単独または患者の被写体と同時撮影後の撮影において、歯科用色標識または色票を撮影することなく撮影した被写体の色を３次元的に表現したり、画像上再現することができる。
【０８８０】
色補正支援手段２２７は、被写体の色の再現性を高めることを支援するためのもので、歯科用色標識４を被写体と同時に撮影し、歯科用色標識４の色を再現することにより被写体の画像の色を被写体の色に近似再現補正できるようにした機能や、測色計３で測色した撮影対象の歯牙の測色データにより撮影した画像の色補正を行なう機能を備える。
【０８８１】
例えば、図２３は被写体に照明を当て、カメラを介してコンピュータに取り込んだ画像をモニターやプリンターに画像Ｖｍ、Ｖｐとして出力する際の色補正を行なう手法を示すもので、照明による色変換係数行列ＣＬとカメラによる色変換係数Ｃｃ行列、モニターによる色変換係数行列Ｃｍ、プリンタによる色変換係数行列Ｃｐを使ってコンピュータの補正変換係数行列Csを算出する原理式である。
【０８８２】
照明による色変換係数行列ＣＬとカメラによる色変換係数Ｃｃ行列モニターによる色変換係数行列Ｃｍ、プリンタによる色変換係数行列Ｃｐは歯科用色標識４を任意のデジタルカメラで撮影した色標識または歯科用色標識の画像または、パーソナルコンピュータに読み込んだ色標識または歯科用色標識の設計データによる画像を、任意のモニタに表示させるかまたは任意のプリンタで印刷したものを任意の照明と任意のデジタルカメラで再度撮影する本発明による図２４に示す方法で求めることができるので、被写体の色Ｖをモニター画像Ｖｍやプリント画像Ｖｐに合致させるべく、コンピュータにおける補正値Ｃｓｍ、Ｃｓｐを決定することができ、色補正を的確に行なうことができる。
【０８８３】
再現性とは人間から見た被写体の色を、データとして再現する程度のこと、またはモニタやプリンタの出力として再現する程度のことを意味する。また、再現性は同じ被写体を複数回撮影した場合に最初の撮影で出力した色のデータやモニタ出力色やプリンタ出力の色がその後の撮影で同じ色として出力される程度のことを意味する。
【０８８４】
また、再現性とは、モニタで出力した被写体の色とプリンタ上で出力した被写体の色が同じ色である程度のことを意味する。
【０８８５】
この方法は、歯科用色標識または異なる３色以上の色票を撮影し、その撮影画像を表示したモニタ画面または印刷した印刷物上に再現された色標識または色票を再度撮影することにより、その後の撮影において、被写体の色を３次元的に表現するか、被写体の色を画像上再現することもでき、治療の過程で患者の歯および／または歯肉の色の変化の過程を画像や定型の印刷物上で再現するか、人間天然歯表色法で表示することにより色判定に資することもできる。
【０８８６】
また、撮影画像を補正せずに、本発明による方式や本発明によらない方式による画像補正のためのデータ（上述Ｃｃ・ＣＬ等）またはさらに画像補正のプログラム自体を例えば暗号化して撮影属性データとして撮影画像データと関連付けることにより、どの様なパーソナルコンピュータ、プリンタ、モニタ等の環境でも、色再現性の良い画像再現を実現するものである。
【０８８７】
これらの方法は任意のデジタルカメラ、パーソナルコンピュータ、モニタ、プリンタ（一括して任意システムと表現する）を用いておこなうことが可能なので、図２４に示す様に、本発明による撮影画像データファイルや撮影属性データファイルを本システムによらない技工所や歯科医院や患者自宅等の任意システムで色再現性の良い画像再現を実現することが出来るとともに、上述の暗号化により、任意システムにおいて、本発明による画像補正可能な撮影画像データを生成出来ない様にすることが可能である。
【０８８８】
なお、歯肉の色再現または色表現を重視するか、天然歯の色再現または色表現を重視するか、補綴物の色再現または色表現を重視するかを切り替え可能であって、何れを重視したかを撮影属性データとして扱う機能を備えていてもよい。
【０８８９】
＜動作説明＞
次に、図６〜図１１の撮影シーケンスに基づき、本発明による歯科口腔測色写真システムによる撮影の手順について概説する。
【０８９０】
各図は、上下方向に４つの帯からなっており、横軸が時間軸である。各帯は、下から順に、デジタルカメラ１側の撮影画像データ記憶部１０ｃＡ１＋撮影管理手段２１０、デジタルカメラ１側の撮影補助手段１１０＋撮影属性データ記憶部１０ｃＡ２、パーソナルコンピュータ２側の撮影補助手段１２０＋撮影属性データ記憶部２０ｃＢ２、パーソナルコンピュータ２側の撮影管理手段２２０＋撮影画像データ記憶部２０ｃＢ１である。
【０８９１】
先ず、図６において、デジタルカメラ１をパワーオンすると、撮影補助手段１１０がそれを検出して、起動画面を表示し、ユーザーによる選択（ここでは規格撮影の選択）後、撮影属性データ記憶部１０ｃＡ２から撮影属性データメニューを呼び出し、モニターに撮影手順を表示する。
【０８９２】
図６に示した以外に撮影手順を表示する前に撮影手順のメニューを表示するのも好適である。図１２（ａ）は簡単な状態分岐フローであり、非歯科撮影、規格撮影、自由撮影、再現撮影の何れの撮影状態によるか、規格撮影であれば５枚法、１２枚法…の何れによるか、術者を誰にするかを順次選択させる画面をモニターＭに表示する。
【０８９３】
例えば規格撮影状態と術者１をセレクタスイッチＳＳで選択したとすると、撮影補助手段１１０は図６に示すメニュー表示をする。
【０８９４】
Ａ〜Ｄは規格撮影ステップの種別であり、アルファベットではなく撮影対象となる歯牙等をサムネイル表示するとより好適である。規格撮影では最初に撮影すべき歯牙が一応決まっているので、撮影補助手段１１０は暫定的にその歯牙Ａを太枠で囲んだ状態で表示し、必要に応じて音声出力する。
【０８９５】
ただし、これは術者の操作によって変更可能である。例えば、図６は術者がＢを選択した状態を示しており、撮影補助手段１１０は撮影スタンバイ状態に移行して、ファインダーＦに照準を表示する。
【０８９６】
術者がシャッターを切って１枚目の撮影を完了すると、撮影属性データ記憶部１０ｃＡ２から対応する撮影属性データを受け取って、撮影管理手段２１０が撮影ステップＰｏｎ１−１、日時、規格撮影Ｂ、術者１、歯科医院Ｍといった撮影属性データと、撮影画像データを関連付けて撮影画像データ記憶部１０ｃＡ１に記憶する。
【０８９７】
撮影補助手段１１０は、モニターＭに図７に示す次の撮影手順を表示する。規格撮影では撮影補助手段１１０は暫定的に次に優先されるべき歯牙を太枠で囲んだ状態で表示し、必要に応じて音声出力する。
【０８９８】
ただし、これも術者の操作によって変更可能である。次に撮影すべき規格撮影Ｃを術者が決定すると、撮影補助手段１１０は撮影スタンバイ状態に移行して、ファインダーＦに照準を表示する。
【０８９９】
規格撮影Ｃはミラー撮影なので、規格撮影Ｃの撮影属性データの中からミラー撮影に必要なフラッシュ光量・距離補正データが撮影補助手段１１０に読み込まれミラー撮影による撮影が行なわれるべく撮影スタンバイ状態となる。
【０９００】
術者がシャッターを押して２枚目の撮影を完了すると、撮影属性データ記憶部１０ｃＡ２からミラー補正情報（たとえば上下反転など）を含む対応する撮影属性データを受け取って、撮影管理手段２１０が撮影ステップＰｏｎ１−２、日時、歯牙Ｃ、術者１、歯科医院Ｍといった撮影属性データと、撮影画像データを関連付けて撮影画像データ記憶部１０ｃＡ１に記憶する。
【０９０１】
このようにして、５枚法であれば５枚、１２枚法であれば１２枚の撮影が実行されていく。各１枚ごとの撮影が本発明で言うところの歯科口腔写真撮影ステップである。
【０９０２】
規格撮影が全て完了すると、この撮影手順の場合、規格撮影は６枚で終了し、次がバーコード撮影となっているので図８に示す様にバーコード撮影の撮影スタンバイ状態に移行して、ファインダーＦにバーコードの照準を表示しモニターＭにその旨を表示する。
【０９０３】
術者がバーコードに照準を合わせてシャッターを押すと、撮影補助手段２１０がバーコード撮影に関する撮影属性データと関連付けてバーコード画像を撮影画像データ記憶部１０ｃＡ１に記憶する。
【０９０４】
このとき、撮影補助手段２１０により撮影画像データ記憶部１０ｃＡ１からパーソナルコンピュータ２にバーコードデータが無線転送され、パーソナルコンピュータ２側の撮影補助手段１２０が患者バーコードデータベースに関する撮影属性データからバーコードデータに対応した患者名を検索特定し、その患者の撮影既得撮影属性データをデジタルカメラ１側に無線転送する。
【０９０５】
その患者の撮影既得撮影属性データが無い場合は、過去の撮影画像データの中から選択して既得撮影属性データを生成する様にしても好適である。
【０９０６】
この様にして撮影ステップＰｏｎ１−１〜Ｐｏｎ１−６の撮影画像データに関連付けられた撮影属性データに患者名が付加される。
【０９０７】
この時点で、全ての撮影ステップＰｏｎ１−１〜Ｐｏｎ１−６の撮影画像データが患者名を含む撮影属性データと関連付けられて記憶される。そして、これら記録されたデータは、図９（A)に示すように、デジタルカメラ１側の撮影管理手段２１０からパーソナルコンピュータ２側の撮影管理手段２２０に無線転送され、当該パーソナルコンピュータ２側の撮影画像データ記憶部２０ｃＢ１に記憶される。
【０９０８】
パーソナルコンピュータが接続されていない場合は、ここでいったん起動画面に戻り、術者の操作に基づく他の動作中に、パーソナルコンピュータに接続された場合に画像転送は別途デジタルカメラ１またはパーソナルコンピュータ２に転送のメニューが表示され転送が可能となる。
【０９０９】
バーコード撮影に関して、パーソナルコンピュータ２が無線有線を問わず接続されていない場合は、デジタルカメラ１内にある患者バーコードデータベースに関する撮影属性データを検索する。
【０９１０】
検索して該当データがない場合やデジタルカメラ１内に患者バーコードデータベース自体が無ければそのままバーコード撮影をおこない。
【０９１１】
全ての画像をパーソナルコンピュータに転送後、パーソナルコンピュータ内で自動的にバーコードによる患者名検索がおこなわれ、患者名を確定して撮影属性データとして撮影画像データと関連付ける。
【０９１２】
パーソナルコンピュータに転送されたると、撮影管理手段２２０により撮影画像データは自動的に図９（B)に示す概念の様に階層的に整理されて保存される。
【０９１３】
また、撮影管理手段２２０により、撮影画像データの管理情報として図９（B)の概念情報が具体的な図表として生成・表示されるのも好適である。
【０９１４】
また、自動的に整理されることにより、図９（Ｃ）の様に例えば５枚法なら５枚法の並べ方に自動的に並べて表示・印刷することも可能である。
【０９１５】
次に、再現撮影のシーケンスについて図１０をもとに概説する。先ず最初に起動画面より再現撮影を術者が選択すると、撮影補助手段１１０により撮影属性データ記憶部１０ｃＡ２または（パーソナルコンピュータ２内の既得撮影属性データを含む）の既得撮影属性データを読み出して既得撮影メニューを表示する。
【０９１６】
通常既得撮影データには現在通院中の患者のデータが記憶されているので、そのメニューに所望の患者がいなかった場合、検索が選択される。検索が選択されると、撮影補助手段１１０はデジタルカメラ１およびパーソナルコンピュータ２の撮影画像データ記憶部１０ｃＡ１、２０ｃＢ１から既得撮影属性データに登録されていない撮影画像データファイルの一覧を転送表示する。
【０９１７】
この一覧表示はサムネイル画像表示を伴うのが好適である。
【０９１８】
この中から術者により再現撮影したい患者のフリー撮影画像が選択されると、今度は該当する画像データを関連づけられた撮影属性データとともに転送し、撮影補助手段１１０内で画像の輪郭を生成しそれを照準として既得撮影属性データとして撮影属性データ記憶部１０ｃＡ２にメニュー項目として登録し、撮影条件を再現・輪郭照準を表示して撮影プリスタンバイする。
【０９１９】
検索が選択されず、既得撮影データのうちのひとつが選択されると、撮影属性データ記憶部１０ｃＡ２または１０ｃB２に登録されている既得撮影属性データが転送され撮影条件を再現・輪郭照準を表示して撮影プリスタンバイする。
【０９２０】
術者が再現撮影のためにデジタルカメラを構えると、図１１に示すように、撮影補助手段１１０は輪郭をもとに構図判定を行い、「もっと右」といった構図のずれを検出して、構えや距離の支援データをファインダーＦに表示し、必要に応じて音声により報知する。
【０９２１】
術者がそれに習って構えを正し、それがＯＫとなると、撮影補助手段１１０が撮影スタンバイ状態に移行して、ファインダーＦにその旨を表示する。術者がシャッターを押すと、撮影画像データが撮影データ記憶部に記録されるが、その際、撮影管理手段２１０は、撮影補助手段１１０から撮影属性データを受け取ってこれを撮影画像データに関連付けて撮影画像データ記憶部１０ｃＡ１に記憶する。
【０９２２】
撮影終了後に撮影データが再びパーソナルコンピュータ２の撮影管理手段２２０に送られて撮影画像データ記憶部２０ｃＢ１に記憶される点は、上記規格撮影の場合と同様である。
【０９２３】
＜好ましい形態の説明＞
絞り値およびシャッタースピードを固定しオートフォーカス機能を備えたカメラとは、絞り値およびシャッタースピードを固定する機能を有しオートフォーカス機能を有するカメラであれば何でもよい。
【０９２４】
照明部とは、通常のフラッシュやストロボと呼ばれているものであれば何でもよい。
【０９２５】
距離情報とは、測距部から得られた被写体との距離情報のことである。
【０９２６】
照射部の発光光量（撮影時に照明部が算出した発光光量）は、測距部から得られた距離情報により、被写体との距離に関わらず撮影時の照明部からの発光光量を一定に保つように算出された発光光量である。
【０９２７】
照明部が断続的に発光とは、微弱な光で断続的に複数回発光していることである。好ましくは連続的に発光している様に見える程度に短時間に断続的に発光させることである。
【０９２８】
照明光の反射の影響を確認する反射影響確認手段とは、撮影装置の位置を変えることによって反射による影響を軽減するために、反射の程度や部位を撮影装置のファインダーより確認できる様に断続的に照明部が発光することである。
【０９２９】
本発明の実施の形態を図面を参照して詳細に述べると、図２５は本発明に係る照明装置の一実施例を示し、これらの図（図２５（Ａ）〜（Ｃ））において、本実施例では全体を照明装置１００１として、カメラとは別の独立した装置としてカメラレンズ部前面に取り付けられるものとして例示している。
【０９３０】
図２５において照明部１００５は、たとえばキセノン放電管からなるストロボ発光管とその周辺に配置される反射傘の組み合わせから構成されても良いし、LEDなどの光源とその周辺に配置される反射傘とレンズの組み合わせから構成されても良い。
【０９３１】
照明部１００５はレンズに対して左右に配置されており、これは口腔内撮影時においては、歯の断面形状が垂直方向の円筒形に近いので左右方向からの光は正面には反射せず、歯面の正面への照明部１００５の写りこみを最小限にとどめる効果がある。
【０９３２】
また、照明部１００５の発光部の形状はできるだけ小さいほうが写りこみが小さくなるので好ましい。
【０９３３】
また、照明部１００５は照明装置本体６から分離することが可能となっており、照明装置本体１００６へは照明部１００５の側面から伸びた連結継手１００７を介して照明装置本体側の接続部１００８へ接続される。
【０９３４】
この連結継手１００７は照明部１００５の左右両側面に長さの異なる2種類の継手が存在し、撮影条件に応じて長い側１００７ａ、短い側１００７ｂのどちらかを照明装置本体側の接続部１００８へ接続する。
【０９３５】
測距部は測距部を有する部分である。
【０９３６】
図２５中１００９は被写体と照明装置との距離を測距する測距部であり、たとえば赤外線ＬＥＤとＰＳＤセンサを用いた三角測量方式のもので構成されても良いし、超音波センサ方式などその他の非接触式の測距部であれば何を用いてもかまわない。或いはその他の器械的計測手段である計測用治具を用いることもできる。
【０９３７】
図２５中１０１０は照明装置１より被写体へ照射された光が反射した光を検知し、かつ、カメラ３の内蔵ストロボ１０２６の発光に同期して照明装置１の照明部１００５を発光させるようにするための内蔵ストロボ光を検知する光量検知部であり、照明装置１の前面、背面の光を検知できるように光ガイド１１を介して光量検知を行う（図２５（Ｂ））。
【０９３８】
図２５中１０１２は被写体によって照明部１００５の発光量を補正する撮影対象切替機構であり、たとえば複数状態を切替設定可能なスイッチで構成されており、歯科口腔内撮影においてたとえると、正面観の撮影を基準として、ミラーを使用した撮影の場合や臼歯部のように頬によって照明部１００５の光がさえぎられる条件での撮影の場合には、照明光の低下や距離センサーの誤差を補正するための発光量調整を行う（図２５（Ｃ））。
【０９３９】
図２５中１０１３は照明部１００５の発光量の強弱切替および照明光補正状態への移行を行う発光量調整切替機構であり、たとえば、複数状態を切替設定可能なスイッチで構成されており、たとえば若干発光量を多くする（Ｈｉ）と若干発光量を少なくする（Ｌｏｗ）の発光量切替と照明光補正状態へ以降させる（Ｃａｌ．）の３状態からなり、状況に応じて発光量を微調整することができる。
【０９４０】
図２５中１０１４は測距部１００９によって測距された距離情報を一時的に保持する測距情報保持機構であり、たとえばプッシュ式のスイッチなどで構成されており、このスイッチを押すことで距離ロックランプ１０１５が点灯し、測距部１００９による測距情報が一時的に保持され、この状態で照明部１００５を発光させると保持された距離情報を元に最適な発光量が決定され発光が行われる。
【０９４１】
またこの保持状態はカメラ３のシャッターを押して照明装置１００１の照明部１００５を発光させた場合または測距情報保持機構１０１４を再び押すことによって解除され、距離ロックランプ１０１５は消灯する。
【０９４２】
図２５中１０１６は照明部１００５が発光可能な状態であることを示すパイロットランプであり、ネオン管あるいはＬＥＤなどにより構成される。
【０９４３】
図２５中１０１７は照明装置１の主電源スイッチである。
【０９４４】
図２５中１０１８は発光量調整切替機構１０１３が強弱いずれかの発光量調整状態を指示している場合は押している間連続微弱発光を行うテスト発光スイッチとなり、発光量調整切替機構１０１３が照明光補正状態を指示している場合は押すことで照明光の補正開始を示す補正開始スイッチとなり、たとえばプッシュ式のスイッチなどで構成されている。
【０９４５】
図２５中１０１９は照明装置１の電池収納部である。
【０９４６】
図２５中１０２０はクローズアップレンズ取り付け用ネジであり、照明装置前面にクローズアップレンズ１００４が取り付けられるように内周にネジ加工が施されている。
【０９４７】
図２５中１０２１は照明装置１をアダプターリング１００２に取り付けるためのレバーであり、レバーを押すことによってアダプターリング固定用爪１０２４が一時的に広がり、アダプターリング１００２の照明装置固定部２２を咥え込む。
【０９４８】
図２５中１０２３はカメラレンズ固定用外周ネジであり、カメラレンズ部内周ネジ１０２５と結合する。
【０９４９】
次に、図２５中１００１の照明装置に関して、図２５以外の実施例を図２７に示す。
【０９５０】
図２７に関しては照明部１００５として光源収納部１０３９内に設置された光源１０３０から出た光を、ライトガイド１０３１によって左右へ分岐させている。
【０９５１】
ライトガイド１０３１は光ファイバーなどの導光デバイスを保護用のフレキシブルチューブなどで被覆した形態のものが好ましく、さらに好ましくは屈曲半径が５０ｍｍ程度の柔軟なものが好ましい。
【０９５２】
また、ライトガイド先端部１０３２は中央部に導光された光を照射する照射部１０３４が存在し、ネジ部１０３３をガイドアーム１０３７内の長穴部１０３８に通し、ワッシャ１０３５と固定ナット１０３６によって固定している。
【０９５３】
ライトガイド１０３１は柔軟に変形させることができるので、ガイドアーム１０３７部の長穴部１０３８に沿ってライトガイド先端部３２を移動させることができ、任意の位置にナット１０３６によって固定することができる。
【０９５４】
その他の機能に関しては図２５の実施例と同じであるのでここでは省略する。
【０９５５】
次に、図２５中１の照明装置に関して、図２５以外のさらなる実施例を図２９に示す。
【０９５６】
図２９に関しては、電池収納部を照明装置から切り離した形態のもので、図２９に示すように左手用グリップ１０４０のグリップ部１０４５に電池収納部１０４２を装備し、電池収納部カバー１０４１を開けることにより電池の収納を可能にしている。
【０９５７】
また、カメラ１００３の底面の三脚取り付け用ネジに結合する左手グリップ固定用ネジ１０４４を用いて、アーム部１０４３をカメラ底面に固定している。
【０９５８】
アーム１０４３には長穴部１０４６が開けられており、左手グリップ固定用ネジ１０４４を左右に動かすことができるので、種々の大きさのカメラの取り付けに対応することができる。
【０９５９】
また、左手グリップをカメラ１００３に設置することにより、無理な姿勢での安定した撮影を可能にしている。
【０９６０】
歯科用色標識または歯科用色票または歯科用色見本または歯科用色形状見本を撮影することにより、ホワイトバランスを調整したり、撮影光量を調整するために、歯科用色標識または歯科用色票または歯科用色見本または歯科用色形状見本の色のデータを内蔵することが好ましい。また、ホワイトバランス用に特別に設計した灰色の専用紙または専用板を使用することも好ましい。特別に設計するとは、ホワイトバランス調整により、灰色の専用紙または専用板の画像の色を無色と見なすことにより、天然歯または補綴物またはシェードガイドの色が正確に撮像される様に該灰色の専用紙または専用板の色調を調整して設計することである。
【０９６１】
フラッシュの種類、位置および角度、クローズアップレンズの有無、NDフィルタの有無、拡散板等のフラッシュ光を変化させる部材の有無に応じてフラッシュ光量を調整するために、これらの有無による画像の明るさの変化をあらかじめ内蔵または計算し、表示メニューと選択スイッチ等でこれらの撮影条件を選択することにより、フラッシュ光量を変化させる構成も考えられる。
【０９６２】
第５７Ｂ図に示した様に、半透明または拡散する部材をフラッシュ発光部の前に装着することによりフラッシュの減光を行うとともに、この減光に応じてフラッシュ光量を増大することも好ましい。この部材は板状の減光板でも、紙状の減光紙でも、フィルム状の減光フィルムでも構わない。この減光効果は、あらかじめ歯科口腔測色写真システムに減光率情報として内蔵し、その分フラッシュ光量を増光する。
【０９６３】
第５７Ｃ図に示した様に、フラッシュを保持するための保持具の内径が、口径変換アダプタを使用せずしてレンズ筒の口径よりも一定の公差以上大きいか、口径変換アダプタを使用してその変換後の口径よりも一定の公差以上大きくすることにより、フラッシュを保持するための保持具を、レンズ筒またはクローズアップレンズ、またはＮＤフィルタの外側に保持固定することが可能となり、該保持具が画角を狭めることを防ぐことが出来る。該保持具は、レンズ筒またはクローズアップレンズ、またはＮＤフィルタの外形側にねじで固定するか、または、これらの間に挟み込むことが好ましい。
【０９６４】
（発明の実施の形態の構成）
本発明の実施の形態について図３０〜３６を用いて説明を行なう。
【０９６５】
図中には構成部材の番号だけでは解りづらいので、一部略表現した部材名を記した。また図中に２点鎖線で示した部分は部材または概念を示す。
【０９６６】
本発明の実施は、照明システムを含む歯科口腔撮影用デジタルカメラ（１）、歯科口腔画像管理ソフトウェア（２Ｓ）およびコンピュータシステム（２）、歯科用測色計（３）、歯科用色標識（４）、歯科用定型色表現の診断票（５）を基本構成とする（図３０）。
【０９６７】
歯科口腔撮影用デジタルカメラ（１）においては、カメラ本体（１１）、カメラ制御ソフト（１２Ｓ）、ファインダー（１３）、液晶モニター（１４）、照明システム（１５）、光ファイバによるガイド（１６）、赤外カットフィルターを構成要素とする。
【０９６８】
歯科用測色計、歯科用色標識、定型色表現の診断票に関しては、３次元の表色系において表した人間の天然歯および／または歯肉の色の立体分布形状に応じてその中心を基準とし、分布の幅方向および／または色の濃さ方向および長さ方向および／または色の鮮やかさ方向および奥行きおよび／または色合い方向に目盛を配置し、あるいはさらに人間の色差感覚に比例した目盛間隔を設定した人間天然歯表色系による歯および／または補綴物および／または歯肉の色表現を備えることを特徴とする歯科口腔撮影用デジタルカメラおよび／または歯科口腔画像管理ソフトウェアおよび／または歯科用測色計および／または歯科用色標識および／または定型色表現の診断票よりなる歯科口腔写真システムの色表現を用いることを要件とし、その構成は自由である。
【０９６９】
次に、図３３、図３４を用いてカメラの構成部材である照明システム（１５）の構成を示す。撮影のための照明から被写体表面までの距離を変えず、照明光の被写体への入射角度が可変であることを特徴とする歯科口腔撮影用デジタルカメラを含む歯科口腔写真システムによる照明システム（１５）はストロボ発光部（１５１）、ストロボアーム（１５２）より構成される（図３３）。
【０９７０】
撮影のための照明が光ファイバによりガイドされることを特徴とすることを特徴とする歯科口腔撮影用デジタルカメラを含む歯科口腔写真システムまたは、光ファイバの投光部の位置および／または方向が可変であることを特徴とする歯科口腔撮影用デジタルカメラを含む歯科口腔写真システムまたは、光ファイバによるガイドに非撮影時に照明光を通すか、光ファイバによるガイドの投光部に光ファイバの投光方向と同一の方向に非撮影時に投光すべく、第２の投光手段を備えたことを特徴とする歯科口腔撮影用デジタルカメラを含む歯科口腔写真システムによる照明システムはストロボ発光部（１５１）、光ファイバ（１５３）、光ファイバアーム（１５４）、ミラー（１５５）、光ファイバ固定具（１５６）、パイロットランプ（１５７）より構成される（図３４）。
【０９７１】
（発明の実施の動作または特性の構成）
本発明の実施の特性の構成について、扱うデータ構成について図３１、内蔵する機能ブロックの構成について図３２、人間天然歯の表現の構成について図３５に示す。
【０９７２】
歯科口腔撮影用デジタルカメラで扱うデータ（６）、歯科口腔画像管理ソフトウェアで扱うデータ（７）、歯科口腔撮影用デジタルカメラの制御プログラムの機能ブロック（８）、歯科口腔画像管理ソフトウェアの機能ブロック（９）を基本構成とする。    
【０９７３】
歯科口腔撮影用デジタルカメラで扱うデータ（６）または歯科口腔画像管理ソフトウェアで扱うデータ（７）としては、被写体の画像そのものである画像データ（６１、７１）、患者名・撮影部位・撮影順を含む撮影対象データ（６２、７２）、絞り・シャッター速度・照明光量等の撮影条件データ（６３、７３）、診療所名・術者名を含む術者データ（６４、７４）、画像が撮影時のオリジナルであるか・改変されたものかの認証のための画像認証・改変データ（６５、７５）、撮影画像の輪郭を抽出した画像輪郭データ（６６、７６）、カメラの制御プログラム（６７、７７）、規格撮影データ（６８、７８）により構成される。
【０９７４】
歯科口腔撮影用デジタルカメラと歯科口腔画像管理ソフトウェアが同じデータを扱うのは、歯科口腔撮影用デジタルカメラが内蔵するプログラムで動作し、歯科口腔写真システムとしての動作が歯科口腔画像管理ソフトウェアの制御で行なわれることと歯科口腔撮影用デジタルカメラが内蔵するプログラムの制御で行なわれることに本質的な違いは無いことを前提とする。
【０９７５】
したがって、これらのデータの構成は歯科口腔画像管理ソフトウェアまたは歯科口腔撮影用デジタルカメラのいずれかに存在しても両方に存在してもよい。
【０９７６】
歯科口腔撮影用デジタルカメラの制御プログラムの機能ブロック（８）または歯科口腔画像管理ソフトウェアの機能ブロック（９）としては、歯科撮影表示・一般撮影選択を行なうブロック（８１、９１）、診療所名を含む術者の表示・入力・選択・記録を行なうブロック（８２、９２）、患者名・撮影部位を含む撮影対象表示・入力・選択・記録を行なうブロック（８３、９３）、絞り・シャッター速度・照明光量等の撮影条件を表示・入力・選択・記録するブロック（８４、９４）、撮影画像がオリジナルであるか改変されたかを示すための情報を記録する画像認証・改変情報記録ブロック（８５、９５）、撮影画像の輪郭そ抽出する画像輪郭データ抽出ブロック（８６、９６）、歯科口腔撮影用デジタルカメラのファインダーまたは液晶モニターに撮影対象に応じた照準を表示する照準・輪郭データ表示ブロック（８７、９７）、照準に合う様に術者にカメラの位置・方向を示すカメラ位置・方向指示ブロック（８８、９８）、被写体との距離を検出し照明光量を補正するブロック（８９、９０）、撮影した画像を整理・追加・管理・表示するブロック（８Ａ、９Ａ）、画像の色を補正するブロック（８Ｂ、９Ｂ）、患者名を入力し特定するためのブロック（８Ｃ、９Ｃ）、画像の色の判定・表示・出力を行なうブロック（８Ｄ、９Ｄ）、治療過程の画像の色変化を表示・印刷するブロック（８Ｅ、９Ｅ）、制御プログラムを送信または受信するブロック（８Ｆ、９Ｆ）、撮影を実行するブロック（８Ｇ、９Ｇ）により構成される。
【０９７７】
歯科口腔撮影用デジタルカメラと歯科口腔画像管理ソフトウェアが同じ機能ブロックを持つのは、歯科口腔撮影用デジタルカメラが内蔵するプログラムで動作し、歯科口腔写真システムとしての動作が歯科口腔画像管理ソフトウェアの制御で行なわれることと歯科口腔撮影用デジタルカメラが内蔵するプログラムの制御で行なわれることに本質的な違いは無いことを前提とする。
【０９７８】
したがって、これらの機能ブロックの構成は歯科口腔画像管理ソフトウェアまたは歯科口腔撮影用デジタルカメラのいずれかに存在しても両方に存在してもよい。
【０９７９】
次に人間天然歯の表現の構成について図３５を用いて説明する。任意の色は色に関する３つの独立した値として表現できることが国際照明学会で認められている。
【０９８０】
これを表色系というが、代表的な表色系として図３５に示すＬ＊（明度を示す）、ａ＊、ｂ＊（Ｌ＊軸からの距離が彩度を表し、Ｌ＊軸周りの位相角が色相を表す。）がある。
【０９８１】
人間天然歯の色の分布は図中の楕円体付近の非常に狭い範囲に分布している。本発明の実施の特性の構成としては、この狭い分布を全表色空間とする新たな表色系として図に示すＳ、Ｖ、Ｈの値と目盛で表す人間天然歯表色系を構成している。
【０９８２】
次に歯科口腔測色写真システムの形態について述べる。
【０９８３】
表示部とはモニター及び／またはファインダーのことである。
距離確認ゲージとは、表示部に距離ゲージと比較するために表示または配置されたゲージのことである。
【０９８４】
好ましくは歯科撮影の撮影倍率に対応した目盛が付されてる。更に好ましく、表示部の枠である。
【０９８５】
また、距離ゲージが色見本と一体の距離ゲージであることは好ましい。
【０９８６】
歯科撮影とは規格撮影及び／または補綴目的の歯周辺をクローズアップ撮影のことである。
被写体までの距離とは、カメラの設計上任意の部位またはストロボの発光面から被写体表面までの距離のことである。カメラの設計上任意の部位とはストロボの発光面との位置関係が設計上確定出来る部位のことである。
【０９８７】
画像の明るさとは、ストロボの発光光量によって変化する画像の色の変化の方向のことである。
【０９８８】
画像の明るさを制御するとは、撮影条件として、フラッシュ光量）×（絞り直径）２×（露光時間）／x２を一定にするかまたは、撮影後の画面表示または印刷物の画像の明るさをコンピュータ上でソフトウェアにより調整することである。撮影条件として、フラッシュ光量）×（絞り直径）２×（露光時間）／x２を一定にすることが好ましい。
【０９８９】
好ましい画像の明るさは、被写体である歯の明るさがその歯の色特性に応じてＬ＊ａ＊ｂ＊表色系におけるＬ＊値が６０〜８５の範囲になる様に調整可能な明るさの事である。
被写体までの距離に応じて画像の明るさを制御するシステムに加えて、被写体までのピントの調整に自動焦点機能を用いることが好ましい。
【０９９０】
規定の撮影倍率とは、歯科では一般的に用いられている歯科独特の規格撮影や補綴を目的とする歯の周辺部を拡大撮影する場合の札絵倍率のことである。
【０９９１】
歯科独特の規格撮影の例としては上下全歯牙の唇側または頬側を露出させての撮影、上顎右側歯列のみの撮影、上顎咬合面のミラーを用いた撮影、補綴対象の歯牙（欠損して失われた状態を含む）とその周辺の歯牙の撮影、顔全体の撮影（開口、閉口、笑顔）である。
【０９９２】
これらの撮影では、大人と子供によってもことなるが、撮影領域の大きさはある程度固定されており、３５ｍｍフィルムに換算したいわゆる撮影倍率がそれぞれの規格撮影ごとに決まっている。
【０９９３】
撮影倍率とは、規格撮影の撮影画像の範囲が撮像面上でどれくらい拡大または縮小されているかの倍率のことである。最近のＣＣＤを用いたデジタルカメラでは、撮像面の大きさが機種によって異なるために３５ｍｍフィルム換算で用いられることが多い。
【０９９４】
拡大倍率とは、ズーム機能および／またはクローズアップレンズを用いた撮影距離をこれらを用いなかった場合に必要な撮影距離で割ったものである。
【０９９５】
７０〜１０５％以内の撮影倍率とは、規定の撮影倍率に対応する撮影範囲の１００／１０５の範囲を含む１０／７倍の広い範囲を撮影する撮影倍率から規定の撮影倍率までの撮影倍率のことである。
規定の撮影距離とは、そのときの拡大倍率において、規定の撮影倍率に対応する撮影距離のことである。
【０９９６】
９５〜１３０％の撮影距離とは、規定の撮影倍率の１００／１３０〜１００／９５の撮影倍率範囲となる様な撮影距離の範囲である。
【０９９７】
自動焦点が有効になるとは、実際の撮影距離が、規定の撮影距離の９５〜１３０％の範囲か、規定の撮影倍率の７０〜１０５％を実現する撮影距離となった場合に自動焦点による撮影を可能にし、有効な範囲外では自動焦点による撮影を可能にすることである。
【０９９８】
自動焦点による撮影を不可能にするとは、ピントの合ったファインダー画面出力またはモニター画面出力を行わないか、さらに、もっとカメラを被写体に近づけるべきか遠ざかるべきかを報知するか、これらに加えて撮影操作を無効にするなどの対応がある。
【０９９９】
撮影画像をトリミングするとは、規定の撮影距離の９５〜１３０％の範囲か、規定の撮影倍率の７０〜１０５％により撮影された目的の範囲より広い範囲の画像の周辺部の目的範囲外の部分をカットして目的の範囲のみの画像にすることである。
【１０００】
好ましくは目的の範囲の中心を指定できることである。
報知手段とは、術者に報知する手段であれば何でも良いが、好ましくは音または画像表示または振動である。好ましくはファインダーまたはモニタに特定の表示を行うことである。
撮影が可能になるとは、術者の撮影操作があった場合に撮影が実行可能な状態になることを言う。
【１００１】
歯科撮影に対応した規定の撮影倍率および／または拡大倍率に対応する撮影距離を予め決定するために、カメラに歯科口腔写真撮影における規格撮影や補綴目的の歯周辺をクローズアップ撮影する場合の撮影のうちのどれかを選択できる機能を内蔵するのが好ましい。
【１００２】
さらにこの機能はファインダーやモニターに表示される選択画面と、選択入力スイッチの機能により実現されるのが好ましい。
【１００３】
さらに、各規格撮影や補綴目的の歯周辺をクローズアップ撮影する場合のその撮影の種類、撮影倍率、拡大倍率、撮影距離情報をカメラの内部に予め内蔵しておくのが好ましい。そのうちの撮影距離情報と、実際の被写体との距離情報により自動焦点や撮影自体を可能にする判定を行うのが好ましい。
【１００４】
次に歯科写真撮影システムの形態について述べる。
【１００５】
被写体までの撮影距離に応じて画像の明るさを制御するシステムに加えて、被写体までの焦点の調整に自動焦点機能を用いることが好ましい。
【１００６】
自動焦点機能を用いて被写体までの撮影距離を測距し、その測距情報に基づいて設定した撮影距離の９５％〜１３０％の撮影距離であることの判定を行い、術者に報知したり、撮影を可能にすることが好ましい。
【１００７】
画像の明るさを制御するための、カメラから被写体までの撮影距離を測定する方法としては、距離センサを用いることが好ましく、さらに距離センサには赤外線や超音波やＬＥＤ・フォトダイオードを用いるのが好ましい。
【１００８】
画像の明るさを制御するため以外の、カメラから被写体までの撮影距離を測定する方法としては、自動焦点で使用している距離を測定する方法を兼用したり、距離センサーを用いることが好ましく、さらに距離センサには赤外線や超音波やＬＥＤ・フォトダイオード、を用いるのが好ましい。
【１００９】
画像の明るさを制御するためのカメラから被写体までの撮影距離を測定する方法と、画像の明るさを制御するため以外のカメラから被写体までの撮影距離を測定する方法を共通で使用することができる。
【１０１０】
カメラから被写体までの撮影距離を測定する方法と自動焦点機能をリンクすることが好ましい。
【１０１１】
照明システムに内蔵した距離センサにより被写体までの撮影距離を検出し、照明光量および／またはＣＣＤ撮像素子への露光時間および／または絞りを制御することにより、被写体までの撮影距離に応じて画像の明るさを制御することが好ましい。
【１０１２】
画像の明るさを制御するために（照明光量）×（絞り直径）＾２×（露光時間）／（撮影距離）＾２を一定にすることが好ましい。特に照明光量だけで制御する場合は照明単体で制御が可能となることが好ましい。
【１０１３】
撮影倍率が２倍〜１／５倍の範囲で、被写体までの撮影距離が５０ｍｍ〜１ｍの範囲で被写体までの撮影距離に応じて画像の明るさを制御する歯科写真撮影システムであることが好ましい。
【１０１４】
距離ゲージを同時撮影して撮影距離を算出し、画像ファイルに添付した撮影倍率情報とともにコンピュータ上で画像の明るさを調整するとともに規定の撮影倍率の画像範囲にトリミングする歯科写真撮影システムであることが好ましい。距離ゲージの一対応として物差しがある。
【１０１５】
また、距離ゲージが色見本と一体の距離ゲージであることは好ましい。
【１０１６】
好ましい画像の明るさは、被写体である歯の明るさがその歯の色特性に応じてＬ＊ａ＊ｂ＊表色系におけるＬ＊値が６０〜８５の範囲になる様に調整可能な明るさの事である。
【１０１７】
歯科撮影に対応した撮影倍率および／または拡大倍率に対応する撮影距離を予め決定するために、歯科写真システムに歯科撮影における規格撮影や補綴目的の歯周辺をクローズアップ撮影する場合の撮影のうちのどれかを選択できる機能を内蔵するのが好ましい。
【１０１８】
さらにこの機能はファインダーやモニターに表示される選択画面と、選択入力スイッチの機能により実現されるのが好ましい。
【１０１９】
さらに、各規格撮影や補綴目的の歯周辺をクローズアップ撮影する場合のその撮影の種類、撮影倍率、拡大倍率、撮影距離情報をカメラの内部に予め内蔵しておくのが好ましい。
【１０２０】
そのうちの撮影距離情報と、実際の被写体との撮影距離情報により自動焦点や撮影自体を可能にする判定を行うのが好ましい。
【１０２１】
次に第５５図を用いて、歯科写真撮影システムの構成を述べる。カメラ内蔵の制御装置に対して距離センサ、撮像CCDからの物理的または電気的入力がある。これに対し、歯科撮影または通常撮影の区別、歯科撮影の種類、倍率である歯科撮影倍率、歯科画像の明るさ、クローズアップレンズの有無、フィルタの有無と種類に関するフィルタの情報、フラッシュの種類、フラッシュの位置と方向に関するフラッシュオプション情報を含む歯科撮影条件入力や、ズーム倍率、撮影距離、照明光量、絞りの物理的または電気的またはソフトウェアとメニュー表示と操作入力の連携による入力がある。また、ズーム倍率、照明光量、絞りに関する操作出力がありそれぞれズーム機構、照明システム、絞り機構によって操作される。
【１０２２】
さらに記録メディアを通してプログラムデータや撮影画像データの入出力を持ち、これらは画像管理ソフトウェアによってパソコンとの間で情報の授受が行われる。パソコンにはモニタ、プリンタがあり、それぞれ映像出力と印刷出力を持つ。画像管理ソフトウェアはパソコンにインストールされる形で機能する。
【１０２３】
さらにカメラ内蔵の制御装置は画像報知手段および音声報知手段および該照明システムへの制御出力を持つ。カメラ内蔵の制御装置内では、クローズアップレンズの有無による拡大倍率、ズーム倍率によるズーム倍率、撮影距離の３つにより倍率が決定される。またはさらに、歯科撮影倍率に応じて、倍率すなわちズーム倍率、撮影距離が制御または術者への指示報知がなされることも好ましい。カメラ内蔵の制御装置にはこの他、照明光量、絞り、露光時間の情報も制御情報として内蔵する。
【１０２４】
さらに図５６を用いて、制御情報の関係を述べる。ズーム倍率は撮影距離と倍率と拡大倍率の関数として決定される。ここで、拡大倍率とはクローズアップレンズの有る場合と無い場合の倍率の比である。照明光量はあらかじめ決めてある歯牙画像の明るさ、撮影距離、露光時間、絞り、感度の関数として決定される。ここで、感度は撮像感度によって決定されている。また、緩和撮影条件は撮影距離と倍率に関して設定されるのが好ましい。これらの緩和撮影条件は、撮影条件に１より小さい係数を掛けた値から１より大きい係数を掛けた値の間の値として設定されるのが好ましい。
【１０２５】
また、図５７は距離ゲージと距離確認ゲージの例を示す。距離ゲージとしては被写体である歯牙の近傍に歯牙と同時に撮影映像または撮影準備映像として撮影される。これは従来より被写体と同時に観察または撮影されるシェードガイドの一部分として実現するのは好ましい。さらに、距離確認ゲージはモニター画面の下部に設置または映像出力される。この距離確認ゲージの所定の幅に距離ゲージの映像が重ね合わされることにより、所望の歯科撮影倍率が倍率として実現される。モニター画面の他にファインダー画面に表示または設置されることも好ましい。
【１０２６】
次に機械装置の制御システムの形態について述べる。
【１０２７】
以下、本発明の一実施形態を、図面を参照して説明する。
【１０２８】
この実施形態の制御システムは、器械装置であるデジタルカメラ５００１をカスタイマイズサービスの対象とするものであり、図３９に示すように外部の情報処理装置たるサーバ装置５００２から端末装置５００３を介してデジタルカメラ５００１の動作モード、動作機能等の内部状態の切替・追加制御を行なうことにより、汎用のデジタルカメラ１に歯科に特化した機能を付与するものである。
【１０２９】
端末装置５００３とデジタルカメラ５００１との通信は通信ケーブルを用いて行われるか、又は、デジタルカメラが有するメモリカード等のメディアＭを用いて行われる。
【１０３０】
端末装置５００３とサーバ装置５００２との通信はインターネットなどの通信手段Ｎにより行われるか又はＣＤ−ＲＯＭ等のメディアＭを介して行われる。
【１０３１】
まず、歯科に特化した場合にデジタルカメラ５００１に要求される機能も含めて、デジタルカメラ５００１の機能について説明する。
【１０３２】
まずデジタルカメラ５００１は、図４０に示すように、撮影に必要な光学系や照明などの撮影用ハードウェアに加え、ＣＰＵ１０ａ、フラッシュメモリカード等による撮影画像の記録メディア５０１０ｆ、ＥＥＰＲＯＭ（またはフラッシュメモリ）５０１０ｂ、ＲＡＭ５０１０ｃ、ハードウェアインターフェース５０１０ｄおよび入出力インターフェース５０１０ｅ等を備えた通常のマイクロコンピュータユニット５０１０を搭載したもの（市販のもの）を使用する。
【１０３３】
デジタルカメラ５００１の記録メディア５０１０ｆやＥＥＰＲＯＭ５０１０ｂには、内部状態情報Ｚの一つである動作モード情報として、図４１に示すように、歯科以外の撮影時に動作する非歯科撮影用プログラム部分Ｐ５００１と、どの様な撮影時でも共通に動作する基本撮影プログラム部分Ｐ５００２と、歯科撮影用プログラム部分Ｐ５００３とがファームウェアとして書き込まれる。
【１０３４】
すなわち、図４１（Ａ）において、非歯科撮影用プログラム部分Ｐ５００１及び基本撮影プログラム部分Ｐ５００２は初期段階において作動可能な状態にあり、歯科撮影用プログラム部分Ｐ５００３はインストールされていないか作動禁止状態にある。
【１０３５】
前記基本撮影プログラム部分Ｐ５００２の一部には、外部から読み込まれた制御情報Ｃ（認証コード）によって、図４１（Ｂ）に示すように歯科撮影用プログラムＰ５００３を新たにインストールするか或いは既にインストールされている当該プログラムＰ５００３の作動禁止状態を解除するかし、同時に非歯科撮影用プログラム部分Ｐ５００１を作動禁止状態に切り替えるスイッチング機能を含む。
【１０３６】
すなわち、デジタルカメラ５００１は、非歯科撮影用プログラム部分Ｐ５００１と基本撮影プログラム部分Ｐ５００２が動作している非歯科用動作モードＭ１と、歯科口腔撮影用プログラム部分Ｐ５００３と基本撮影プログラム部分Ｐ５００２が動作している歯科用動作モードＭ５００２のいずれかで動作する。
【１０３７】
非歯科用動作モードＭ５００１は、例えば通常のフリー撮影モードのように、歯科に特化せず汎用的な撮影に適用できるモードであり、図４２に示すように、オートフォーカス機能Ｍ５０１１やフラッシュ制御機能Ｍ５０１２、画像編集機能Ｍ５０１３などの動作機能Ｍ５０１０が付随する。
【１０３８】
オートフォーカス機能Ｍ１１は一般によく知られた自動焦点機能であり、フラッシュ制御機能Ｍ５０１２はフラッシュのタイミングや露出時間等を制御するものであり、画像編集機能Ｍ５０１３は画像の分類・整理等に必要な、サムネイルその他で撮影画像をインデックス表示したり削除したりする一般的なものである。
非歯科撮影用プログラム部分Ｐ５００１にはこれらの動作機能Ｍ５０１０に対応した内部状態情報Ｚが含まれている。
【１０３９】
これに対して、歯科用動作モードＭ５００２は、歯科に特化した撮影を行なう動作モードであり、例えば図４３に示すように、医院用動作モードＭ５０２１（規格撮影：全体）、技工所用動作モードＭ５０２２（規格撮影：拡大）大学用動作モードＭ５０２３（フリー撮影）、小児歯科用動作モードＭ５０２４、矯正用動作モードＭ５０２５などからなる。
【１０４０】
医院用動作モードＭ５０２１（規格撮影）は、歯牙や歯列や顔貌を撮影対象とし、所定の距離・方向・配置角度で撮影するモードである。
【１０４１】
技工所用動作モードＭ５０２２は、義歯作成の対象となる歯を撮影対象とし、対象となる歯の位置に応じた所定の距離・方向・配置角度で撮影するモードである。
【１０４２】
大学用動作モードＭ５０２３（フリー撮影）は、主に研究目的のためのものであり、撮影対象である歯牙や歯列や顔貌を、距離・方向・配置角度を特に定めず自由に撮影するモードである。
【１０４３】
小児歯科用動作モードＭ５０２４は、永久歯ではなく乳歯の歯牙や歯列に基づいて距離・方向・配置角度が設定されているモードである。矯正用動作モードＭ５０２５は、矯正という特定目的に撮影方法や各種設定値等の撮影条件を特化したモードである。
【１０４４】
歯科撮影用プログラム部分Ｐ５００３は、これらの動作モードを実現する内部状態情報Ｚを、通常は使用不可の状態で含んでおり、個別に各機能を特定した制御情報Ｃが外部から与えられることによって始めて、対応する内部状態情報Ｚを使用可の状態にし、ユーザーが撮影時に当該機能を利用できるようにしている。
【１０４５】
このようにしてなる歯科用動作モードＭ５００２には、撮影距離対応フラッシュ光量調整機能Ｍ２０１、マクロ撮影機能Ｍ５２０２、診療情報記録機能Ｍ５２０３、撮影支援機能Ｍ５２０４、患者アルバム機能Ｍ５２０５、色補正機能Ｍ５２０６、改変不能機能Ｍ５２０７などの動作機能が付随する。
【１０４６】
撮影距離対応フラッシュ光量調整機能Ｍ５２０１とは、被写体との間の距離を検出しこれに応じてフラッシュ光量を自動的に算出する機能をいい、例えば距離の二乗に比例して光量を増大させるなどの計算を行なう機能である。
【１０４７】
マクロ撮影機能Ｍ５２０２とは、特定の歯牙等を接写する目的に特化した機能をいい、例えば最適な焦点・露出等となるようにフラッシュや焦点を制御する機能である。診療情報記録機能Ｍ５２０３とは、歯科医師が下した診療情報や撮影部位に関する情報を患者毎に画像と関連づけて診療データとして記録する機能をいい、例えば補綴物の作成データやホワイトニングのデータ、歯の測色データ等が挙げられる。
【１０４８】
これらの診療データは、患者の画像データファイルに内蔵しておくと一体的に取り扱えて分類・整理に効果的である。撮影支援機能Ｍ５２０４とは、規格撮影・再現撮影等の予め手順が定まっている撮影に対してその手順の説明を表示又は音声を通じて行なう機能をいい、例えば次に撮影すべき患者名、歯牙または歯列または顔貌、距離・方向・配置角度などを順次報知する機能である。
【１０４９】
患者アルバム機能Ｍ５２０５とは、撮影画像データをアルバム的に編集・閲覧等できるようにする機能をいい、例えば撮影画像データを患者毎に階層的に追加、分類、整理、管理、表示する機能である。
【１０５０】
色補正機能Ｍ５２０６とは、歯牙などを撮影した画像の色を本来の色に再現するための補正を行う機能をいい、例えば測色計で取得した色が再現されるようにモニターやプリンターの出力画像を調整することで撮影画像を補正する機能である。
【１０５１】
改変不能機能Ｍ５２０７とは、撮影した画像に対する加工等を禁止する機能をいう。歯科撮影用プログラム部分Ｐ５００３は、これらの動作機能を実現するための動作情報を内部状態情報Ｚの一部に含んでいる。
【１０５２】
一方、この歯科撮影モードＭ５００２においては、動作関連情報として各機能を実現するために必要な動作データＤ５０２０を必要に応じて使用する。
【１０５３】
ここで採り上げる動作データＤ５０２０には、フラッシュ光量データＤ５０２１、シェードガイドデータＤ５０２２、色見本データＤ５０２３などがある。
【１０５４】
フラッシュ光量データＤ５０２１は、外部フラッシュシステムの距離対光量データや、内部フラッシュシステムの距離対光量データ等である。
【１０５５】
シェードガイドデータＤ５０２２は、人間天然歯の色分布の中心付近を基準として分布の幅方向または彩度方向および長さ方向または色の鮮やかさ方向および奥行きまたは色合い方向に色を３次元的に分割して表現したデータである。
【１０５６】
色見本データＤ５０２３は、口腔撮影時に同時に撮影されコンピュータディスプレイに表示またはプリンタで印刷した際に当該色見本を本来の色に再現することによって口腔写真の色補正を可能とする基準色を与えるデータである。
【１０５７】
歯科用プログラム部分は、これらの動作データをも内部状態情報Ｚとして含んでいる。
【１０５８】
これらの動作データは、数式等の形で与えることもできる。
【１０５９】
一方、必ずしも歯科に特化した機能ではないが、歯科分野で特に有用な機能として、動作データ抽出機能Ｍ５０１４は、デジタルカメラ５００１の動作状況をモニタリングする動作状況データＤ５０１４を抽出する機能である。
【１０６０】
具体的には、デジタルカメラ５００１の各機能の動作が正常か否かのデータ、デジタルカメラ５００１の各機能特性データや、デジタルカメラ５００１の動作特性データ、デジタルカメラ５００１に付属する電池等の消耗品の残量等に関するデータである。
【１０６１】
また、使用データ抽出機能Ｍ５０１５は、デジタルカメラ５００１の使用状況をモニタリングする使用データＤ５０１５を抽出する機能である。
【１０６２】
具体的には、デジタルカメラ５００１が使用された事実に関するデータ、使用回数データ、撮影枚数データ等に関するデータである。
【１０６３】
なお、本システムとして、複数の患者の画像データまたは補綴物の作成データまたはホワイトニングのデータまたは歯の測色データまたはこれらのデータを分析・加工したデータといった診療データＤ５０２４をデジタルカメラ５００１から吸い上げてサーバ装置５００２に配置し、使用者または患者の要求に応じて端末装置５００３にデータを供給するようにしておくことも有効である。
【１０６４】
また、前記診療情報記録機能Ｍ５２０３には、閲覧者または改変者を含むデータ閲覧・改変履歴を患者データ毎に記録するとともに改変前のデータを残す機能を持たせておいてもよい。
【１０６５】
また、この実施形態は、動作機能Ｍ５０２０の一つに課金データ生成機能Ｍ５２０８を備えている。
【１０６６】
この場合の課金データ生成機能Ｍ５２０８は、課金の基礎となるデータを生成するもので、歯科用動作モードＭ５００２における各動作モードでの使用回数や撮影枚数に応じたポイントや金額を課金データＤ５０２５として生成し、これをデジタルカメラ５００１や端末装置５００３で表示したり、付属のプリンタで印刷したり、サーバ装置５００２にオンライン出力させるものである。
【１０６７】
この課金データＤ５０２５は、診療料金に加算するために上記診療データＤ５０２４に関連づけて保存することも可能である。
【１０６８】
しかして、本実施形態は、上記のような歯科に特化した場合にデジタルカメラ５００１に要求される動作モード情報、動作機能、動作データ等の内部状態情報Ｚをサーバ装置５００２から端末装置５００３を介して提供し、或いは、既にデジタルカメラ５００１に内蔵されている内部状態情報Ｚをサーバ装置５００２から有効に機能させるべく、端末装置５００３及びサーバ装置５００２を次のように構成している。
【１０６９】
まず、端末装置５００３を、図４４に示すように、ＣＰＵ５０３０ａ、記録メディア５０３０ｆ、ＣＤメディア５０３０ｆ２、ＲＯＭ５０３０ｂ、ＲＡＭ５０３０ｃ、入出力インターフェース５０３０ｄ、通信インターフェース５０３０ｅ等を備えた通常のコンピュータユニット５０３０により構成する。
【１０７０】
そして、ＣＤメディア５０３０ｆ２等にカメラ制御用プログラム５３００ｂを内蔵し、ＣＰＵ５０３０ａにこのカメラ制御用プログラム５３００ｂを読み込ませ、逐次実行させることによって、デジタルカメラ５００１との間の情報の授受を通じて、図４６に示す制御情報要求手段５３０２、制御情報取得手段５３０３、照合手段５３０４、状態制御手段５３０５を構築する。
【１０７１】
制御情報要求手段５３０２は、デジタルカメラ５００１に接続した端末装置５００３からインターネット等の通信手段Ｎ又は情報メディアＭを介して機器識別情報Ａを送信することにより、サーバ装置５００２に制御情報Ｃを要求する。
【１０７２】
機器識別情報Ａは、ユーザーを特定するためのコードであり、ユーザーが要求する内部状態情報Ｚを示す内部状態情報識別コードを付帯している。
【１０７３】
ユーザーを特定するためのコードとしては、例えば８桁のシリアル番号（製造番号）、ユーザーＩＤ、パスワード、クレジットカード番号などの、ユーザーを特定する数字や文字列或いはこれらの組み合わせをあげることができる（図４８参照）。
【１０７４】
このように、器械装置やユーザーを特定できる番号を２つ以上併用すれば、セキュリティー保護はより確実なものになる。
【１０７５】
ユーザーが要求する内部状態情報Ｚとは、ユーザーが必要とする動作モード、動作機能、動作データなどである。図４８はこの制御情報要求手段５３０２の具体的な態様を示しており、端末装置５００３の画面上にシリアル番号等を入力する欄、要求する動作モード、動作機能、動作データにチェックを入れる欄（モード選択欄、機能設定欄、データ設定欄）、サーバ装置５００２への送信ボタン、或いは情報メディアＭであれば書き込みボタン等（図示省略）が設けられている。
【１０７６】
制御情報取得手段５３０３は、通信手段Ｎ若しくは情報メディアＭを介してなされる制御情報要求に対するサーバ装置５００２の応答によって制御情報Ｃを取得する。
【１０７７】
図４６の例では、制御情報Ｃには、デジタルカメラ５００１に固有のものとして予めサーバ装置５００２に登録された内部識別情報Ｂ（ＣＰＵ番号やファームウェア番号）が含まれ、また、サーバ装置５００２の保有する内部状態情報Ｚのうち要求に係るものが付随する。
【１０７８】
一方、図４７の例では、制御情報Ｃには、デジタルカメラ５００１に固有のものとしてサーバ装置５００２に登録されている内部識別情報Ｂ（ＣＰＵ番号やファームウェア番号）が含まれ、また、デジタルカメラ５００１に予め内蔵されている内部状態情報Ｚのうち要求に係るものをＯＮにするための内部状態情報制御コードＣ５００１が付随する。
【１０７９】
照合手段５３０４は、デジタルカメラ５００１において制御情報Ｃに反映されている内部識別情報Ｂが、当該デジタルカメラ５００１に当初から書き込まれている内部識別情報ｂ（ＣＰＵ番号やファームウェア番号）と合致するか否かを、これらをＣＰＵ５０３０ａに取り込んで比較することによって照合する。
【１０８０】
状態制御手段５３０５は、照合が偽である場合に内部状態情報Ｚの制御を行なわず、照合が真である場合に内部状態情報Ｚの制御を行なう。
【１０８１】
すなわち、照合が真である場合のみ、前述した制御情報Ｃに基づいて、そのユーザーの要求した内部状態情報Ｚを利用可能にするための制御を行なう。
【１０８２】
具体的には、内部状態情報Ｚである歯科撮影用プログラムＰ５００３を特定の機能が利用できるようにその禁止状態を解除するか若しくは新たにロードし、非歯科用プログラムＰ５００１を使用禁止状態にする（図４１参照）。
【１０８３】
一方、サーバ装置５００２を、図４５に示すように、ＣＰＵ５０２０ａ、内部・外部記憶装置５０２０ｂ、入出力インターフェース５０２０ｄ、通信インターフェース５０２０ｅを備えた通常のワークステーション５０２０により構成する。
【１０８４】
そして、内部・外部記憶装置５０２０ｂにカメラ管理用プログラム５２００ｂを内蔵し、ＣＰＵ５０２０ａにこのカメラ制御用プログラム５２００ｂを読み込ませ、逐次実行させることによって、図４６に示す識別情報データベース５０２１、内部状態情報記憶手段５０２２、要求受付手段５０２３、照会手段５０２４、応答手段５０２５を構築する。
【１０８５】
識別情報データベース５０２１は、サーバ装置５００２においてデジタルカメラ５００１に固有の内部識別情報Ｂ(ＣＰＵ番号、ファームウェア番号など)を前述した機器識別情報Ａ（製造番号等）と関連づけて予め登録しておく。
【１０８６】
デジタルカメラ５００１の製造番号等の機器識別情報ＡとＣＰＵ番号（或いはファームウェア番号）などの内部識別情報Ｂとは１対１で対応しており、予めデジタルカメラ５００１の製造元等からそのデータを入手してこれらをレコード構造にしてデータベース化しておく。
【１０８７】
内部状態情報記憶手段５０２２は、要求に応じてユーザーに歯科用のデータを提供すべく、動作モード情報（歯科用動作モードＭ５００２、非歯科用動作モードＭ５００１を構築するための非歯科用プログラムＰ５００１、基本プログラムＰ５００２、歯科用プログラムＰ３等）、動作関連情報（動作機能Ｍ５０１０、Ｍ５０２０、動作データＤ５０１０、Ｄ５０２０等）などの内部状態情報Ｚを記憶保持している。
【１０８８】
図４７の例では、サーバ装置５００２側に内部状態情報はなく、デジタルカメラ５００１側に予め使用が禁止された状態で当該内部状態Ｚが内部状態情報記憶手段５１０１に格納されている。
【１０８９】
要求受付手段５０２３は、端末装置５００３から機器識別情報ａを伴った制御情報要求信号を受け付ける。この要求に際して、この実施形態ではどの内部状態情報Ｚに関する制御情報を要求するかを端末装置５００３で具体的に選ぶことができる。これは図５０１０等に基づいて説明した通りである。
【１０９０】
照会手段５０２４は前記識別情報データベース５０２１に前記機器識別情報ａと一致する機器識別情報Ａが登録してあるか否かを照会する。つまり、要求に係る機器識別情報ａと、登録に係る機器識別情報Ａとの一致・不一致をみる。そして、照会結果を後述する応答手段５０２５へ出力する。
【１０９１】
応答手段５０２５は、前記照会手段５０２３による出力が真を表すものである場合（つまり登録がある場合）に、その機器識別情報Ａ（＝ａ）に対応して予め登録してある内部識別情報Ｂを前記識別情報データベース５０２１から取り出し、通信手段Ｎ又は情報メディアＭを介して端末装置５００３に（又は端末装置５００３を介してデジタルカメラ５００１に）当該内部識別情報Ｂを伴って制御情報Ｃを送付する応答をなす。
【１０９２】
この制御情報Ｃには、図４６の構成においては内部状態情報Ｚが付随し、図４７の構成においては内部状態情報制御コードＣ５００１が付随する。
【１０９３】
内部状態情報Ｚがロードされることによって機能できる状態となり、コードＣ５００１は、当該デジタルカメラ５００１の内部に内蔵されている全機能の中からそのユーザーの選択した機能のみを有効にする切替制御のためのものである。
【１０９４】
図４９は以上を通信によって実現する場合の手順を例示したフローチャートである。先ず、端末装置５００３側において、制御情報要求の入力待ちをし、入力があると制御情報要求をサーバ装置２に送信する（制御情報要求ステップＳ５００１）。
【１０９５】
サーバ装置５００２は、この制御情報要求信号を受信すると、要求に係る機器識別情報ａが識別情報データベース５０２１に登録されている機器識別情報Ａの何れかと一致するか否かを照合する（照合ステップＳ５００２）。
【１０９６】
一致するものが登録されている場合、サーバ装置５００２は前記識別情報データベース５０２１から、少なくとも当該機器識別情報Ａに対応した内部識別情報Ｂを取り出し、通信手段Ｎ又は情報メディアＭを介して制御情報Ｃを送付する応答をなす（応答ステップＳ３）。
【１０９７】
この応答信号は、図４６の構成では内部状態情報Ｚを伴い、図４７の構成では内部状態情報制御コードＣ５００１を伴う。次に、応答待ちをしていた端末装置５００３が応答信号を受け、制御情報Ｃを取得すると、その制御情報Ｃに反映されている内部識別情報Ｂに対応した情報が、器械装置１に書き込まれている内部識別情報Ｂと合致するか否かを照合する（照合ステップＳ５００４）。
【１０９８】
そして、照合が真である場合に、制御情報Ｃに基づいて内部状態情報Ｚ（動作モード情報、モード関連情報（動作機能、動作データ）など）をロードするか、或いはその機能を有効にする切替制御を行なう（状態制御ステップＳ５）。
【１０９９】
図４５の構成の場合、照合ステップＳ５００４で真の結果を得た後にサーバ装置５００２から端末装置５００３に内部状態情報Ｚを送るようにしてもよい。
【１１００】
＜変形例＞
図５０及び図５１に本実施形態に係る制御システムの別異の構成を示す。この構成の場合、前記要求受付手段５０２３において照合結果を出力するまでの過程は図４６、図４７のものと略同様である。
【１１０１】
図５０の構成において、照会手段５０２４による出力が真を表すものである場合（つまり要求に係る機器識別情報ａと識別情報データベースの中の機器識別情報Ａの一とが一致する場合）、その機器識別情報Ａに関連づけて登録されている内部識別情報Ｂを前記識別情報データベース５０２１から取り出す。
【１１０２】
そしてサーバ装置５００２は、通信手段Ｎにより端末装置５００３を介してデジタルカメラ５００１に当初から書き込まれている内部識別情報ｂを直接又は端末装置５００３を介して読み出す。
【１１０３】
この内部識別情報ｂは、最初の制御情報要求手段５３０２による要求時に同時に送ってもよい。次に、前記識別情報データベース５０２１から取り出した内部識別情報Ｂと、デジタルカメラ５００１から取り出した内部識別情報ｂとが合致するか否かを、サーバ装置５００２のＣＰＵ５０２０ａにおいて比較することによって照合手段５２３４が照合する。
【１１０４】
その後、応答手段５０２５’が、前記照合手段５２３４による照合が真である場合にのみ、内部状態情報記憶手段５０２２から内部状態情報Ｚを取り出して制御情報Ｃとともに端末装置５００３に送付するか、或いは、デジタルカメラ５００１側に内部状態情報Ｚが予め備わる場合には内部状態情報制御コードＣ５００１を制御情報Ｃとともに送付する。
【１１０５】
その後の構成は図４６、図４７のものと同様であり、図５１はこの変形例の場合の手順を示すフローチャートである。
【１１０６】
具体的な実施の動作
まず歯科口腔測色写真システムの具体的な実施の動作について述べる。
【１１０７】
次に本発明の実施の動作および効果について説明する。
【１１０８】
特定の撮影対象または特定の撮影条件または特定の術者名が、術者により選択されるべく、表示または音声出力により術者に示され、撮影属性データ設定選択手段をそなえたことを特徴とする歯科口腔撮影用デジタルカメラおよび／または歯科口腔画像管理ソフトウェアよりなる本システムの実施の動作と効果としては、複数の撮影対象・撮影条件・術者名をファインダーまたは液晶モニターに選択メニューとして表示または音声出力し、そのなかから、特定の撮影対象または特定の撮影条件または特定の術者名を術者が選択すべく動作することにより、術者支援とし操作性の向上をもたらすものである。
【１１０９】
被写体表面までの距離に応じて撮影のための照明の光量を調節することを特徴とする歯科口腔撮影用デジタルカメラおよび／または歯科口腔画像管理ソフトウェアよりなる本システムの実施の動作と効果については、被写体表面までの距離を自動焦点機能等で取得し、その距離に応じて撮影のための照明の光量を調節することにより歯科用カメラの被写体反射光量を最適化し、撮影ミスをなくすことで操作性向上をもたらすものである。
【１１１０】
ミラーを介した撮影に対応して撮影のための照明の光量を補正することを特徴とする歯科口腔撮影用デジタルカメラおよび／または歯科口腔画像管理ソフトウェアよりなる本システムの実施による動作と効果については、ミラーを介した撮影では、ミラーの反射の時点で一定の光量低下があるので、ミラーを介した撮影に対応して撮影のための照明の光量を補正することにより被写体反射光量を最適化し、撮影ミスをなくすことで操作性向上をもたらすものである。
【１１１１】
撮影のための照明から被写体表面までの距離を変えず、照明光の被写体への入射角度が可変であることを特徴とする歯科口腔撮影用デジタルカメラを含む本システムの実施の動作と効果については、図１３において、フラッシュ発光部１５１が、ａまたはｂ、ｃあるいはその中間の位置に対に位置決めされるべく、フラッシュアーム１５２がカメラ本体１１を中心に左右対象に伸び縮みする。このフラッシュアーム１５２は被写体を想定した位置を中心とする円上を移動する様に設計構成されている。
【１１１２】
この結果、被写体への照明の方向が変わっても照明から被写体への距離が変化せず、被写体反射光量を最適化し、撮影ミスをなくすことで操作性向上をもたらすものである。
【１１１３】
ミラー撮影の場合に、ミラーを凹面鏡にするとともに、歯科口腔撮影用プログラム部分BP3´をコンピュータに読み込むことにより演算手段を構成し、前記ミラーを通じて取得した撮影データを演算手段を介して平面上に展開するようにすれば、広角な撮影も好適に行なえるようになる。
【１１１４】
撮影のための照明が光ファイバによりガイドされる歯科口腔撮影用デジタルカメラを含む本システムおよび光ファイバの投光部の位置および／または方向が可変である歯科口腔撮影用デジタルカメラを含む本真システムの実施による動作と効果については、フラッシュ発光部１５１の発光をミラー１５５で反射して可撓性のある光ファイバ１５３に導き、光ファイバアーム１５４に固定された位置にて照明光が投射される。
【１１１５】
光ファイバアーム１５４は被写体を想定した位置を中心に円弧上に光ファイバ固定具１５６の位置を左右対象に調節する。また光ファイバ１５３を光ファイバ固定具１５６に固定せずに任意の場所に固定することが出来る。
【１１１６】
この様にして撮影のための照明が光ファイバによりガイドされることにより被写体反射光量を最適化し、撮影ミスをなくすことで操作性向上をもたらすものである。
【１１１７】
照明の方向から偏光板を介して撮影を行なうことにより、いわゆる照明によるてかりをなくして、エナメル層の下にある象牙層のうしょく（虫歯）を撮影できる効果をもたらすものである。
【１１１８】
光ファイバによるガイドに非撮影時に照明光を通すか、光ファイバによるガイドの投光部に光ファイバの投光方向と同一の方向に非撮影時に投光すべく、第２の投光手段を備えることによる動作と効果については、上記の光ファイバによるガイドに非撮影時に照明光を通すか、上記の光ファイバによるガイドの投光部に光ファイバの投光方向と同一の方向に非撮影時に投光すべく、第２の投光手段（図１４におけるパイロットランプ１５７）を備えることにより被写体反射光量を最適化し、撮影ミスをなくすことで操作性向上をもたらすものである。
【１１１９】
３次元の表色系において表した人間の天然歯および／または歯肉の色の立体分布形状に応じてその中心を基準とし、分布の長さ方向および幅方向および奥行き方向または位相角に目盛を配置し、あるいはさらに人間の色差感覚に比例した目盛間隔を設定した人間天然歯表色系による歯および／または補綴物および／または歯肉の色表現を備えることを特徴とする歯科口腔撮影用デジタルカメラおよび／または歯科口腔画像管理ソフトウェアおよび／または歯科用測色計および／または歯科用色標識および／または色判定票よりなる本システムの実施による動作と効果については、３次元の表色系において表した人間の天然歯の色の立体分布形状に応じてその中心を基準とし、分布の長さ方向および幅方向および奥行き方向または位相角に目盛を配置し、および人間の色差感覚に比例した目盛間隔を設定した人間天然歯表色系による歯または補綴物の色表現を備えることにより、色表現または色再現性の向上をもたらす。
【１１２０】
人間天然歯表色系の分布の長さ方向および幅方向および奥行き方向または位相角のそれぞれ代表的な位置に相当する単数または複数の色票をそなえたことを特徴とする歯科用色標識を含む本システムの実施による動作と効果については、人間天然歯表色系の分布の長さ方向および幅方向および奥行き方向または位相角のそれぞれ代表的な位置に相当する単数または複数の色票による歯科用色標識を備えることにより、色表現または色再現性の向上をもたらす。
【１１２１】
歯科用色標識を同時に撮影した場合に、歯科用色標識の色を再現することにより、被写体の画像の色を被写体の色に近似再現補正することを特徴とする歯科口腔撮影用デジタルカメラおよび／または歯科口腔画像管理ソフトウェアよりなる本システムの実施による動作と効果については、歯科用色標識を同時に撮影した場合に、歯科用色標識の色を再現することにより、被写体の画像の色を被写体の色に近似再現補正することにより、色表現または色再現性の向上をもたらす。
【１１２２】
３次元の表色系において表した人間の天然歯および／または歯肉の色の立体分布形状に応じてその中心を基準とし、分布の長さ方向および幅方向および奥行き方向または位相角に目盛を配置し、あるいはさらに人間の色差感覚に比例した目盛間隔を設定した人間天然歯表色系で、歯科用色標識の色を基準に、被写体の各部の色を表現することを特徴とする歯科口腔撮影用デジタルカメラおよび／または歯科口腔画像管理ソフトウェアよりなる本システムの実施による動作と効果については、歯科用色標識の色を基準に、被写体の各部の色を人間天然歯表色系で表現することにより、色表現または色再現性の向上をもたらす。
【１１２３】
測色計で測色した撮影対象の歯牙の測色データにより、撮影した画像の色補正を行なうことを特徴とする歯科口腔撮影用デジタルカメラおよび／または歯科口腔画像管理ソフトウェアよりなる本システムの実施による動作と効果については、歯科口腔測色写真システムの歯科口腔測色写真プログラムであって、撮影画像データと撮影属性データを関連付けて記憶させる撮影データ記憶管理手段で、撮影属性データと撮影画像データを同一のファイルとして記憶させた結合ファイル、撮影属性データと撮影画像データを別々のファイルとし、どちらか１方のファイルにファイル関連付け情報と共に記憶させた関連付け情報付ファイル、撮影属性データと撮影画像データを別々のファイルとし、別のファイルにファイル関連付け情報を記憶させた関連付け情報ファイル、撮影属性データを撮影画像データの一部と明示して置換えて同一ファイルに記憶させた明示結合ファイル、撮影属性データを撮影画像データの一部と隠匿して置換えて同一ファイルに記憶させた隠匿結合ファイル、暗号化した撮影属性データを撮影画像データの一部と明示して置換えて同一ファイルに記憶させた暗号明示結合ファイル、暗号化した撮影属性データを撮影画像データの一部と隠匿して置換えて同一ファイルに記憶させた暗号隠匿結合ファイルの内の少なくとも一つとして、保存されることを特徴とする歯科口腔測色写真プログラムの測色計で測色した撮影対象の歯牙の測色データにより、撮影した画像の色補正を行なうことにより、色表現または色再現性の向上をもたらす。
【１１２４】
赤外カットフィルタを備えたことを特徴とする歯科口腔撮影用デジタルカメラを含む本システムの実施による動作と効果については、赤外カットフィルタを備えたことにより、色表現または色再現性の向上をもたらす。
【１１２５】
色標識または、異なる３色以上色の色票を単独または患者の被写体と同時撮影後の撮影において、色標識または色票を撮影することなく撮影した画像の色を３次元的に表現する歯科口腔撮影用デジタルカメラおよび／または歯科口腔画像管理ソフトウェアよりなる本システムの実施による動作と効果については、上記の色標識または、異なる３色以上色の色票を単独または患者の被写体と同時撮影後の撮影において、色標識または色票を撮影することなく撮影した被写体の色を３次元的に表現するか、被写体の色を画像上再現することにより、色表現または色再現性の向上をもたらす。
【１１２６】
また、色補正支援等に関する上記の構成によれば、色標識または異なる３色以上色の色票を撮影し、その撮影画像を表示したモニタ画面または印刷した印刷物上に再現された色標識または色票を再度撮影することにより、その後の撮影において、被写体の色を３次元的に表現するか、被写体の色を画像上再現することにより、色表現または色再現性の向上をもたらし、治療の過程で患者の歯または歯肉の色の変化の過程を画像または印刷物上で再現するか、または歯科口腔測色写真システムの歯科口腔測色写真プログラムであって、撮影画像データと撮影属性データを関連付けて記憶させる撮影データ記憶管理手段で、撮影属性データと撮影画像データを同一のファイルとして記憶させた結合ファイル、撮影属性データと撮影画像データを別々のファイルとし、どちらか１方のファイルにファイル関連付け情報と共に記憶させた関連付け情報付ファイル、撮影属性データと撮影画像データを別々のファイルとし、別のファイルにファイル関連付け情報を記憶させた関連付け情報ファイル、撮影属性データを撮影画像データの一部と明示して置換えて同一ファイルに記憶させた明示結合ファイル、撮影属性データを撮影画像データの一部と隠匿して置換えて同一ファイルに記憶させた隠匿結合ファイル、暗号化した撮影属性データを撮影画像データの一部と明示して置換えて同一ファイルに記憶させた暗号明示結合ファイル、暗号化した撮影属性データを撮影画像データの一部と隠匿して置換えて同一ファイルに記憶させた暗号隠匿結合ファイルの内の少なくとも一つとして、保存されることを特徴とする歯科口腔測色写真プログラムの色表現で表示することにより、色表現または色再現性の向上をもたらし、歯肉の色表現または色表現を重視するか、天然歯の色再現または色表現を重視するか、補綴物の色再現または色表現を重視するかを切り替えることにより、色表現または色再現性の向上をもたらす。
【１１２７】
さらに、撮影した画像データファイルまたは画像データでないファイルに撮影した画像がオリジナルであるか改変されたことを示す画像改変識別情報を付与し、パーソナルコンピュータ側で画像がオリジナルであることまたは改変されたことを確認支援・認証・保証情報を付与することにより、歯科用口腔画像の品質証明価値あるいは証拠価値の向上をもたらす。
【１１２８】
更に本発明の実施の動作および効果について説明する。
【１１２９】
歯科口腔撮影用デジタルカメラおよび／または歯科口腔画像管理ソフトウェアおよび／または歯科用色標識および／または歯科用測色計および／または歯科用定型色判定票を構成要素とする歯科口腔写真システムの実施の動作および効果としては、歯科口腔撮影用デジタルカメラにより患者の口腔・顔・カルテを撮影し、撮影画像データ、および診療所名を含む術者データ、または患者名・撮影部位・撮影順番を含む撮影対象データ、または絞り・シャッター速度・照明光量等の撮影条件データを歯科口腔撮影用デジタルカメラから歯科口腔画像管理ソフトウェアにＵＳＢ等の通信ケーブルまたはフラッシュメモリーカード等の記録メディアを介して転送し、歯科口腔画像管理ソフトウェアで術者データ・撮影対象データ・撮影条件データをもとに撮影画像データを自動的に整理することにより、術者を支援し操作性を向上するものである。
【１１３０】
また、逆に既に撮影した特定の患者のこれらデータを歯科口腔撮影用デジタルカメラへ転送することにより、再診に訪れた患者の撮影を同じ条件で行なうことを撮影支援し操作性を向上するものである。
【１１３１】
また、歯科で行なわれている規格撮影の撮影対象データ・撮影条件データを内蔵し、術者に撮影指針を与え、かつ撮影準備を自動的に行ない操作性を向上するものである。
【１１３２】
また、ファインダーまたは液晶モニタに撮影対象に応じた照準または、再診の患者であれば以前の画像データの輪郭を表示して撮影支援し操作性を向上するものである。
【１１３３】
また、口腔写真撮影に対応した照明をセットし、照明の最適な制御を行ない、撮影画像の露出を最適化し、ミスの無い簡単撮影を実現し結果的に操作性を向上させるものである。
【１１３４】
また、歯の色の判定に関し、人間天然歯の表色系に基づく測色計、または歯科用色標識を用いて色の判定を行ない、色の再現を支援するものである。また、歯科用色標識を撮影対象と同時撮影することにより、撮影画像の色補正・色判定を行ない、色の再現を支援するものである。
【１１３５】
また、歯科用色標識または一般の色票または色見本を撮影することによって、歯科口腔撮影用デジタルカメラの色補正を行ない、色の再現を支援するものである。
【１１３６】
また、歯科用色標識または一般の色票または色見本を撮影し、歯科口腔画像管理ソフトウェアでコンピュータディスプレイに表示またはプリンタで印刷した歯科用色標識または一般の色票または色見本を再度撮影し、色データを照合することで歯科口腔撮影用デジタルカメラとコンピュータディスプレイまたはプリンタの色補正を行ない、色の再現を支援ものである。
【１１３７】
また、画像が撮影時のオリジナルのものであるか、改変されたものであるかを判別して、診療の品質保証の支援を行なうものである。
【１１３８】
カメラまたは照明の全部または一部の制御を、通信手段を介して行なうか、制御のためのプログラムまたはデータの授受を記録メディアおよび／または通信手段を介して行なうことを特徴とする歯科口腔撮影用デジタルカメラおよび／または歯科口腔画像管理ソフトウェアよりなる歯科口腔写真システムの実施の動作としては、カメラまたは照明の全部または一部の制御を、通信手段を介して行なうか、制御のためのプログラムまたはデータの授受を記録メディアまたは通信手段を介して行なうことにより操作性の向上についての条件、つまり歯科口腔撮影用デジタルカメラと歯科口腔画像管理ソフトウェアのデータの共有と機能的な結合を行なうものである。
【１１３９】
歯科口腔撮影を行なう状態で起動し、歯科口腔撮影を行なわない状態に移行するための表示または操作入力をそなえたことを特徴とする歯科口腔撮影用デジタルカメラおよび／または歯科口腔画像管理ソフトウェアよりなる歯科口腔写真システムの実施の動作および効果としては、歯科口腔撮影を行なう状態で起動し、歯科口腔撮影を行なわない状態に移行するためのメニュー表示を行ない、このまま歯科口腔撮影を行なうか、一般の撮影に切り替えるか術者の操作入力により対応することで、歯科に特徴的な撮影以外の一般の撮影も可能にして操作性の向上をもたらすものである。
【１１４０】
複数の撮影対象または複数の撮影条件または複数の術者名が、あらかじめ決められた順序または撮影条件に従って術者により撮影されるべく、表示または音声出力により術者に示されることを特徴とする歯科口腔撮影用デジタルカメラおよび／または歯科口腔画像管理ソフトウェアよりなる歯科口腔写真システムの実施の動作と効果としては、上顎前歯部・下顎前歯部・上顎小臼歯部・下顎小臼歯部等の複数の撮影対象が、あらかじめ決められた順序で撮影部位に応じた撮影条件、あるいは前回撮影の術者名とともにファインダーまたは液晶モニタに表示または音声出力により術者に示すことにより術者支援とし、前回撮影と同一術者の場合はさらなる操作性の向上をもたらしすものである。
【１１４１】
特定の撮影対象または特定の撮影条件または特定の術者名が、術者により選択されるべく、表示または音声出力により術者に示され、選択操作入力手段をそなえたことを特徴とする歯科口腔撮影用デジタルカメラおよび／または歯科口腔画像管理ソフトウェアよりなる歯科口腔写真システムの実施の動作と効果としては、複数の撮影対象・撮影条件・術者名をファインダーまたは液晶モニターに選択メニューとして表示または音声出力し、そのなかから、特定の撮影対象または特定の撮影条件または特定の術者名を術者が選択すべく動作することにより、術者支援とし操作性の向上をもたらすものである。
【１１４２】
撮影対象または撮影条件または術者名を、撮影画像のデータファイルまたは撮影画像ではないデータファイルに記録するか、または通信出力または入力することを特徴とする歯科口腔撮影用デジタルカメラおよび／または歯科口腔画像管理ソフトウェアよりなる歯科口腔写真システムの実施の動作と効果としては、撮影対象または撮影条件または術者名を、撮影画像のデータファイル、例えばＪＰＥＧ形式のデータファイルのデータ領域に記録するか、または撮影画像ではない専用のデータファイルに記録することにより、これらデータファイルのデータを歯科用画像管理ソフトが自動処理して術者支援とし操作性の向上をもたらすための前提を提供するものである。
【１１４３】
あらかじめ決められた歯牙または歯列または顔貌を、あらかじめ決められた距離・方向・配置角度で規格撮影する歯科口腔撮影用デジタルカメラにおいて、および／または同一患者における治療過程の同一歯牙または歯列または顔貌を同一距離・方向・配置角度で再現撮影する歯科口腔撮影用デジタルカメラにおいて、特定の規格撮影または再現撮影の手順を１つの口腔写真撮影ステップとし、口腔写真撮影ステップを術者に表示および／または音声出力するか、および／または術者による選択入力手段をそなえるか、および／または撮影画像のデータファイルおよび／または撮影画像ではないデータファイルに記録するかおよび／または通信出力または入力することを特徴とする歯科口腔撮影用デジタルカメラおよび／または歯科口腔画像管理ソフトウェアよりなる歯科口腔写真システムの実施の動作と効果としては、あらかじめ決められた歯牙または歯列または顔貌を、あらかじめ決められた距離・方向・配置角度で撮影する規格撮影、または同一患者における同一歯牙または歯列または顔貌を同一距離・方向・配置角度で再診時に再現撮影する場合に、規格撮影であればその撮影対象・撮影条件をあらかじめ口腔写真撮影ステップとして歯科用デジタルカメラおよび歯科用画像管理ソフトに内蔵し、再現撮影であれば、その患者の以前の撮影対象・撮影条件・術者名・以前の撮影画像の輪郭を口腔写真撮影ステップとして、複数の口腔写真撮影ステップを表示または音声出力し選択入力することとにより、さらにこれらデータを撮影後、画像のデータファイルまたは撮影画像ではないデータファイルに記録するかまたは通信出力または入力することにより術者支援とし操作性の向上をもたらすものである。
【１１４４】
複数の規格撮影の口腔写真撮影ステップの中に患者の顔写真および／または書類を含む歯科口腔撮影用デジタルカメラおよび／または歯科口腔画像管理ソフトウェアよりなる歯科口腔写真システムの実施の動作と効果としては、複数の規格撮影の口腔写真撮影ステップの中に患者を特定するための情報として患者の顔写真または書類を含むことにより、設計支援とし操作性の向上の前提とする。
【１１４５】
複数の口腔写真撮影ステップをあらかじめ決められた手順に従って音声および／または表示により術者に指示することを特徴とする歯科口腔撮影用デジタルカメラおよび／または歯科口腔画像管理ソフトウェアよりなる歯科口腔写真システムの実施の動作と効果としては、複数の口腔写真撮影ステップをあらかじめ決められた手順に従って音声または表示により術者に指示することにより、術者が手順通りに撮影する場合において操作性の向上をもたらすものである。
【１１４６】
ファインダーおよび／またはモニタに表示される照準が、口腔写真撮影ステップに応じて変化することを特徴とする歯科口腔撮影用デジタルカメラおよび／または歯科口腔画像管理ソフトウェアよりなる歯科口腔写真システムの実施の動作と効果としては、ファインダーに表示される照準が、口腔写真撮影ステップに応じて変化することにより術者への撮影支援とし操作性の向上をもたらすものである。
【１１４７】
口腔写真撮影ステップにおいて、該当する規格撮影および／または再現撮影に応じて、術者にカメラの位置方向を音声および／または表示により指示することを特徴とする歯科口腔撮影用デジタルカメラおよび／または歯科口腔画像管理ソフトウェアよりなる歯科口腔写真システムの実施の動作と効果としては、口腔写真撮影ステップにおいて、該当する規格撮影または再現撮影に応じて、術者にカメラの位置方向を音声または表示により指示することにより術者への撮影支援とし操作性の向上をもたらすものである。
【１１４８】
ある患者の最初の口腔写真撮影ステップにおいて、撮影画像のデータファイルに最初であることを示すマーク情報を付与するか、および／または撮影画像ではないデータファイルに最初の撮影画像を特定する情報を記録するかまたは通信出力または入力することを特徴とする歯科口腔撮影用デジタルカメラおよび／または歯科口腔画像管理ソフトウェアよりなる歯科口腔写真システムの実施の動作と効果としては、ある患者の最初の口腔写真撮影ステップにおいて、撮影画像のデータファイルに最初であることを示すマーク情報を付与するか、または撮影画像ではないデータファイルに最初の撮影画像を特定する情報を記録するかまたは通信出力または入力することにより、そのマークを特定の患者の最初のデータとして、歯科用画像管理ソフトでの撮影画像の自動整理・管理の前提情報とし、操作性の向上をもたらすものである。
【１１４９】
撮影対象・撮影条件を撮影画像のデータファイルおよび／または撮影画像ではないデータファイルから読み出すか通信入力することより、口腔写真撮影ステップを実行することを特徴とする歯科口腔撮影用デジタルカメラおよび／または歯科口腔画像管理ソフトウェアよりなる歯科口腔写真システムの実施の動作と効果としては、上記歯科口腔写真システムの実施の動作により、撮影対象、撮影条件、術者名が確定した状態で、歯科口腔撮影用デジタルカメラが口腔写真撮影ステップを実行し、これらデータを自動記録することにより歯科用画像管理ソフトでの撮影画像の自動整理・管理の前提情報とし、操作性の向上をもたらすものである。
【１１５０】
次の患者であるか引き続き撮影する患者か、診療所はどこかおよび／または術者は誰か、補綴物を扱う技工所はどこかおよび／または技工士は誰か、患者名は誰か、初診患者か再診か、規格撮影か自由撮影か、規格撮影の場合どの規格撮影か、術者が初心者か熟練者か、絞り、露光時間、照明光量、撮影距離、ズーム倍率、光学的撮影倍率、デジタルトリミング倍率、左列挙のいずれかすくなくとも１つ以上の撮影対象および／または撮影条件について、あらかじめいずれか初期設定したうえで、術者に変更選択のための表示か音声ガイド出力を行ない、メニュー操作および／またはスイッチ操作により変更可能とし、撮影後にこれらの撮影対象および／または撮影条件を撮影画像のデータファイルおよび／または撮影画像ではないデータファイルに記録するか、または出力または入力することを特徴とする歯科口腔撮影用デジタルカメラおよび／または歯科口腔画像管理ソフトウェアよりなる歯科口腔写真システムの実施の動作と効果については、次の患者であるか引き続き撮影する患者か、患者名は誰か、初診患者か再診か、規格撮影か自由撮影か、規格撮影の場合どの規格撮影か、術者が初心者か熟練者か、絞り、露光時間、照明光量、撮影距離、ズーム倍率、光学的撮影倍率、デジタルトリミング倍率、左列挙のいずれかすくなくとも１つ以上の撮影対象または撮影条件について、あらかじめいずれか初期設定したうえで、術者に変更選択のための表示か音声ガイド出力を行ない、メニュー操作またはスイッチ操作により変更可能とし、撮影後にこれらの撮影対象または撮影条件を撮影画像のデータファイルまたは撮影画像ではないデータファイルに記録するか、または出力または入力することにより、操作性の向上をもたらすものである。
【１１５１】
撮影画像のデータファイルおよび／または撮影画像ではないデータファイルに記録されるか、または出力または入力することによって得た、撮影対象や撮影条件に基づき、撮影画像を階層的に整理し、管理し、表示することを特徴とする歯科口腔撮影用デジタルカメラおよび／または歯科口腔画像管理ソフトウェアよりなる歯科口腔写真システムの実施による動作と効果については、歯科口腔撮影用デジタルカメラによる撮影画像のデータファイルまたは撮影画像ではないデータファイルに記録されるか、または出力または入力することによって得た、撮影対象や撮影条件に基づき、歯科口腔画像管理ソフトウェアで撮影画像を階層的に自動的に整理し、管理し、表示することことにより操作性の向上をもたらすものである。
【１１５２】
音声入力および／または操作入力においては患者名または患者に対応する番号、または画像入力においては患者名または患者に対応する番号または患者に対応する画像パターンを患者情報として入力する入力手段を備え、患者名を特定することを特徴とする歯科口腔撮影用デジタルカメラおよび／または歯科口腔画像管理ソフトウェアよりなる歯科口腔写真システムの実施による動作および効果については、音声入力または操作入力においては患者名または患者に対応する番号、または画像入力においては患者名または患者に対応する番号または患者に対応する画像パターンを患者情報として入力する入力手段を備え、患者名を特定することにより操作性の向上をもたらすものである。
【１１５３】
撮影画像を患者毎に、および／または撮影歯科医院毎に、および／または歯科技工所毎に、階層的に整理および／または追加し、管理し、表示することを特徴とする歯科口腔撮影用デジタルカメラおよび／または歯科口腔画像管理ソフトウェアよりなる歯科口腔写真システムの実施による動作と効果については、撮影画像を患者毎に、または撮影歯科医院毎に、または歯科技工所毎に、自動的に、階層的整理または追加し、管理し、表示することにより操作性の向上をもたらすものである。
【１１５４】
患者が再診である場合の再現撮影において、過去の患者の撮影画像および／またはその輪郭、撮影対象および／または撮影条件および／または術者名を撮影画像のデータファイルおよび／または撮影画像ではないデータファイルから読み出すか通信入力することより、過去の撮影画像と同じ撮影対象および／または撮影条件および／または術者名を表示するか、および／または過去の撮影画像の輪郭を照準としてファインダーおよび／またはモニタに表示することを特徴とする歯科口腔撮影用デジタルカメラおよび／または歯科口腔画像管理ソフトウェアよりなる歯科口腔写真システムの実施による動作と効果については、患者が再診である場合の再現撮影において、過去の患者の撮影画像またはその輪郭、撮影対象または撮影条件または術者名を撮影画像のデータファイルまたは撮影画像ではないデータファイルから読み出すか通信入力することより、過去の撮影画像と同じ撮影対象または撮影条件または術者名を表示するか、または過去の撮影画像の輪郭を照準としてファインダーまたはモニタに表示することにより操作性の向上をもたらすものである。
【１１５５】
鏡を使った撮影であるか否かの操作入力および／または検出入力を持ち、鏡を使った撮影の場合に画像を上下または左右反転することを特徴とする歯科口腔撮影用デジタルカメラおよび／または歯科口腔画像管理ソフトウェアよりなる歯科口腔写真システムの実施による動作と効果については、鏡を使った撮影であるか否かの操作入力または検出入力を持ち、鏡を使った撮影の場合に画像を上下または左右反転することにより、術者が反転した画像で混乱することを防止することにより操作性を向上するものである。
【１１５６】
被写体表面までの距離に応じて撮影のための照明の光量を調節することを特徴とする歯科口腔撮影用デジタルカメラおよび／または歯科口腔画像管理ソフトウェアよりなる歯科口腔写真システムの実施の動作と効果については、被写体表面までの距離を自動焦点機能等で取得し、その距離に応じて撮影のための照明の光量を調節することにより歯科用カメラの露出の最適化し、撮影ミスをなくすことで操作性向上をもたらすものである。
【１１５７】
ミラーを介した撮影に対応して撮影のための照明の光量を補正することを特徴とする歯科口腔撮影用デジタルカメラおよび／または歯科口腔画像管理ソフトウェアよりなる歯科口腔写真システムの実施による動作と効果については、ミラーを介した撮影では、ミラーの反射の時点で一定の光量低下があるので、ミラーを介した撮影に対応して撮影のための照明の光量を補正することにより露出の最適化し、撮影ミスをなくすことで操作性向上をもたらすものである。
【１１５８】
撮影のための照明から被写体表面までの距離を変えず、照明光の被写体への入射角度が可変であることを特徴とする歯科口腔撮影用デジタルカメラを含む歯科口腔写真システムの実施の動作と効果については、図４において、ストロボ発光部１５が、ａまたはｂ、ｃあるいはその中間の位置に対に位置決めされるべく、ストロボアーム１５２がカメラ本体１１を中心に左右対象に伸び縮みする。
【１１５９】
このストロボアームは被写体を想定した位置を中心とする円上を移動する様に設計構成されている。この結果、被写体への照明の方向が変わっても照明から被写体への距離が変化せず、露出を最適化し、撮影ミスをなくすことで操作性向上をもたらすものである。
【１１６０】
撮影のための照明が光ファイバによりガイドされることを特徴とすることを特徴とする歯科口腔撮影用デジタルカメラを含む歯科口腔写真システムおよび光ファイバの投光部の位置および／または方向が可変であることを特徴とする歯科口腔撮影用デジタルカメラを含む歯科口腔写真システムの実施による動作と効果については、ストロボ発光部１５１の発光をミラー１５５で反射して可撓性のある光ファイバー１５３に導き、光ファイバアーム１５４に固定された位置にて照明光が投射される。
【１１６１】
光ファイバアーム１５４は被写体を想定した位置を中心に円弧上に光ファイバ固定具１５６の位置を左右対象に調節する。また光ファイバ１５３を光ファイバ固定具１５６に固定せずに任意の場所に固定することが出来る。
【１１６２】
この様にして撮影のための照明が光ファイバによりガイドされることにより露出を最適化し、撮影ミスをなくすことで操作性向上をもたらすものである。
次の患者であるか引き続き撮影する患者か、診療所はどこかおよび／または術者は誰か、補綴物を扱う技工所はどこかおよび／または技工士は誰か、患者名は誰か、初診患者か再診か、規格撮影か自由撮影か、規格撮影の場合どの規格撮影か、術者が初心者か熟練者か、絞り、露光時間、照明光量、撮影距離、ズーム倍率、光学的撮影倍率、デジタルトリミング倍率、左列挙のいずれかすくなくとも１つ以上の撮影対象および／または撮影条件について、あらかじめいずれか初期設定したうえで、術者に変更選択のための表示か音声ガイド出力を行ない、メニュー操作および／またはスイッチ操作により変更可能とし、撮影後にこれらの撮影対象および／または撮影条件を撮影画像のデータファイルおよび／または撮影画像ではないデータファイルに記録するか、または出力または入力することを特徴とする歯科口腔撮影用デジタルカメラおよび／または歯科口腔画像管理ソフトウェアよりなる歯科口腔写真システムの実施による動作と効果については、上記の光ファイバによるガイドに非撮影時に照明光を通すか、上記の光ファイバによるガイドの投光部に光ファイバの投光方向と同一の方向に非撮影時に投光すべく、第２の投光手段（図５におけるパイロットランプ１５７）を備えることにより露出を最適化し、撮影ミスをなくすことで操作性向上をもたらすものである。
【１１６３】
３次元の表色系において表した人間の天然歯および／または歯肉の色の立体分布形状に応じてその中心を基準とし、分布の幅方向および／または色の濃さ方向および長さ方向および／または色の鮮やかさ方向および奥行きおよび／または色合い方向に目盛を配置し、あるいはさらに人間の色差感覚に比例した目盛間隔を設定した人間天然歯表色系による歯および／または補綴物および／または歯肉の色表現を備えることを特徴とする歯科口腔撮影用デジタルカメラおよび／または歯科口腔画像管理ソフトウェアおよび／または歯科用測色計および／または歯科用色標識および／または定型色表現の診断票よりなる歯科口腔写真システムの実施による動作と効果については、３次元の表色系において表した人間の天然歯の色の立体分布形状に応じてその中心を基準とし、分布の幅方向または色の濃さ方向および長さ方向または色の鮮やかさ方向および奥行きまたは色合い方向に目盛を配置し、および人間の色差感覚に比例した目盛間隔を設定した人間天然歯表色系による歯または補綴物の色表現を備えることにより、色表現または色再現性の向上をもたらす。
【１１６４】
人間天然歯表色系の色の濃さ方向および／または色の鮮やかさ方向および／または色合い方向のそれぞれ代表的な位置に相当する単数または複数の色票をそなえたことを特徴とする歯科用色標識を含む歯科口腔写真システムの実施による動作と効果については、人間天然歯表色系の色の濃さ方向または色の鮮やかさ方向または色合い方向のそれぞれ代表的な位置に相当する単数または複数の色票による歯科用色標識を備えることにより、色表現または色再現性の向上をもたらす。
【１１６５】
歯科用色標識を同時に撮影した場合に、歯科用色標識の色を再現することにより、被写体の画像の色を被写体の色に近似再現補正することを特徴とする歯科口腔撮影用デジタルカメラおよび／または歯科口腔画像管理ソフトウェアよりなる歯科口腔写真システムの実施による動作と効果については、歯科用色標識を同時に撮影した場合に、歯科用色標識の色を再現することにより、被写体の画像の色を被写体の色に近似再現補正することにより、色表現または色再現性の向上をもたらす。
【１１６６】
３次元の表色系において表した人間の天然歯および／または歯肉の色の立体分布形状に応じてその中心を基準とし、分布の幅方向および／または色の濃さ方向および長さ方向および／または色の鮮やかさ方向および奥行きおよび／または色合い方向に目盛を配置し、あるいはさらに人間の色差感覚に比例した目盛間隔を設定した人間天然歯表色系で、歯科用色標識の色を基準に、被写体の各部の色を表現することを特徴とする歯科口腔撮影用デジタルカメラおよび／または歯科口腔画像管理ソフトウェアよりなる歯科口腔写真システムの実施による動作と効果については、歯科用色標識の色を基準に、被写体の各部の色を人間天然歯表色系で表現することにより、色表現または色再現性の向上をもたらす。
【１１６７】
測色計で測色した撮影対象の歯牙の測色データにより、撮影した画像の色補正を行なうことを特徴とする歯科口腔撮影用デジタルカメラおよび／または歯科口腔画像管理ソフトウェアよりなる歯科口腔写真システムの実施による動作と効果については、３次元の表色系において表した人間の天然歯および／または歯肉の色の立体分布形状に応じてその中心を基準とし、分布の幅方向および／または色の濃さ方向および長さ方向および／または色の鮮やかさ方向および奥行きおよび／または色合い方向に目盛を配置し、あるいはさらに人間の色差感覚に比例した目盛間隔を設定した人間天然歯表色系による歯および／または補綴物および／または歯肉の色表現を備えることを特徴とする歯科口腔撮影用デジタルカメラおよび／または歯科口腔画像管理ソフトウェアおよび／または歯科用測色計および／または歯科用色標識および／または定型色表現の診断票よりなる歯科口腔写真システムである測色計で測色した撮影対象の歯牙の測色データにより、撮影した画像の色補正を行なうことにより、色表現または色再現性の向上をもたらす。
【１１６８】
赤外カットフィルタを備えたことを特徴とする歯科口腔撮影用デジタルカメラ含む歯科口腔写真システムの実施による動作と効果については、赤外カットフィルタを備えたことにより、色表現または色再現性の向上をもたらす。
【１１６９】
色標識または、異なる３色以上色の色票を単独または患者の被写体と同時撮影後の撮影において、色標識または色票を撮影することなく撮影した画像の色を３次元的に表現する歯科口腔撮影用デジタルカメラおよび／または歯科口腔画像管理ソフトウェアよりなる歯科口腔写真システムの実施による動作と効果については、上記の色標識または、異なる３色以上色の色票を単独または患者の被写体と同時撮影後の撮影において、色標識または色票を撮影することなく撮影した被写体の色を３次元的に表現するか、被写体の色を画像上再現することにより、色表現または色再現性の向上をもたらす。
【１１７０】
色標識または、異なる３色以上色の色票を単独または患者の被写体と同時撮影後の撮影において、色標識または色票を撮影することなく撮影した被写体の色を３次元的に表現するか、被写体の色を画像上再現することを特徴とする歯科口腔撮影用デジタルカメラおよび／または歯科口腔画像管理ソフトウェアよりなる歯科口腔写真システムの実施による動作と効果については、人間天然歯表色系の色の濃さ方向および／または色の鮮やかさ方向および／または色合い方向のそれぞれ代表的な位置に相当する単数または複数の色票をそなえたことを特徴とする歯科用色標識を含む歯科口腔写真システムの色標識または異なる３色以上色の色票を撮影し、その撮影画像を表示したモニタ画面または印刷した印刷物上に再現された色標識または色票を再度撮影することにより、その後の撮影において、被写体の色を３次元的に表現するか、被写体の色を画像上再現することにより、色表現または色再現性の向上をもたらす。
【１１７１】
色標識または異なる３色以上色の色票を撮影し、その撮影画像を表示したモニタ画面または印刷した印刷物上に再現された色標識または色票を再度撮影することにより、その後の撮影において、被写体の色を３次元的に表現するか、被写体の色を画像上再現することを特徴とする歯科口腔撮影用デジタルカメラおよび／または歯科口腔画像管理ソフトウェアよりなる歯科口腔写真システムの実施による動作と効果については、治療の過程で患者の歯または歯肉の色の変化の過程を画像または印刷物上で再現するか、または３次元の表色系において表した人間の天然歯および／または歯肉の色の立体分布形状に応じてその中心を基準とし、分布の幅方向および／または色の濃さ方向および長さ方向および／または色の鮮やかさ方向および奥行きおよび／または色合い方向に目盛を配置し、あるいはさらに人間の色差感覚に比例した目盛間隔を設定した人間天然歯表色系による歯および／または補綴物および／または歯肉の色表現を備えることを特徴とする歯科口腔撮影用デジタルカメラおよび／または歯科口腔画像管理ソフトウェアおよび／または歯科用測色計および／または歯科用色標識および／または定型色表現の診断票よりなる歯科口腔写真システムの色表現で表示することにより、色表現または色再現性の向上をもたらす。
【１１７２】
治療の過程で患者の歯および／または歯肉の色の変化の過程を画像および／または定型の印刷物上で再現するか、および／または人間天然歯表色系で表示することを特徴とする歯科口腔画像管理ソフトウェアおよび／または定型色表現の診断票よりなる歯科口腔写真システムの実施による動作と効果については、歯肉の色再現または色表現を重視するか、天然歯の色再現または色表現を重視するか、補綴物の色再現または色表現を重視するかを切り替えることにより、色表現または色再現性の向上をもたらす。
【１１７３】
撮影した画像データファイルおよび／または画像データでないファイルに撮影した画像がオリジナルであることを示す画像認証情報および／またはそれが改変されたことを示す画像改変情報を付与し、画像がオリジナルであることおよび／または改変されたことを表示および／または出力することを特徴とする歯科口腔撮影用デジタルカメラおよび／または歯科口腔画像管理ソフトウェアよりなる歯科口腔写真システムの実施による動作と効果については、撮影した画像データファイルまたは画像データでないファイルに撮影した画像がオリジナルであることを示す画像認証情報またはそれが改変されたことを示す画像改変情報を付与し、画像がオリジナルであることまたは改変されたことを表示または出力することにより、歯科用口腔画像の品質証明あるいは証拠価値の認証をもたらす。
【１１７４】
次に歯科口腔測色写真システムの具体的な実施の動作について述べる。
＜動作＞
本発明の実施例として、図３７を用いて説明する。
あらかじめ所望の撮影倍率がカメラに入力されている。術者が拡大機能を操作し、かつ被写体に対してカメラの距離を操作すると、ズーム倍率情報と距離センサによる被写体までの距離情報がカメラ内蔵の制御装置に送られる。
【１１７５】
カメラ内蔵の制御装置はズーム倍率と撮影距離により、その時点で撮影した場合の撮影倍率を計算し、既定の撮影倍率の７０％〜１０５％の範囲で所望の撮影範囲をカバーしていた場合に音声報知手段および／または画像報知手段により撮影ＯＫの報知を術者に対して行う。
【１１７６】
同時にカメラ内蔵の制御装置は被写体までの距離情報に応じてフラッシュの光量を計算し、シャッターが切られた瞬間の撮影距離に応じた光量でフラッシュシステムを発光させる。
【１１７７】
所望の撮影倍率と実現された撮影倍率の情報は画像ファイルに記録され、画像ファイルはパソコンへ導入される。
【１１７８】
パソコンにインストールされた本歯科写真撮影システムによる画像管理ソフトは所望の撮影倍率に画像をトリミングして保管および／または表示および／または印刷する。
【１１７９】
別の動作ではフラッシュ光量は一定に発光し、撮影距離情報が画像ファイルに記録され、画像ファイルはパソコンへ導入される。
【１１８０】
パソコンにインストールされた本歯科写真撮影システムによる画像管理ソフトは撮影距離情報に応じて画像の明るさを調整して画像を保管および／または表示および／または印刷する。
【１１８１】
別の動作では、撮影の目的に応じて撮影倍率・拡大倍率・撮影距離があらかじめ固定され、フラッシュ光量もあらかじめ設定することにより、その時の被写体までの撮影距離を測定しながら目的の撮影距離の±５％の範囲において、自動焦点機能や撮影動作を有効にしたり、その範囲内に導く様にガイダンスを報知する用に設定する。
【１１８２】
別の動作では、撮影の目的に応じて被写体と同時に撮影する距離ゲージとモニターまたはファインダーに表示または装備した距離ゲージを選択し、これらをモニターまたはファインダー上で合わせ込むことにより、カメラの位置を規定の撮影距離に持ってきて、自動焦点機能を有効にし、その撮影距離で予め設定してあるフラッシュ光量で撮影する。
【１１８３】
次に歯科写真撮影システムの具体的な実施の動作について述べる。
【１１８４】
本発明の実施例として、図３８を用いて説明する。
＜動作＞
あらかじめ所望の歯科撮影または所望の歯科撮影に対応した撮影倍率がカメラに設定入力されている。
【１１８５】
術者が拡大機能を操作し、かつ被写体に対してカメラの距離を操作すると、ズーム倍率情報と距離センサによる被写体までの距離情報がカメラ内蔵の制御装置に送られる。
【１１８６】
カメラ内蔵の制御装置はズーム倍率と撮影距離により、その時点で撮影した場合の撮影倍率を計算し、既定の撮影倍率の７０％〜１０５％の範囲で所望の撮影範囲をカバーしていた場合に音声報知手段および／または画像報知手段により撮影ＯＫの報知を術者に対して行う。
【１１８７】
同時にカメラ内蔵の制御装置は被写体までの距離情報に応じて照明の光量を計算し、シャッターが切られた瞬間の撮影距離に応じた光量で照明システムを発光させる。
【１１８８】
所望の撮影倍率と実現された撮影倍率の情報は画像ファイルに記録され、画像ファイルはパソコンへ導入される。
【１１８９】
パソコンにインストールされた本歯科写真撮影システムによる画像管理ソフトは所望の撮影倍率に画像をトリミングして保管および／または表示および／または印刷する。
【１１９０】
また、歯科撮影専用のプログラムまたはデータを記録した記録メディアをセットすると、術者の起動操作とともにカメラ内蔵の制御装置がこれを読みとり、歯科口腔撮影が可能な状態になる。
【１１９１】
この際、カメラ内蔵の制御装置に歯科撮影専用のプログラムが無い場合には、歯科撮影専用のプログラムがカメラ内蔵の制御装置に導入され、カメラ内蔵の制御装置に歯科撮影専用のプログラムがあらかじめ内蔵してある場合は、歯科撮影専用のデータがカメラ内蔵の制御装置に導入される。
【１１９２】
歯科撮影が可能な状態においては、患者の顔写真撮影または顎口腔写真撮影または歯列の写真撮影または歯の写真撮影または歯肉の写真撮影または鏡を用いたこれらの写真撮影または歯科補綴物の写真撮影のいずれかの歯科撮影の種類、および／または設定撮影倍率および／または設定拡大倍率および／または設定撮影距離および／または設定照明光量の設定を持つかまたは該設定入力手段所望の歯科撮影の種別または所望の撮影倍率、さらにクローズアップレンズの有無が、カメラのモニタまたはファインダー上の選択表示と術者からの入力操作によりカメラに入力される。
【１１９３】
その後、術者がズーム機能を操作し、かつ被写体に対してカメラの距離を操作すると、ズーム倍率情報と距離センサによる被写体までの撮影距離情報がカメラ内蔵の制御装置に送られる。
【１１９４】
カメラ内蔵の制御装置は実ズーム倍率と撮影距離により、その時点で撮影した場合の撮影倍率を計算し、設定した撮影倍率の０％〜−３０％以内で所望の撮影範囲をカバーしていた場合に音声報知手段および／または画像報知手段により撮影ＯＫの報知を術者に対して行う。
【１１９５】
同時にカメラ内蔵の制御装置は被写体までの撮影距離情報に応じて照明の光量を計算し、シャッターが切られた瞬間の撮影距離に応じた光量で照明システムを発光させる。
【１１９６】
設定した撮影倍率と実際の撮影倍率の情報は画像ファイルに記録され、画像ファイルはパソコンへ導入される。
【１１９７】
パソコンにインストールされた本歯科写真システムによる画像管理ソフトは設定した撮影倍率に画像をトリミングして保管および／または表示および／または印刷する。
【１１９８】
別の動作では照明光量は一定に発光し、実際の撮影距離情報が画像ファイルに記録され、画像ファイルはパソコンへ導入される。
【１１９９】
パソコンにインストールされた本歯科写真システムによる画像管理ソフトは設定した撮影距離情報に応じて画像の明るさを調整して画像を保管および／または表示および／または印刷する。
【１２００】
別の動作では、撮影の目的に応じて撮影倍率・拡大倍率・撮影距離があらかじめ固定され、照明光量もあらかじめ設定することにより、その時の被写体までの撮影距離を測定しながら目的の撮影距離の±５％の範囲において、自動焦点機能や撮影動作を有効にしたり、その範囲内に導く様にガイダンスを報知する用に設定する。
【１２０１】
別の動作では、撮影の目的に応じて被写体と同時に撮影する距離ゲージとモニターまたはファインダーに表示または装備した距離ゲージを選択し、これらをモニターまたはファインダー上で合わせ込むことにより、カメラの位置を設定した撮影距離に持ってきて、自動焦点機能を有効にし、その撮影距離で予め設定してある照明光量で撮影する。
【１２０２】
次に機械装置の制御システムの具体的な実施の動作について述べる。
【１２０３】
以上のように、この実施形態は、製造番号が存在するのが通例である。この様な機器識別情報に１対１に対応して、器械装置に電子的に読み取り可能な方法で内部識別情報を設定または記憶させることは容易に可能である。
【１２０４】
このため、本発明のようなシステムを構築すると、器械装置に対して前述の様なカスタマイズサービスが可動である条件として、次の３条件を課すことが可能となる。
1)  正規のユーザー（器械装置を確かに購入したと器械装置供給業者が認定することを条件に器械装置供給業者側が管理運営する情報処理装置のデータベースにその器械装置の機器識別情報と内部識別情報を関連付けて登録したユーザー）であること。
2)  カスタマイズの申込を行い、代価の入金が行われたユーザーであること（この情報も機器識別情報としてデータベースに登録される。）。
3)  さらに、正規のユーザーにＩＤとパスワードを発行することで、例えば通信もしくはメディアを介して器械装置のカスタマイズを行う場合にＩＤとパスワードの提示要求に対して、双方を正確に提示入力したユーザーであること。
【１２０５】
従って、他のデジタルカメラ５００１を使用するユーザーが、サーバ装置５００２に対して機器識別情報ａを送っても、サーバ装置５００２側でその機器識別情報ａに対応する機器機器識別Ａが登録されていなければ照会手段５０２３で拒絶され、たとえ成りすましによって該当する機器識別情報Ａが登録してあったとしても、対応する内部識別情報Ｂがデジタルカメラ１側の内部識別情報ｂとは異なっているため、照合手段５３０４（図４６、図４７）、５２３４（図５０）において不一致（偽）が発覚し、制御情報Ｃに基づく内部状態情報の制御、すなわちＰ５００１からＰ５００２への切り替え（図４１参照）は開始されないことになる。
【１２０６】
このため、不正冒用行為を的確に回避して、システムの適正な運用を図ることが可能となる。
【１２０７】
このようなシステムは、サーバ装置２が内部状態情報Ｚを記憶した内部状態情報記憶手段２２を備えている態様（図４６、図５０参照）と、デジタルカメラ５００１が内部状態情報Ｚを記憶した内部状態情報記憶手段５１０１を備えている態様（図４７）の何れによっても実施可能である。
【１２０８】
前者の場合は、応答手段５０２４が制御情報Ｃとともに内部状態情報Ｚを伴った応答をなして、器械装置５００１において照合が真である場合に状態制御手段５３０５が前記制御情報Ｃに基づいて内部状態情報Ｚをロードする制御を行ない、後者の場合は、デジタルカメラ５００１の中で禁止されている内部状態情報Ｚのその禁止状態が制御情報Ｃに付帯する内部状態情報制御コードＣ５００１によって解除されることとなる。
【１２０９】
この実施形態では、内部状態情報Ｚが複数の動作モード情報Ｍ５００２、モード関連情報（動作機能情報Ｍ５０２０、動作データ情報Ｄ５０２０）からなるものであるため、制御情報Ｃによってこれらを切替選択する組み合わせ、或いは新たにロードして追加する組み合わせには種々あり、要求に応じて多様なサービスを行なうことが容易に可能となる。
【１２１０】
特に、本実施形態の場合は、汎用のデジタルカメラ５００１を歯科用のデジタルカメラとして使用しようとするものであり、汎用のデジタルカメラ５００１に備わる色再現性を無視した色補正機能やフラッシュ機能に代替して歯科用に適した色補正機能、フラッシュ機能を容易且つ安価に取り込み、適正な撮影ができるようになるので、歯科業界における治療や診断等に飛躍的な利便性をもたらすことが可能となる。
【１２１１】
特に、具体的構成として、器械装置５００１からの制御情報要求を許可するためのＩＤ入力受付手段やパスワード入力受付手段等を併用しているため、ファームウェア等としての内部状態情報Ｚを利用することとも相まって、不正冒用行為に対する抑止効果は格段に優れたものとなる。
【１２１２】
なお、本発明は、上述した実施形態に限定されるものではない。
【１２１３】
例えば、本発明は、器械装置５００１として歯科用顎運動計測装置、歯科用顎運動シミュレータ、ＣＡＤ・ＣＡＭ用計測装置、ＣＡＤ・ＣＡＭ装置、歯科用ＣＡＤ・ＣＡＭ用計測装置、歯科用ＣＡＤ・ＣＡＭ装置、歯科用光照射重合器、測色計または色彩計、歯科用測色計または歯科用色彩計、歯科用鋳造機、歯科用レーザー装置、歯科用焼成機、物品保管ラック、歯科用物品保管ラック、咬合器などを適用対象とすることもできる。
【１２１４】
以下、その幾つかについてシステム概要を略述する。
【１２１５】
＜顎運動計測装置＞
図５２及び図５４は、器械装置として顎運動計測装置５００１Ａを適用した本発明に係る実施形態のシステムの模式図である。器械装置である歯科用用途に用いられる顎運動計測装置５００１Ａに対し、動作モード情報Ｍ５００２Ａとして医院用動作モードＭ５０２１Ａ（咬合チェック用）、顎機能診断用動作モードＭ５０２２Ａ、補綴用動作モードＭ５０２３Ａ、矯正用動作モードＭ５０２４Ａ、などを与え、歯科用用途に対応した動作機能Ｍ５０２０Ａとして３自由度機能Ｍ５２０１Ａ、６自由度機能Ｍ５２０２Ａ、６×２自由度機能Ｍ５２０３Ａ、６×３自由度機能Ｍ５２０４Ａ、生体標点定義機能Ｍ５２０５Ａなどの関連機能および上記実施形態と同様の課金データ生成機能Ｍ５２０６Ａなどを与え、歯科用用途に対応した動作データＤ５０２０Ａとして基準面データ（カンペル平面データＤ５０２１Ａ、フランクフルト平面データＤ５０２２Ａ、咬合面データＤ５０２３Ａなどの関連データ）や課金データＤ５０２４Ａを要求に応じて与えることができるようにしておく。
【１２１６】
このようにすれば、医院が顎運動計測装置５００１Ａを有効に機能させて咬合チェック、矯正、顎機能診断、補綴物の作成を簡単・的確に行えるビジネスモデルを容易に構築することができる。
【１２１７】
＜測色計＞
図５３及び図５４は、器械装置として測色計５００１Ｂを適用した本発明に係る実施形態のシステムの模式図である。器械装置である歯科用用途に用いられる測色計５００１Ｂに対し、動作モード情報Ｍ５００２Ｂとして天然歯モードＭ５０２１Ｂ、ＭＣクラウンモードＭ５０２２Ｂ、人口歯モードＭ５０２３Ｂ、歯茎モードＭ５０２４Ｂ、計測器モードＭ５０２４Ｂを与え、動作機能Ｍ５０２０Ｂとして強制光測色機能Ｍ５２０１Ｂ、自然光測色機能Ｍ５２０２Ｂ、パソコン転送機能Ｍ５２０３Ｂ、ソフト通信機能Ｍ５２０４Ｂおよび上記実施形態と同様の課金データ生成機能Ｍ５２０５Ｂを与え、動作データとＤ５２０ＢしてＳＶＨ表色データＤ５２１Ｂ、シェードガイド表色データＤ５２２Ｂ、課金データＤ５２３Ｂや各種シェードガイドデータなどを要求に応じて与えることができるようにしておく。
【１２１８】
このようにすれば、測色計、デジタルカメラ或いは歯科用画像管理ソフトウェアより出力した患者の歯の色情報を使用者側から発信する患者データとし、供給者側のＣＡＤ・ＣＡＭ装置または歯科用ＣＡＤ・ＣＡＭ装置における補綴物またはその一部を患者データの歯の色に調合して作成し、残りの部分の材料も色に合わせて配合または計量して送付するシステムモデルを容易に構築することができる。
【１２１９】
＜物品保管ラック＞
器械装置である歯科用用途に用いられるに物品保管ラックに対し、動作モード情報として保管されている物品モードを与え、動作機能として重量測定機能や数量計測機能、物品が電池やバッテリであれば電力測定機能などを与え、動作データとして各物品に対する、供給が必要となる残量等を与える。
【１２２０】
保管されている消耗品の数量または残量に関する情報を、使用者によるか又は定期的に使用者側から発信するデータとし、供給者側が消耗品の残量や、消耗品の残量の経持的な変化を把握できるようにしておく。
【１２２１】
このようにすれば各消耗品の供給時期や供給量を正確に把握又は予測することができ、そうすることにより消耗品の供給を正確に行えるビジネスモデルを容易に構築することができる。
【図面の簡単な説明】
【１２２２】
【図１−１】本発明の一実施形態を示すシステムのハードウェア構成図の一部である。
【図１−２】本発明の一実施形態を示すシステムのハードウェア構成図の一部である。
【図２−１】本発明のソフトウェア構成図の一部である。
【図２−２】本発明のソフトウェア構成図の一部である。
【図３−１】同実施形態の部分的な機能ブロック図の一部である。
【図３−２】同実施形態の部分的な機能ブロック図の一部である。
【図４−１】図３−１および図３−２と組をなす部分的な機能ブロック図の一部である。
【図４−２】図３−１および図３−２と組をなす部分的な機能ブロック図の一部である。
【図４−３】図３−１および図３−２と組をなす部分的な機能ブロック図の一部である。
【図５−１】図３−１〜図４−３と組をなす部分的な機能ブロック図の一部である。
【図５−２】図３−１〜図４−３と組をなす部分的な機能ブロック図の一部である。
【図５−３】図３−１〜図４−３と組をなす部分的な機能ブロック図の一部である。
【図６−１】規格撮影手順を示す部分的なシーケンスの一部である。
【図６−２】規格撮影手順を示す部分的なシーケンスの一部である。
【図７−１】図６−１および図６−２と組をなす部分的なシーケンスの一部である。
【図７−２】図６−１および図６−２と組をなす部分的なシーケンスの一部である。
【図８−１】図６−１〜図７−２と組をなす部分的なシーケンスの一部である。
【図８−２】図６−１〜図７−２と組をなす部分的なシーケンスの一部である。
【図９−１】図６−１〜図８−２と組をなす部分的なシーケンスの一部である。
【図９−２】図６−１〜図８−２と組をなす部分的なシーケンスの一部である。
【図１０−１】再現撮影手順を示す部分的なシーケンスの一部である。
【図１０−２】再現撮影手順を示す部分的なシーケンスの一部である。
【図１１−１】図１０−１および図１０−２と組をなす部分的なシーケンスの一部である。
【図１１−２】図１０−１および図１０−２と組をなす部分的なシーケンスの一部である。
【図１２−１】状態選択フローを例示する図および撮影属性データの記録例を示す図の一部である。
【図１２−２】状態選択フローを例示する図および撮影属性データの記録例を示す図の一部である。
【図１３】図１３は、同実施形態の照明システムの概要を示す図である。
【図１４】図１４は、図１３と組をなす図である。
【図１５】図１５は、同実施形態における光量調整を説明する図である。
【図１６】図１６は、同実施形態における光量調整を説明する図である。
【図１７】図１７は、同実施形態における光量調整を説明する図である。
【図１８】図１８は、同実施形態における光量調整を説明する図である。
【図１９】図１９は、同実施形態における光量調整を説明する図である。
【図２０−１】人間天然歯表色系の図の一部である。
【図２０−２】人間天然歯表色系の図の一部である。
【図２１−１】歯科用色標識の図の一部である。
【図２１−２】歯科用色標識の図の一部である。
【図２２】図２２は、測色データを例示する図である。
【図２３】図２３は、色補正の考え方を説明する図である。
【図２４】図２４は、同実施形態における撮影方法を説明する図である。
【図２５−１】本発明にかかる照明装置の第１実施形態を示す概略斜視図の一部である。
【図２５−２】本発明にかかる照明装置の第１実施形態を示す概略斜視図の一部である。
【図２６】図２６は、本発明にかかる照明装置の第１実施形態の各部品の取り付け関係を示す側面切断図である。
【図２７】図２７は、本発明にかかる照明装置の第２実施形態を示す概略斜視図である。
【図２８】図２８は、本発明にかかる照明装置の第２実施形態のとくにライトガイド先端部の取り付け関係を示す側面切断図である。
【図２９】図２９は、本発明にかかる照明装置の第３実施形態を示す概略斜視図である。
【図３０】図３０は、歯科口腔測色・写真システムの構成の図である。
【図３１】図３１は、データ構成の図である。
【図３２−１】ソフトウェアの機能ブロックの図の一部である。
【図３２−２】ソフトウェアの機能ブロックの図の一部である。
【図３３】図３３は、照明角度可変の対応図である。
【図３４】図３４は、光ファイバガイドの対応図である。
【図３５】図３５は、人間天然歯表色系の図である。
【図３６】図３６は、歯科用色標識の図である。
【図３７】図３７は、本システムを実現させるブロック図である。
【図３８】図３８は、本システムを実現させるブロック図である。
【図３９】図３９は、本発明の一実施形態に係る器械装置の制御システムの構成図である。
【図４０】図４０は、同実施形態に係る器械装置たるデジタルカメラのハード構成を示す図である。
【図４１】図４１は、同実施形態において取り扱うプログラム相互の関係を示す概念図である。
【図４２】図４２は、同実施形態における非歯科用動作モードの概念図である。
【図４３】図４３は、同実施形態における歯科用動作モードの概念図である。
【図４４】図４４は、同実施形態に係る端末装置のハード構成を示す図である。
【図４５】図４５は、同実施形態に係るサーバ装置のハード構成を示す図である。
【図４６】図４６は、同実施形態の制御システムを示す機能構成図である。
【図４７】図４７は、同実施形態の制御システムを示す他の機能構成図である。
【図４８】図４８は、同実施形態に係る制御情報要求手段の概念図である。
【図４９−１】同実施形態に係る制御システムの作用を示すフローチャートの一部である。
【図４９−２】同実施形態に係る制御システムの作用を示すフローチャートの一部である。
【図５０】図５０は、同発明の他の実施形態に係る制御システムの機能構成図である。
【図５１−１】同実施形態に係る制御システムの作用を示すフローチャートの一部である。
【図５１−２】同実施形態に係る制御システムの作用を示すフローチャートの一部である。
【図５２】図５２は、同実施形態に係る制御システムの作用を示すフローチャートである。
【図５３】図５３は、本発明の上記以外の実施形態に係る制御システムの構成図である。
【図５４】図５４は、本発明の上記以外の実施形態に係る動作モードの概念図である。
【図５５−１】歯科写真撮影システムの実施形態に係る構成を示すブロック図の一部である。
【図５５−２】歯科写真撮影システムの実施形態に係る構成を示すブロック図の一部である。
【図５６】図５６は、歯科写真撮影システムの実施形態に係る制御情報量の関数関係である。
【図５７−１】歯科写真撮影システムの実施形態に係る距離ゲージと距離確認ゲージの実施図である。
【図５７−２】フラッシュの前に装着する減光板または減光紙または減光フィルム、およびフラッシュを保持する保持具の実施図である。
【図１−１】
2006006968.tif 000003
【図１−２】
2006006968.tif 000004
【図２−１】
2006006968.tif 000005
【図２−２】
2006006968.tif 000006
【図３−１】
2006006968.tif 000007
【図３−２】
2006006968.tif 000008
【図４−１】
2006006968.tif 000009
【図４−２】
2006006968.tif 000010
【図４−３】
2006006968.tif 000011
【図５−１】
2006006968.tif 000012
【図５−２】
2006006968.tif 000013
【図５−３】
2006006968.tif 000014
【図６−１】
2006006968.tif 000015
【図６−２】
2006006968.tif 000016
【図７−１】
2006006968.tif 000017
【図７−２】
2006006968.tif 000018
【図８−１】
2006006968.tif 000019
【図８−２】
2006006968.tif 000020
【図９−１】
2006006968.tif 000021
【図９−２】
2006006968.tif 000022
【図１０−１】
2006006968.tif 000023
【図１０−２】
2006006968.tif 000024
【図１１−１】
2006006968.tif 000025
【図１１−２】
2006006968.tif 000026
【図１２−１】
2006006968.tif 000027
【図１２−２】
2006006968.tif 000028
【図１３】
2006006968.tif 000029
【図１４】
2006006968.tif 000030
【図１５】
2006006968.tif 000031
【図１６】
2006006968.tif 000032
【図１７】
2006006968.tif 000033
【図１８】
2006006968.tif 000034
【図１９】
2006006968.tif 000035
【図２０−１】
2006006968.tif 000036
【図２０−２】
2006006968.tif 000037
【図２１−１】
2006006968.tif 000038
【図２１−２】
2006006968.tif 000039
【図２２】
2006006968.tif 000040
【図２３】
2006006968.tif 000041
【図２４】
2006006968.tif 000042
【図２５−１】
2006006968.tif 000043
【図２５−２】
2006006968.tif 000044
【図２６】
2006006968.tif 000045
【図２７】
2006006968.tif 000046
【図２８】
2006006968.tif 000047
【図２９】
2006006968.tif 000048
【図３０】
2006006968.tif 000049
【図３１】
2006006968.tif 000050
【図３２−１】
2006006968.tif 000051
【図３２−２】
2006006968.tif 000052
【図３３】
2006006968.tif 000053
【図３４】
2006006968.tif 000054
【図３５】
2006006968.tif 000055
【図３６】
2006006968.tif 000056
【図３７】
2006006968.tif 000057
【図３８】
2006006968.tif 000058
【図３９】
2006006968.tif 000059
【図４０】
2006006968.tif 000060
【図４１】
2006006968.tif 000061
【図４２】
2006006968.tif 000062
【図４３】
2006006968.tif 000063
【図４４】
2006006968.tif 000064
【図４５】
2006006968.tif 000065
【図４６】
2006006968.tif 000066
【図４７】
2006006968.tif 000067
【図４８】
2006006968.tif 000068
【図４９−１】
2006006968.tif 000069
【図４９−２】
2006006968.tif 000070
【図５０】
2006006968.tif 000071
【図５１−１】
2006006968.tif 000072
【図５１−２】
2006006968.tif 000073
【図５２】
2006006968.tif 000074
【図５３】
2006006968.tif 000075
【図５４】
2006006968.tif 000076
【図５５−１】
2006006968.tif 000077
【図５５−２】
2006006968.tif 000078
【図５６】
2006006968.tif 000079
【図５７−１】
2006006968.tif 000080
【図５７−２】
2006006968.tif 000081